(57)【要約】  ワイヤレス通信のための方法、装置、およびコンピュータプログラム製品が提供される。装置は、グループベアラを介してマルチキャスト/ブロードキャストデータ送信を受信する、UEであり得る。UEは、グループベアラのタイプを含むページングメッセージを受信する。加えて、UEは、ページングメッセージにおいて受信されるグループベアラのタイプに基づいて、RRCアイドルモードにとどまり、もしくは変更するか、またはRRC接続モードにとどまり、もしくは変更するかを決定する。
2016519539.tif 000002
【特許請求の範囲】
【請求項１】
グループベアラを介してマルチキャスト/ブロードキャストデータ送信を受信するユーザ機器(UE)の方法であって、
前記グループベアラのタイプを含むページングメッセージを受信するステップと、
前記ページングメッセージにおいて受信された前記グループベアラの前記タイプに基づいて、無線リソース制御(RRC)アイドルモードにとどまり、もしくは変更するか、またはRRC接続モードにとどまり、もしくは変更するかを決定するステップとを含む、方法。
【請求項２】
前記グループベアラの前記タイプが、アイドル、ハイブリッド、または接続の1つである、請求項1に記載の方法。
【請求項３】
RRCアイドルモードにとどまり、もしくは変更するか、またはRRC接続モードにとどまり、もしくは変更するかを前記決定するステップがさらに、前記グループベアラの前記タイプがハイブリッドであるとき、受信信号品質、前記UEの移動性、または前記マルチキャスト/ブロードキャストデータ送信の遅延要件の少なくとも1つに基づく、請求項2に記載の方法。
【請求項４】
前記ページングメッセージがさらにグループ識別子を含み、前記方法が、前記UEが前記グループ識別子と関連付けられる場合、グループベアラパラメータを受信するステップをさらに含む、請求項1に記載の方法。
【請求項５】
前記ページングメッセージがさらに、グループ無線ネットワーク一時識別子(G-RNTI)を含み、前記方法が、前記G-RNTIに基づいて前記受信されたグループベアラパラメータをデスクランブルするステップをさらに含む、請求項4に記載の方法。
【請求項６】
前記グループベアラパラメータが、ベアラ識別子、前記グループ識別子、前記G-RNTI、ターゲットUEのリスト、無線リンク制御(RLC)/パケットデータコンバージェンスプロトコル(PDCP)構成、サービス品質(QoS)プロファイル、インターネットプロトコル(IP)アドレス、および前記グループベアラの前記タイプの少なくとも1つを含む、請求項4に記載の方法。
【請求項７】
前記グループベアラパラメータが、グループ非連続受信(DRX)構成を含み、前記方法が、前記グループベアラがアクティブ化されているとき、前記グループDRX構成に基づいて前記マルチキャスト/ブロードキャストデータ送信を受信するステップをさらに含む、請求項4に記載の方法。
【請求項８】
前記グループベアラを介して、マルチキャスト/ブロードキャストデータ送信パケットを受信するステップと、
前記マルチキャスト/ブロードキャストデータ送信パケットを復号することを試みるステップと、
前記マルチキャスト/ブロードキャストデータ送信パケットを復号することが可能ではないときに否定的な確認応答(ACK)(NACK)を送るステップと、
前記マルチキャスト/ブロードキャストデータ送信パケットを復号することが可能であるときにACKを送るのを控えるステップとをさらに含む、請求項1に記載の方法。
【請求項９】
前記NACKがPUCCHフォーマット1メッセージにおいて送られる、請求項8に記載の方法。
【請求項１０】
前記UEが、前記NACKと同時にチャネル品質インジケータ(CQI)フィードバックを送信することをスケジュールされない、請求項9に記載の方法。
【請求項１１】
前記NACKが他のUEによって共有される同じリソースにおいて送られ、前記リソースが、前記マルチキャスト/ブロードキャストデータ送信をスケジュールするために使用される物理ダウンリンク制御チャネル(PDCCH)と関連付けられる、請求項8に記載の方法。
【請求項１２】
前記グループベアラの前記タイプがハイブリッドまたは接続であり、前記方法が、前記RRC接続モードにとどまる、または変更すると決定するステップをさらに含む、請求項1に記載の方法。
【請求項１３】
チャネル品質インジケータ(CQI)フィードバック構成を受信するステップであって、前記CQIフィードバック構成が以前に提供されたCQIフィードバックまたは測定報告に基づく、ステップと、
前記CQIフィードバック構成に基づいて、CQIフィードバックを送るステップとをさらに含む、請求項12に記載の方法。
【請求項１４】
マルチキャスト/ブロードキャストデータ送信パケットを受信するステップと、
前記マルチキャスト/ブロードキャストデータ送信パケットを復号することを試みるステップと、
前記マルチキャスト/ブロードキャストデータ送信パケットを復号することが可能ではないときにチャネル品質インジケータ(CQI)フィードバックを送るステップと、
前記マルチキャスト/ブロードキャストデータ送信パケットを復号することが可能であるときに前記CQIフィードバックを送るのを控えるステップとをさらに含む、請求項12に記載の方法。
【請求項１５】
チャネル品質インジケータ(CQI)フィードバックを決定するステップと、
前記CQIフィードバックがCQIしきい値より小さいときに前記CQIフィードバックを送るステップと、
前記CQIフィードバックが前記CQIしきい値より大きいときに前記CQIフィードバックを送るのを控えるステップとをさらに含む、請求項12に記載の方法。
【請求項１６】
物理ダウンリンク制御チャネル(PDCCH)またはレイヤ3メッセージの1つを介して前記CQIしきい値を受信するステップをさらに含む、請求項15に記載の方法。
【請求項１７】
発展型ノードB(eNB)から前記マルチキャスト/ブロードキャストデータ送信を受信するステップと、
前記受信されたマルチキャスト/ブロードキャストデータ送信を復号することに失敗すると、否定的な確認応答(NACK)を送るステップと、
ネットワークコーディング自動再送要求(NC-ARQ)に基づいて、前記マルチキャスト/ブロードキャストデータ送信の再送信を受信するステップとをさらに含む、請求項1に記載の方法。
【請求項１８】
発展型ノードB(eNB)からのランク1送信を介して、前記マルチキャスト/ブロードキャストデータ送信を受信するための構成を受信するステップをさらに含む、請求項1に記載の方法。
【請求項１９】
空間周波数ブロック符号(SFBC)ダイバーシティ方式、またはSFBCおよび周波数切替送信ダイバーシティ(FSTD)ダイバーシティ方式の1つに基づいて、チャネル品質インジケータ(CQI)フィードバックを決定するステップと、
前記CQIを前記eNBに送るステップとをさらに含む、請求項18に記載の方法。
【請求項２０】
発展型ノードB(eNB)からマルチユーザ多入力多出力(MU-MIMO)を介して前記マルチキャスト/ブロックデータ送信を受信するための構成を受信するステップと、
チャネル品質インジケータ(CQI)フィードバックおよびプリコーディング行列インジケータ(PMI)を決定するステップと、
前記決定されたCQIおよびPMIを前記eNBに送るステップとをさらに含む、請求項1に記載の方法。
【請求項２１】
グループベアラを介してマルチキャスト/ブロードキャストデータ送信を提供する発展型ノードB(eNB)の方法であって、
前記グループベアラのタイプを決定するステップと、
前記グループベアラの前記タイプを含むページングメッセージを、ユーザ機器(UE)のセットに送るステップとを含む、方法。
【請求項２２】
前記グループベアラの前記タイプが、アイドル、ハイブリッド、または接続の1つであるとして決定される、請求項21に記載の方法。
【請求項２３】
前記マルチキャスト/ブロードキャストデータ送信のタイプ、前記マルチキャスト/ブロードキャストデータ送信の重要性、またはUEの前記セット中のUEの数の少なくとも1つを決定するステップをさらに含み、前記グループベアラの前記タイプが、前記マルチキャスト/ブロードキャストデータ送信の前記タイプ、前記マルチキャスト/ブロードキャストデータ送信の前記重要性、またはUEの前記セット中のUEの前記数に基づいて決定される、請求項21に記載の方法。
【請求項２４】
前記ページングメッセージがさらに、UEの前記セットと関連付けられるグループ識別子を含み、前記方法が、グループベアラパラメータをUEの前記セットに送るステップをさらに含む、請求項21に記載の方法。
【請求項２５】
前記ページングメッセージがさらに、グループ無線ネットワーク一時識別子(G-RNTI)を含み、前記方法が、前記G-RNTIに基づいて前記グループベアラパラメータをスクランブルするステップをさらに含む、請求項24に記載の方法。
【請求項２６】
前記グループベアラパラメータが、ベアラ識別子、前記グループ識別子、前記G-RNTI、UEの前記セット中のUEのリスト、無線リンク制御(RLC)/パケットデータコンバージェンスプロトコル(PDCP)構成、サービス品質(QoS)プロファイル、インターネットプロトコル(IP)アドレス、および前記グループベアラの前記タイプの少なくとも1つを含む、請求項24に記載の方法。
【請求項２７】
前記グループベアラパラメータが、グループ非連続受信(DRX)構成を含み、前記方法が、前記グループベアラがアクティブ化されているとき、前記グループDRX構成に基づいて前記マルチキャスト/ブロードキャストデータ送信をUEの前記セットに送信するステップをさらに含む、請求項24に記載の方法。
【請求項２８】
前記グループベアラを介して、マルチキャスト/ブロードキャストデータ送信パケットをUEの前記セットに送るステップと、
前記マルチキャスト/ブロードキャストデータ送信パケットを復号することが可能ではないUEの前記セット中の各UEから、否定的な確認応答(ACK)(NACK)を受信するステップとをさらに含み、
ACKが、前記マルチキャスト/ブロードキャストデータ送信パケットを復号することが可能であるUEの前記セット中のUEから受信されない、請求項21に記載の方法。
【請求項２９】
各NACKがPUCCHフォーマット1メッセージにおいて受信される、請求項28に記載の方法。
【請求項３０】
各NACKがUEの前記セット中の各UEによって共有される同じリソースにおいて受信され、前記リソースが、前記マルチキャスト/ブロードキャストデータ送信をスケジュールするために使用される物理ダウンリンク制御チャネル(PDCCH)と関連付けられる、請求項28に記載の方法。
【請求項３１】
前記グループベアラの前記タイプがハイブリッドまたは接続であると決定され、前記方法が、無線リソース制御(RRC)接続モードにあるUEの前記セット中のUEからチャネル品質インジケータ(CQI)フィードバックを受信するステップをさらに含む、請求項21に記載の方法。
【請求項３２】
前記受信されたCQIに基づいて変調およびコーディング方式(MCS)を決定するステップと、
前記決定されたMCSに基づいて前記マルチキャスト/ブロードキャストデータ送信を送信するステップとをさらに含む、請求項31に記載の方法。
【請求項３３】
前記MCSが最低の受信されたCQIに基づいて決定される、請求項32に記載の方法。
【請求項３４】
前記UEから受信されたCQIフィードバックまたは測定報告の少なくとも1つに基づいて、UEの前記セット中の各UEのためのチャネル品質インジケータ(CQI)フィードバック構成を決定するステップと、
前記決定されたCQIフィードバック構成を各UEに送るステップと、
前記提供されたCQIフィードバック構成に基づいて、UEの前記セット中の各UEからCQIフィードバックを受信するステップとをさらに含む、請求項31に記載の方法。
【請求項３５】
マルチキャスト/ブロードキャストデータ送信パケットを送るステップと、
前記マルチキャスト/ブロードキャストデータ送信パケットを復号することが可能ではないときは前記CQIフィードバックを送り、前記マルチキャスト/ブロードキャストデータ送信パケットを復号することが可能であるときは前記CQIフィードバックを送るのを控えるように、UEの前記セット中のUEを構成するステップとをさらに含む、請求項31に記載の方法。
【請求項３６】
CQIしきい値をUEの前記セット中のUEに送るステップと、
マルチキャスト/ブロードキャストデータ送信パケットを送るステップと、
CQIが前記CQIしきい値より小さいときは前記CQIフィードバックを送り、CQIが前記CQIしきい値より大きいときは前記CQIフィードバックを送るのを控えるように、UEの前記セット中のUEを構成するステップとをさらに含む、請求項31に記載の方法。
【請求項３７】
CQIリソースおよびACK/NACKリソース上でNACKを確認するステップをさらに含み、前記ACK/NACKリソースが、前記マルチキャスト/ブロードキャストデータ送信をスケジュールするために使用される物理ダウンリンク制御チャネル(PDCCH)と関連付けられる、請求項31に記載の方法。
【請求項３８】
前記マルチキャスト/ブロードキャストデータ送信を送るステップと、
前記マルチキャスト/ブロードキャストデータ送信に関して、否定的な確認応答(NACK)を受信するステップと、
ネットワークコーディング自動再送要求(NC-ARQ)に基づいて、前記マルチキャスト/ブロードキャストデータ送信を再送信するステップとをさらに含む、請求項21に記載の方法。
【請求項３９】
ランク1送信を介して、前記マルチキャスト/ブロードキャストデータ送信を送るステップをさらに含む、請求項21に記載の方法。
【請求項４０】
前記マルチキャスト/ブロードキャストデータ送信が、空間周波数ブロック符号(SFBC)ダイバーシティ方式、またはSFBCおよび周波数切替送信ダイバーシティ(FSTD)ダイバーシティ方式の1つを利用することによって送られる、請求項38に記載の方法。
【請求項４１】
マルチユーザ多入力多出力(MU-MIMO)を介して、前記マルチキャスト/ブロードキャストデータ送信をUEの前記セットに送るステップをさらに含む、請求項21に記載の方法。
【請求項４２】
プッシュツートーク(PTT)/プッシュツーエブリシング(PTX)通信の方法であって、
ユーザ機器(UE)のセットのためのPTT/PTXメッセージを受信するステップと、
前記PTT/PTXメッセージまたはUEの前記セットの少なくとも1つに基づいて、ユニキャストベアラ、グループベアラ、またはマルチメディアブロードキャストマルチキャストサービス(MBMS)ベアラの1つを確立するステップと、
前記確立されたベアラを介してUEの前記セットへ前記PTT/PTXメッセージを送るステップとを含む、方法。
【請求項４３】
UEの前記セット中のUEのベアラ能力、UEの前記セット中のUEの数、ファイル修復が前記PTT/PTX通信のために必要とされるかどうか、前記PTT/PTX通信のタイプ、または前記PTT/PTX通信の重要性の少なくとも1つに基づいて、前記ユニキャストベアラを確立するか、前記グループベアラを確立するか、または前記MBMSベアラを確立するかを決定するステップをさらに含む、請求項42に記載の方法。
【請求項４４】
グループベアラを介してマルチキャスト/ブロードキャストデータ送信を受信するための、ユーザ機器(UE)である装置であって、
前記グループベアラのタイプを含むページングメッセージを受信するための手段と、
前記ページングメッセージにおいて受信された前記グループベアラの前記タイプに基づいて、無線リソース制御(RRC)アイドルモードにとどまり、もしくは変更するか、またはRRC接続モードにとどまり、もしくは変更するかを決定するための手段とを含む、装置。
【請求項４５】
前記グループベアラの前記タイプが、アイドル、ハイブリッド、または接続の1つである、請求項44に記載の装置。
【請求項４６】
RRCアイドルモードにとどまり、もしくは変更するか、またはRRC接続モードにとどまり、もしくは変更するかを決定するための前記手段がさらに、前記グループベアラの前記タイプがハイブリッドであるとき、受信信号品質、前記UEの移動性、または前記マルチキャスト/ブロードキャストデータ送信の遅延要件の少なくとも1つに基づく、請求項45に記載の装置。
【請求項４７】
前記ページングメッセージがさらにグループ識別子を含み、前記装置が、前記UEが前記グループ識別子と関連付けられる場合、グループベアラパラメータを受信するための手段をさらに含む、請求項44に記載の装置。
【請求項４８】
前記ページングメッセージがさらに、グループ無線ネットワーク一時識別子(G-RNTI)を含み、前記装置が、前記G-RNTIに基づいて前記受信されたグループベアラパラメータをデスクランブルするための手段をさらに含む、請求項47に記載の装置。
【請求項４９】
前記グループベアラパラメータが、ベアラ識別子、前記グループ識別子、前記G-RNTI、ターゲットUEのリスト、無線リンク制御(RLC)/パケットデータコンバージェンスプロトコル(PDCP)構成、サービス品質(QoS)プロファイル、インターネットプロトコル(IP)アドレス、および前記グループベアラの前記タイプの少なくとも1つを含む、請求項47に記載の装置。
【請求項５０】
前記グループベアラパラメータが、グループ非連続受信(DRX)構成を含み、前記装置が、前記グループベアラがアクティブ化されているとき、前記グループDRX構成に基づいて前記マルチキャスト/ブロードキャストデータ送信を受信するための手段をさらに含む、請求項47に記載の装置。
【請求項５１】
前記グループベアラを介して、マルチキャスト/ブロードキャストデータ送信パケットを受信するための手段と、
前記マルチキャスト/ブロードキャストデータ送信パケットを復号することを試みるための手段と、
前記マルチキャスト/ブロードキャストデータ送信パケットを復号することが可能ではないときに否定的な確認応答(ACK)(NACK)を送るための手段と、
前記マルチキャスト/ブロードキャストデータ送信パケットを復号することが可能であるときにACKを送るのを控えるための手段とをさらに含む、請求項44に記載の装置。
【請求項５２】
前記NACKがPUCCHフォーマット1メッセージにおいて送られる、請求項51に記載の装置。
【請求項５３】
前記UEが、前記NACKと同時にチャネル品質インジケータ(CQI)フィードバックを送信することをスケジュールされない、請求項52に記載の装置。
【請求項５４】
前記NACKが他のUEによって共有される同じリソースにおいて送られ、前記リソースが、前記マルチキャスト/ブロードキャストデータ送信をスケジュールするために使用される物理ダウンリンク制御チャネル(PDCCH)と関連付けられる、請求項51に記載の装置。
【請求項５５】
前記グループベアラの前記タイプがハイブリッドまたは接続であり、前記装置が、前記RRC接続モードにとどまる、または変更すると決定するための手段をさらに含む、請求項44に記載の装置。
【請求項５６】
チャネル品質インジケータ(CQI)フィードバック構成を受信するための手段であって、前記CQIフィードバック構成が以前に提供されたCQIフィードバックまたは測定報告に基づく、手段と、
前記CQIフィードバック構成に基づいてCQIフィードバックを送るための手段とをさらに含む、請求項55に記載の装置。
【請求項５７】
マルチキャスト/ブロードキャストデータ送信パケットを受信するための手段と、
前記マルチキャスト/ブロードキャストデータ送信パケットを復号することを試みるための手段と、
前記マルチキャスト/ブロードキャストデータ送信パケットを復号することが可能ではないときにチャネル品質インジケータ(CQI)フィードバックを送るための手段と、
前記マルチキャスト/ブロードキャストデータ送信パケットを復号することが可能であるときに前記CQIフィードバックを送るのを控えるための手段とをさらに含む、請求項55に記載の装置。
【請求項５８】
チャネル品質インジケータ(CQI)フィードバックを決定するための手段と、
前記CQIフィードバックがCQIしきい値より小さいときに前記CQIフィードバックを送るための手段と、
前記CQIフィードバックが前記CQIしきい値より大きいときに前記CQIフィードバックを送るのを控えるための手段とをさらに含む、請求項55に記載の装置。
【請求項５９】
物理ダウンリンク制御チャネル(PDCCH)またはレイヤ3メッセージの1つを介して前記CQIしきい値を受信するための手段をさらに含む、請求項58に記載の装置。
【請求項６０】
発展型ノードB(eNB)から前記マルチキャスト/ブロードキャストデータ送信を受信するための手段と、
前記受信されたマルチキャスト/ブロードキャストデータ送信を復号することに失敗すると、否定的な確認応答(NACK)を送るための手段と、
ネットワークコーディング自動再送要求(NC-ARQ)に基づいて、前記マルチキャスト/ブロードキャストデータ送信の再送信を受信するための手段とをさらに含む、請求項44に記載の装置。
【請求項６１】
発展型ノードB(eNB)からのランク1送信を介して、前記マルチキャスト/ブロードキャストデータ送信を受信するための構成を受信するための手段をさらに含む、請求項44に記載の装置。
【請求項６２】
空間周波数ブロック符号(SFBC)ダイバーシティ方式、またはSFBCおよび周波数切替送信ダイバーシティ(FSTD)ダイバーシティ方式の1つに基づいて、チャネル品質インジケータ(CQI)フィードバックを決定するための手段と、
前記CQIを前記eNBに送るための手段とをさらに含む、請求項61に記載の装置。
【請求項６３】
発展型ノードB(eNB)からマルチユーザ多入力多出力(MU-MIMO)を介して前記マルチキャスト/ブロックデータ送信を受信するための構成を受信するための手段と、
チャネル品質インジケータ(CQI)フィードバックおよびプリコーディング行列インジケータ(PMI)を決定するための手段と、
前記決定されたCQIおよびPMIを前記eNBに送るための手段とをさらに含む、請求項44に記載の装置。
【請求項６４】
グループベアラを介してマルチキャスト/ブロードキャストデータ送信を提供するための、発展型ノードB(eNB)である装置であって、
前記グループベアラのタイプを決定するための手段と、
前記グループベアラの前記タイプを含むページングメッセージを、ユーザ機器(UE)のセットに送るための手段とを含む、装置。
【請求項６５】
前記グループベアラの前記タイプが、アイドル、ハイブリッド、または接続の1つであるとして決定される、請求項64に記載の装置。
【請求項６６】
前記マルチキャスト/ブロードキャストデータ送信のタイプ、前記マルチキャスト/ブロードキャストデータ送信の重要性、またはUEの前記セット中のUEの数の少なくとも1つを決定するための手段をさらに含み、前記グループベアラの前記タイプが、前記マルチキャスト/ブロードキャストデータ送信の前記タイプ、前記マルチキャスト/ブロードキャストデータ送信の前記重要性、またはUEの前記セット中のUEの前記数に基づいて決定される、請求項64に記載の装置。
【請求項６７】
前記ページングメッセージがさらに、UEの前記セットと関連付けられるグループ識別子を含み、前記装置が、グループベアラパラメータをUEの前記セットに送るための手段をさらに含む、請求項64に記載の装置。
【請求項６８】
前記ページングメッセージがさらに、グループ無線ネットワーク一時識別子(G-RNTI)を含み、前記装置が、前記G-RNTIに基づいて前記グループベアラパラメータをスクランブルするための手段をさらに含む、請求項67に記載の装置。
【請求項６９】
前記グループベアラパラメータが、ベアラ識別子、前記グループ識別子、前記G-RNTI、UEの前記セット中のUEのリスト、無線リンク制御(RLC)/パケットデータコンバージェンスプロトコル(PDCP)構成、サービス品質(QoS)プロファイル、インターネットプロトコル(IP)アドレス、および前記グループベアラの前記タイプの少なくとも1つを含む、請求項67に記載の装置。
【請求項７０】
前記グループベアラパラメータが、グループ非連続受信(DRX)構成を含み、前記装置が、前記グループベアラがアクティブ化されているとき、前記グループDRX構成に基づいて前記マルチキャスト/ブロードキャストデータ送信をUEの前記セットに送信するための手段をさらに含む、請求項67に記載の装置。
【請求項７１】
前記グループベアラを介して、マルチキャスト/ブロードキャストデータ送信パケットをUEの前記セットに送るための手段と、
前記マルチキャスト/ブロードキャストデータ送信パケットを復号することが可能ではないUEの前記セット中の各UEから、否定的な確認応答(ACK)(NACK)を受信するための手段とをさらに含み、
ACKが、前記マルチキャスト/ブロードキャストデータ送信パケットを復号することが可能であるUEの前記セット中のUEから受信されない、請求項64に記載の装置。
【請求項７２】
各NACKがPUCCHフォーマット1メッセージにおいて受信される、請求項71に記載の装置。
【請求項７３】
各NACKがUEの前記セット中の各UEによって共有される同じリソースにおいて受信され、前記リソースが、前記マルチキャスト/ブロードキャストデータ送信をスケジュールするために使用される物理ダウンリンク制御チャネル(PDCCH)と関連付けられる、請求項71に記載の装置。
【請求項７４】
前記グループベアラの前記タイプがハイブリッドまたは接続であると決定され、前記装置が、無線リソース制御(RRC)接続モードにあるUEの前記セット中のUEからチャネル品質インジケータ(CQI)フィードバックを受信するための手段をさらに含む、請求項64に記載の装置。
【請求項７５】
前記受信されたCQIに基づいて変調およびコーディング方式(MCS)を決定するための手段と、
前記決定されたMCSに基づいて前記マルチキャスト/ブロードキャストデータ送信を送信するための手段とをさらに含む、請求項74に記載の装置。
【請求項７６】
前記MCSが最低の受信されたCQIに基づいて決定される、請求項75に記載の装置。
【請求項７７】
前記UEから受信されたCQIフィードバックまたは測定報告の少なくとも1つに基づいて、UEの前記セット中の各UEのためのチャネル品質インジケータ(CQI)フィードバック構成を決定するための手段と、
前記決定されたCQIフィードバック構成を各UEに送るための手段と、
前記提供されたCQIフィードバック構成に基づいて、UEの前記セット中の各UEからCQIフィードバックを受信するための手段とをさらに含む、請求項74に記載の装置。
【請求項７８】
マルチキャスト/ブロードキャストデータ送信パケットを送信するための手段と、
前記マルチキャスト/ブロードキャストデータ送信パケットを復号することが可能ではないときは前記CQIフィードバックを送り、前記マルチキャスト/ブロードキャストデータ送信パケットを復号することが可能であるときは前記CQIフィードバックを送るのを控えるように、UEの前記セット中のUEを構成するための手段とをさらに含む、請求項74に記載の装置。
【請求項７９】
CQIしきい値をUEの前記セット中のUEに送るための手段と、
マルチキャスト/ブロードキャストデータ送信パケットを送信するための手段と、
CQIが前記CQIしきい値より小さいときは前記CQIフィードバックを送り、CQIが前記CQIしきい値より大きいときは前記CQIフィードバックを送るのを控えるように、UEの前記セット中のUEを構成するための手段とをさらに含む、請求項74に記載の装置。
【請求項８０】
CQIリソースおよびACK/NACKリソース上でNACKを確認するための手段をさらに含み、前記ACK/NACKリソースが、前記マルチキャスト/ブロードキャストデータ送信をスケジュールするために使用される物理ダウンリンク制御チャネル(PDCCH)と関連付けられる、請求項74に記載の装置。
【請求項８１】
前記マルチキャスト/ブロードキャストデータ送信を送るための手段と、
前記マルチキャスト/ブロードキャストデータ送信に関して、否定的な確認応答(NACK)を受信するための手段と、
ネットワークコーディング自動再送要求(NC-ARQ)に基づいて、前記マルチキャスト/ブロードキャストデータ送信を再送信するための手段とをさらに含む、請求項64に記載の装置。
【請求項８２】
ランク1送信を介して、前記マルチキャスト/ブロードキャストデータ送信を送るための手段をさらに含む、請求項64に記載の装置。
【請求項８３】
前記マルチキャスト/ブロードキャストデータ送信が、空間周波数ブロック符号(SFBC)ダイバーシティ方式、またはSFBCおよび周波数切替送信ダイバーシティ(FSTD)ダイバーシティ方式の1つを利用することによって送られる、請求項81に記載の装置。
【請求項８４】
マルチユーザ多入力多出力(MU-MIMO)を介して、前記マルチキャスト/ブロードキャストデータ送信をUEの前記セットに送るための手段をさらに含む、請求項64に記載の装置。
【請求項８５】
プッシュツートーク(PTT)/プッシュツーエブリシング(PTX)通信のための装置であって、
ユーザ機器(UE)のセットのためのPTT/PTXメッセージを受信するための手段と、
前記PTT/PTXメッセージまたはUEの前記セットの少なくとも1つに基づいて、ユニキャストベアラ、グループベアラ、またはマルチメディアブロードキャストマルチキャストサービス(MBMS)ベアラの1つを確立するための手段と、
前記確立されたベアラを介してUEの前記セットへ前記PTT/PTXメッセージを送るための手段とを含む、装置。
【請求項８６】
UEの前記セット中のUEのベアラ能力、UEの前記セット中のUEの数、ファイル修復が前記PTT/PTX通信のために必要とされるかどうか、前記PTT/PTX通信のタイプ、または前記PTT/PTX通信の重要性の少なくとも1つに基づいて、前記ユニキャストベアラを確立するか、前記グループベアラを確立するか、または前記MBMSベアラを確立するかを決定するための手段をさらに含む、請求項85に記載の装置。
【請求項８７】
グループベアラを介してマルチキャスト/ブロードキャストデータ送信を受信するための、ユーザ機器(UE)である装置であって、
前記グループベアラのタイプを含むページングメッセージを受信し、
前記ページングメッセージにおいて受信される前記グループベアラの前記タイプに基づいて、無線リソース制御(RRC)アイドルモードにとどまり、もしくは変更するか、またはRRC接続モードにとどまり、もしくは変更するかを決定する
ように構成される処理システムを含む、装置。
【請求項８８】
グループベアラを介してマルチキャスト/ブロードキャストデータ送信を提供するための、発展型ノードB(eNB)である装置であって、
前記グループベアラのタイプを決定し、
前記グループベアラの前記タイプを含むページングメッセージを、ユーザ機器(UE)のセットに送る
ように構成される処理システムを含む、装置。
【請求項８９】
プッシュツートーク(PTT)/プッシュツーエブリシング(PTX)通信のための装置であって、
ユーザ機器(UE)のセットのためのPTT/PTXメッセージを受信し、
前記PTT/PTXメッセージまたはUEの前記セットの少なくとも1つに基づいて、ユニキャストベアラ、グループベアラ、またはマルチメディアブロードキャストマルチキャストサービス(MBMS)ベアラの1つを確立し、
前記確立されたベアラを介してUEの前記セットへ前記PTT/PTXメッセージを送る
ように構成される処理システムを含む、装置。
【請求項９０】
ユーザ機器(UE)の中でグループベアラを介してマルチキャスト/ブロードキャストデータ送信を受信するためのコンピュータプログラムであって、
前記グループベアラのタイプを含むページングメッセージを受信し、
前記ページングメッセージにおいて受信される前記グループベアラの前記タイプに基づいて、無線リソース制御(RRC)アイドルモードにとどまり、もしくは変更するか、またはRRC接続モードにとどまり、もしくは変更するかを決定する
ためのコードを含む、コンピュータプログラム。
【請求項９１】
発展型ノードB(eNB)の中でグループベアラを介してマルチキャスト/ブロードキャストデータ送信を提供するためのコンピュータプログラムであって、
前記グループベアラのタイプを決定し、
前記グループベアラの前記タイプを含むページングメッセージを、ユーザ機器(UE)のセットに送る
ためのコードを含む、コンピュータプログラム。
【請求項９２】
プッシュツートーク(PTT)/プッシュツーエブリシング(PTX)通信のためのコンピュータプログラムであって、
ユーザ機器(UE)のセットのためのPTT/PTXメッセージを受信し、
前記PTT/PTXメッセージまたはUEの前記セットの少なくとも1つに基づいて、ユニキャストベアラ、グループベアラ、またはマルチメディアブロードキャストマルチキャストサービス(MBMS)ベアラの1つを確立し、
前記確立されたベアラを介してUEの前記セットへ前記PTT/PTXメッセージを送る
ためのコードを含む、コンピュータプログラム。
【発明の詳細な説明】
【技術分野】
【０００１】
関連出願の相互参照
本出願は、参照によりその全体が本明細書に明確に組み込まれる、2013年4月18日に出願された「MBMS BEARER ENHANCEMENTS FOR PUSH TO TALK OR PUSH TO EVERYTHING VIA EMBMS」と題するPCT出願第PCT/CN2013/074360号の利益を主張する。
【０００２】
本開示は、一般に、通信システムに関し、より詳細には、マルチキャスト/ブロードキャストデータ送信のためのグループベアラおよびベアラ選択に関する。
【背景技術】
【０００３】
電話、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって、複数のユーザとの通信をサポートすることが可能な多元接続技術を利用することができる。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、様々なワイヤレスデバイスが自治体、国家、地域、さらには地球規模で通信することを可能にする共通プロトコルを提供するために、様々な電気通信規格において採用されている。新興の電気通信規格の一例は、Long Term Evolution(LTE)である。LTEは、第3世代パートナーシッププロジェクト(3GPP)によって公表されたUniversal Mobile Telecommunications System(UMTS)のモバイル規格に対する拡張セットである。LTEは、スペクトル効率を改善することによってモバイルブロードバンドインターネットアクセスをより良くサポートすること、コストを下げること、サービスを改善すること、新しいスペクトルを利用すること、ならびに、ダウンリンク(DL)上のOFDMA、アップリンク(UL)上のSC-FDMA、および多入力多出力(MIMO)アンテナ技術を使用して、他のオープン規格とより良く統合することを行うように設計されている。しかしながら、モバイルブロードバンドアクセスに対する需要が増加し続けるのに伴い、LTE技術のさらなる改善が必要である。好ましくは、これらの改善は、他の多元接続技術、およびこれらの技術を利用する遠隔通信規格に適用可能であるべきである。
【発明の概要】
【課題を解決するための手段】
【０００５】
本開示の一態様では、方法、コンピュータプログラム製品、および装置が提供される。装置は、グループベアラを介してマルチキャスト/ブロードキャストデータ送信を受信する、ユーザ機器(UE)であり得る。UEは、グループベアラのタイプを含むページングメッセージを受信する。加えて、UEは、ページングメッセージにおいて受信されたグループベアラのタイプに基づいて、無線リソース制御(RRC)アイドルモードにとどまり、もしくは変更するか、またはRRC接続モードにとどまり、もしくは変更するかを決定する。
【０００６】
本開示の一態様では、方法、コンピュータプログラム製品、および装置が提供される。装置は、グループベアラを介してマルチキャスト/ブロードキャストデータ送信を提供する、発展型ノードB(eNB)であり得る。eNBは、グループベアラのタイプを決定する。加えて、eNBは、グループベアラのタイプを含むページングメッセージを、UEのセットに送る。
【０００７】
本開示の一態様では、方法、コンピュータプログラム製品、および装置が提供される。装置は、PTT/PTX通信のためのベアラのタイプを決定し、そのベアラを確立する。装置は、UEのセットのためのPTT/PTXメッセージを受信する。装置は、PTT/PTXメッセージまたはUEのセットの少なくとも1つに基づいて、ユニキャストベアラ、グループベアラ、またはマルチメディアブロードキャストマルチキャストサービス(MBMS)ベアラのうちの1つを確立する。装置は、確立されたベアラを介してUEのセットへPTT/PTXメッセージを送る。
【図面の簡単な説明】
【０００８】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーン用の無線プロトコルアーキテクチャの一例を示す図である。
【図６】アクセスネットワーク中の発展型ノードBおよびユーザ機器の一例を示す図である。
【図７Ａ】マルチキャストブロードキャスト単一周波数ネットワーク(SFN)(MBSFN)中の発展型マルチメディアブロードキャストマルチキャストサービス(MBMS)(eMBMS)のチャネル構成の例を示す図である。
【図７Ｂ】マルチキャストチャネルスケジューリング情報メディアアクセス制御要素のフォーマットを示す図である。
【図７Ｃ】MBMSサービスエリア内のMBSFNエリアにわたるMBMSを示す図である。
【図８】マルチキャストブロードキャストサービスエリア/MBSFNエリアを適応的に構成するための例示的な方法を示すための図である。
【図９】マルチキャストブロードキャストサービスエリア/MBSFNエリアを適応的に構成するための第1の例示的なアーキテクチャを示す図である。
【図１０】適応的なMBSFNのための第1の例示的なシグナリング設計を示す図である。
【図１１】適応的なMBSFNのための第2の例示的なシグナリング設計を示す図である。
【図１２】マルチキャストブロードキャストサービスエリア/MBSFNエリアを適応的に構成するための第2の例示的なアーキテクチャを示す図である。
【図１３】適応的なMBSFNのための第3の例示的なシグナリング設計を示す図である。
【図１４】eMBMSを介したPTT/PTXを示す図である。
【図１５】MBMSベアラを使用した第1の呼のフローを示す図である。
【図１６】MBMSベアラを使用した第2の呼のフローを示す図である。
【図１７】第1の並行した呼設定を示す図である。
【図１８】第2の並行した呼設定を示す図である。
【図１９】PTT/PTXのためのMBMSベアラに関するセキュリティエンハンスメントを示すための図である。
【図２０】ワイヤレス通信の第1の方法のフローチャートである。
【図２１】第1の例示的な装置の中の様々なモジュール/手段/構成要素間のデータフローを示す概念的なデータフロー図である。
【図２２】処理システムを利用する第1の例示的な装置についてのハードウェア実装形態の一例を示す図である。
【図２３】ワイヤレス通信の第2の方法のフローチャートである。
【図２４】第2の例示的な装置の中の様々なモジュール/手段/構成要素間のデータフローを示す概念的なデータフロー図である。
【図２５】処理システムを利用する第2の例示的な装置についてのハードウェア実装形態の一例を示す図である。
【図２６】ワイヤレス通信の第3の方法のフローチャートである。
【図２７】第3の例示的な装置の中の様々なモジュール/手段/構成要素間のデータフローを示す概念的なデータフロー図である。
【図２８】処理システムを利用する第3の例示的な装置についてのハードウェア実装形態の一例を示す図である。
【図２９】ワイヤレス通信の第4の方法のフローチャートである。
【図３０】第4の例示的な装置の中の様々なモジュール/手段/構成要素間のデータフローを示す概念的なデータフロー図である。
【図３１】処理システムを利用する第4の例示的な装置についてのハードウェア実装形態の一例を示す図である。
【図３２】ユニキャストベアラ、グループベアラ、およびMBMSベアラを介したPTT/PTXを示す図である。
【図３３】グループベアラ確立手順を示す図である。
【図３４】グループベアラを介してマルチキャスト/ブロードキャストデータ送信を受信するUEの方法のフローチャートである。
【図３５】第5の例示的な装置の中の様々なモジュール/手段/構成要素間のデータフローを示す概念的なデータフロー図である。
【図３６】処理システムを利用する第5の例示的な装置についてのハードウェア実装形態の一例を示す図である。
【図３７】グループベアラを介してマルチキャスト/ブロードキャストデータ送信を提供するeNBの方法のフローチャートである。
【図３８】第6の例示的な装置の中の様々なモジュール/手段/構成要素間のデータフローを示す概念的なデータフロー図である。
【図３９】処理システムを利用する第6の例示的な装置についてのハードウェア実装形態の一例を示す図である。
【図４０】PTT/PTX通信の方法のフローチャートである。
【図４１】第7の例示的な装置の中の様々なモジュール/手段/構成要素間のデータフローを示す概念的なデータフロー図である。
【図４２】処理システムを利用する第7の例示的な装置についてのハードウェア実装形態の一例を示す図である。
【発明を実施するための形態】
【０００９】
添付の図面に関して以下に記載する詳細な説明は、様々な構成の説明として意図されており、本明細書に記載される概念が実施され得る唯一の構成を表すことを意図していない。詳細な説明は、様々な概念の完全な理解をもたらす目的で、具体的な詳細を含んでいる。しかし、これらの概念がこれらの具体的な詳細なしに実践され得ることが、当業者には明らかであろう。場合によっては、そのような概念を曖昧にするのを回避する目的で、周知の構造および構成要素がブロック図の形式で示される。
【００１０】
次に、電気通信システムのいくつかの態様が、様々な装置および方法を参照して提示される。これらの装置および方法は、以下の発明を実施するための形態で説明され、様々なブロック、モジュール、コンポーネント、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装され得る。そのような要素をハードウェアとして実装するか、またはソフトウェアとして実装するかは、具体的な適用例およびシステム全体に課された設計制約に依存する。
【００１１】
例として、要素、もしくは要素の任意の部分、または要素の任意の組合せは、1つまたは複数のプロセッサを含む「処理システム」で実装され得る。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するように広く解釈されるべきである。
【００１２】
したがって、1つまたは複数の例示的な実施形態では、記載される機能は、ハードウェア、ソフトウェア、ファームウェア、またはそれらの任意の組合せに実装することができる。ソフトウェアに実装される場合、機能は、コンピュータ可読媒体上の1つまたは複数の命令またはコードとして、記憶または符号化することができる。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。本明細書で使用する場合、ディスク(disk)およびディスク(disc)は、コンパクトディスク(CD)、レーザーディスク（登録商標）、光ディスク、デジタル多用途ディスク(DVD)、およびフロッピー（登録商標）ディスクを含んでおり、ディスク(disk)は、通常、磁気的にデータを再生するが、ディスク(disc)は、レーザーで光学的にデータを再生する。前述の組合せも、コンピュータ可読媒体の範囲内に含まれるべきである。
【００１３】
図1は、LTEネットワークアーキテクチャ100を示す図である。LTEネットワークアーキテクチャ100は、発展型パケットシステム(EPS)100と呼ばれる場合がある。EPS100は、1つまたは複数のユーザ機器(UE)102、発展型UMTS地上波無線アクセスネットワーク(E-UTRAN)104、発展型パケットコア(EPC)110、ホーム加入者サーバ(HSS)120、および事業者のインターネットプロトコル(IP)サービス122を含む場合がある。EPSは、他のアクセスネットワークと相互接続することができるが、簡単にするために、それらのエンティティ/インターフェースは図示されていない。図示のように、EPSはパケット交換サービスを提供するが、当業者が容易に諒解するように、本開示の全体を通して提示される様々な概念は、回線交換サービスを提供するネットワークに拡張され得る。
【００１４】
E-UTRANは、発展型ノードB(eNB)106および他のeNB108を含む。eNB106は、UE102に対してユーザプレーンプロトコル終端および制御プレーンプロトコル終端を提供する。eNB106は、バックホール(たとえば、X2インターフェース)を介して他のeNB108に接続される場合がある。eNB106は、基地局、ノードB、アクセスポイント、トランシーバ基地局、無線基地局、無線トランシーバ、トランシーバ機能、基本サービスセット(BSS)、拡張サービスセット(ESS)、または他の何らかの適切な用語で呼ばれる場合もある。eNB106は、UE102にEPC110へのアクセスポイントを提供する。UE102の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、タブレット、または同様に機能する任意の他のデバイスが含まれる。UE102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００１５】
eNB106はEPC110に接続される。EPC110は、モビリティ管理エンティティ(MME)112、他のMME114、サービングゲートウェイ116、マルチメディアブロードキャストマルチキャストサービス(MBMS)ゲートウェイ124、ブロードキャストマルチキャストサービスセンター(BM-SC)126、およびパケットデータネットワーク(PDN)ゲートウェイ118を含み得る。MME112は、UE102とEPC110との間のシグナリングを処理する制御ノードである。一般に、MME112は、ベアラおよび接続の管理を行う。すべてのユーザIPパケットは、サービングゲートウェイ116を介して転送され、サービングゲートウェイ116自体は、PDNゲートウェイ118に接続される。PDNゲートウェイ118は、UEのIPアドレス割振りおよび他の機能を実現する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含む場合がある。BM-SC126は、MBMSユーザサービスのプロビジョニングおよび送達のための機能を実現することができる。BM-SC126は、コンテンツプロバイダのMBMS送信用のエントリポイントとして働くことができ、PLMN内のMBMSベアラサービスを認証し開始するために使用することができ、MBMS送信をスケジュールし送達するために使用することができる。MBMSゲートウェイ124は、特定のサービスをブロードキャストするMBSFNエリアに属するeNB(たとえば、106、108)に、MBMSトラフィックを配信するために使用することができ、セッション管理(開始/停止)およびeMBMS関連の課金情報を収集することに関与する場合がある。
【００１６】
図2は、LTEネットワークアーキテクチャにおけるアクセスネットワーク200の一例を示す図である。この例では、アクセスネットワーク200は、いくつかのセルラー領域(セル)202に分割される。1つまたは複数の低電力クラスeNB208は、セル202のうちの1つまたは複数と重なるセルラー領域210を有する場合がある。低電力クラスeNB208は、フェムトセル(たとえば、ホームeNB(HeNB))、ピコセル、マイクロセル、またはリモート無線ヘッド(RRH)であり得る。マクロeNB204は、各々がそれぞれのセル202に割り当てられ、セル202内のすべてのUE206にEPC110へのアクセスポイントを提供するように構成される。アクセスネットワーク200のこの例には集中型コントローラは存在しないが、代替構成では集中型コントローラが使用される場合がある。eNB204は、無線ベアラ制御、アドミッション制御、モビリティ制御、スケジューリング、セキュリティ、およびサービングゲートウェイ116への接続を含む、すべての無線関連機能に関与する。eNBは、1つまたは複数(たとえば、3つ)のセル(セクタとも呼ばれる)をサポートし得る。「セル」という用語は、特定のカバレージエリアにサービスしているeNBおよび/またはeNBサブシステムの最小カバレージエリアを意味し得る。さらに、「eNB」、「基地局」、および「セル」という用語は、本明細書では互換的に使用され得る。
【００１７】
アクセスネットワーク200によって用いられる変調方式および多元接続方式は、導入されている特定の電気通信規格に応じて異なり得る。LTEの適用例では、DL上ではOFDMが使用され、UL上ではSC-FDMAが使用されて、周波数分割複信(FDD)と時分割複信(TDD)の両方をサポートする。当業者が以下の発明を実施するための形態から容易に諒解するように、本明細書に提示される様々な概念は、LTEの適用例に好適である。しかしながら、これらの概念は、他の変調技法および多元接続技法を採用する他の電気通信規格に容易に拡張することができる。例として、これらの概念は、Evolution-Data Optimized(EV-DO)またはUltra Mobile Broadband(UMB)に拡張され得る。EV-DOおよびUMBは、CDMA2000規格ファミリーの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を利用するユニバーサル地上波無線アクセス(UTRA)、TDMAを利用するモバイル通信用グローバルシステム(GSM（登録商標）)、ならびにOFDMAを利用する発展型UTRA(E-UTRA)、IEEE802.11(Wi-Fi)、IEEE802.16(WiMAX)、IEEE802.20、およびフラッシュOFDMに拡張することができる。UTRA、E-UTRA、UMTS、LTE、およびGSM（登録商標）については、3GPP団体による文書に記載されている。CDMA2000およびUMBについては、3GPP2団体による文書に記載されている。採用される実際のワイヤレス通信規格および多元接続技術は、特定の適用例およびシステムに課された全体的な設計制約に依存する。
【００１８】
eNB204は、MIMO技術をサポートする複数のアンテナを有する場合がある。MIMO技術を使用すると、eNB204が空間領域を活用して、空間多重化、ビームフォーミング、および送信ダイバーシティをサポートすることが可能になる。空間多重化は、同じ周波数上で同時にデータの様々なストリームを送信するために使用することができる。データストリームは、単一のUE206に送信してデータレートを増大させることができ、または、複数のUE206に送信して全体的なシステム容量を増大させることができる。これは、各データストリームを空間的にプリコーディングし(すなわち、振幅および位相のスケーリングを適用し)、次いで、空間的にプリコーディングされた各ストリームをDL上で複数の送信アンテナを介して送信することによって実現される。空間的にプリコーディングされたデータストリームは、異なる空間シグネチャとともにUE206に到達し、これにより、UE206の各々が、そのUE206に向けられた1つまたは複数のデータストリームを復元することが可能になる。UL上では、各UE206は、空間的にプリコーディングされたデータストリームを送信し、これにより、eNB204が、空間的にプリコーディングされた各データストリームのソースを識別することが可能になる。
【００１９】
空間多重化は、一般に、チャネル状態が良好であるときに使用される。チャネル条件があまり良好でないとき、送信エネルギーを1つまたは複数の方向に集中させるために、ビームフォーミングが使用され得る。これは、複数のアンテナを介した送信のためにデータを空間的にプリコーディングすることによって達成され得る。セルの端部において良好なカバレージを達成するために、単一ストリームのビームフォーミング送信が、送信ダイバーシティと組み合わせて使用され得る。
【００２０】
以下の詳細な説明では、アクセスネットワークの様々な態様について、DL上でOFDMをサポートするMIMOシステムを参照しながら説明する。OFDMは、OFDMシンボル内でいくつかのサブキャリアにわたってデータを変調するスペクトル拡散技法である。サブキャリアは、寸分違わない周波数で間隔があけられる。間隔は、受信機がサブキャリアからのデータを復元することを可能にする「直交性」をもたらす。時間領域では、OFDMシンボル間干渉をなくすために、ガードインターバル(たとえば、サイクリックプレフィックス)を各OFDMシンボルに追加することができる。ULは、SC-FDMAをDFT拡散OFDM信号の形式で使用して、高いピーク対平均電力比(PAPR)を補償することができる。
【００２１】
図3は、LTEにおけるDLフレーム構造の一例を示す図300である。フレーム(10ms)は、等しいサイズの10個のサブフレームに分割することができる。各サブフレームは、連続する2つの時間スロットを含む場合がある。リソースグリッドは、2つの時間スロットを表すために使用することができるが、各時間スロットはリソースブロックを含む。リソースグリッドは、複数のリソース要素に分割される。LTEでは、リソースブロックは、周波数領域における連続する12個のサブキャリアを含み、各OFDMシンボル内の通常のサイクリックプレフィックスの場合、時間領域における連続する7個のOFDMシンボル、すなわち84個のリソース要素を含む。拡張サイクリックプレフィックスの場合、リソースブロックは、時間領域内の連続する6つのOFDMシンボルを含み、72個のリソース要素を有する。R302、R304として示されたリソース要素のうちのいくつかは、DL基準信号(DL-RS)を含む。DL-RSは、(共通RSと呼ばれることもある)セル固有RS(CRS)302、およびUE固有RS(UE-RS)304を含む。UE-RS304は、対応する物理DL共有チャネル(PDSCH)がマッピングされるリソースブロック上のみで送信される。各リソース要素によって搬送されるビット数は、変調方式に依存する。したがって、UEが受信するリソースブロックが多いほど、かつ変調方式が高いほど、UE向けのデータレートは高くなる。
【００２２】
図4は、LTEにおけるULフレーム構造の一例を示す図400である。ULに利用可能なリソースブロックは、データセクションおよび制御セクションに区分化される場合がある。制御セクションは、システム帯域幅の2つの縁部に形成される場合があり、構成可能なサイズを有する場合がある。制御セクション内のリソースブロックは、制御情報を送信するためにUEに割り当てられる場合がある。データセクションは、制御セクションに含まれないすべてのリソースブロックを含む場合がある。このULフレーム構造により、データセクションは連続するサブキャリアを含むことになり、これにより、単一のUEが、データセクション内の連続するサブキャリアのすべてを割り当てられることが可能になり得る。
【００２３】
UEは、制御情報をeNBに送信するために、制御セクション内のリソースブロック410a、410bを割り当てられる場合がある。UEはまた、データをeNBに送信するために、データセクション内のリソースブロック420a、420bを割り当てられる場合がある。UEは、制御セクション内の割り当てられたリソースブロック上の物理UL制御チャネル(PUCCH)内で、制御情報を送信することができる。UEは、データセクション内の割り当てられたリソースブロック上の物理UL共有チャネル(PUSCH)内で、データのみ、またはデータと制御情報の両方を送信することができる。UL送信は、サブフレームの両方のスロットにまたがる場合があり、周波数にわたってホッピングする場合がある。
【００２４】
1組のリソースブロックは、初期システムアクセスを実行し、物理ランダムアクセスチャネル(PRACH)430内でUL同期を実現するために使用される場合がある。PRACH430は、ランダムシーケンスを搬送し、いかなるULデータ/シグナリングも搬送できない。各ランダムアクセスプリアンブルは、連続する6個のリソースブロックに対応する帯域幅を占有する。開始周波数は、ネットワークによって指定される。すなわち、ランダムアクセスプリアンブルの送信は、ある特定の時間リソースおよび周波数リソースに制限される。PRACHの場合、周波数ホッピングは存在しない。PRACHの試行は、単一のサブフレーム(1ms)内で、または少数の隣接するサブフレームのシーケンス内で搬送され、UEは、フレーム(10ms)当たり単一のPRACHの試行しか行うことができない。
【００２５】
図5は、LTEにおけるユーザプレーンおよび制御プレーンの無線プロトコルアーキテクチャの例を示す図500である。UEおよびeNBの無線プロトコルアーキテクチャは、レイヤ1、レイヤ2、およびレイヤ3という3つのレイヤで示される。レイヤ1(L1レイヤ)は最下位レイヤであり、様々な物理レイヤ信号処理機能を実装する。本明細書では、L1レイヤは物理レイヤ506と呼ばれる。レイヤ2(L2レイヤ)508は物理レイヤ506の上にあり、物理レイヤ506を介したUEとeNBとの間のリンクに関与する。
【００２６】
ユーザプレーンでは、L2レイヤ508は、媒体アクセス制御(MAC)サブレイヤ510、無線リンク制御(RLC)サブレイヤ512、およびパケットデータコンバージェンスプロトコル(PDCP)514サブレイヤを含み、これらはネットワーク側のeNBで終端する。図示されていないが、UEは、L2レイヤ508の上にいくつかの上位レイヤを有する場合があり、これらは、ネットワーク側のPDNゲートウェイ118で終端するネットワークレイヤ(たとえば、IPレイヤ)と、接続の他端(たとえば、遠端UE、サーバなど)で終端するアプリケーションレイヤとを含む。
【００２７】
PDCPサブレイヤ514は、様々な無線ベアラと論理チャネルとの間の多重化を実現する。PDCPサブレイヤ514はまた、無線送信のオーバーヘッドを低減する上位レイヤのデータパケット用のヘッダ圧縮、データパケットを暗号化することによるセキュリティ、およびeNB間のUE用のハンドオーバのサポートを実現する。RLCサブレイヤ512は、上位レイヤのデータパケットのセグメント化および再アセンブリ、紛失したデータパケットの再送信、ならびに、ハイブリッド自動再送要求(ARQ)による順序の狂った受信を補償するデータパケットの並べ替えを実現する。MACサブレイヤ510は、論理チャネルとトランスポートチャネルとの間の多重化を実現する。MACサブレイヤ510はまた、1つのセルの中の様々な無線リソース(たとえば、リソースブロック)をUEの間で割り振ることに関与する。MACサブレイヤ510はまた、HARQ動作を受け持つ。
【００２８】
制御プレーンでは、UEおよびeNB用の無線プロトコルアーキテクチャは、制御プレーン用のヘッダ圧縮機能がないことを除き、物理レイヤ506およびL2レイヤ508について実質的に同じである。制御プレーンはまた、レイヤ3(L3レイヤ)内に無線リソース制御(RRC)サブレイヤ516を含む。RRCサブレイヤ516は、無線リソース(たとえば、無線ベアラ)を取得すること、および、eNBとUEとの間のRRCシグナリングを使用して下位レイヤを構成することを担う。
【００２９】
図6は、アクセスネットワーク中でUE650と通信しているeNB610のブロック図である。DLでは、コアネットワークからの上位レイヤパケットが、コントローラ/プロセッサ675に供給される。コントローラ/プロセッサ675は、L2レイヤの機能性を実装する。DLでは、コントローラ/プロセッサ675は、ヘッダ圧縮、暗号化、パケットのセグメント化および並べ替え、論理チャネルとトランスポートチャネルとの間の多重化、ならびに、様々な優先順位基準に基づくUE650への無線リソース割振りを実現する。コントローラ/プロセッサ675はまた、HARQ動作、紛失したパケットの再送信、およびUE650へのシグナリングに関与する。
【００３０】
送信(TX)プロセッサ616は、L1レイヤ(すなわち、物理レイヤ)のための様々な信号処理機能を実施する。信号処理機能には、UE650での順方向誤り訂正(FEC)を容易にするコーディングおよびインタリービング、ならびに様々な変調方式(たとえば、2位相シフトキーイング(BPSK)、直交位相シフトキーイング(QPSK)、M位相シフトキーイング(M-PSK)、M直交振幅変調(M-QAM))に基づく信号コンスタレーションへのマッピングが含まれる。次いで、コーディングされ変調されたシンボルは、並列ストリームに分割される。次いで、各ストリームは、OFDMサブキャリアにマッピングされ、時間領域および/または周波数領域で基準信号(たとえば、パイロット)と多重化され、次いで、逆高速フーリエ変換(IFFT)を使用して一緒に結合されて、時間領域のOFDMシンボルストリームを搬送する物理チャネルを生成する。OFDMストリームは、空間的にプリコーディングされて、複数の空間ストリームを生成する。チャネル推定器674からのチャネル推定値は、コーディング方式および変調方式を決定するために、ならびに空間処理のために使用される場合がある。チャネル推定値は、UE650によって送信された基準信号および/またはチャネル状態フィードバックから導出される場合がある。次いで、各空間ストリームは、別個の送信機618TXを介して異なるアンテナ620に供給され得る。適用可能ならば、各送信機618TXは、送信用のそれぞれの空間ストリームでRFキャリアを変調し得る。
【００３１】
UE650で、各受信機654RXは、そのそれぞれのアンテナ652を介して信号を受信する。各受信機654RXは、RFキャリア上に変調された情報を復元し、この情報を受信(RX)プロセッサ656に供給する。RXプロセッサ656は、L1レイヤの様々な信号処理機能を実施する。RXプロセッサ656は、情報に対して空間処理を実行して、UE650に宛てられた任意の空間ストリームを復元し得る。複数の空間ストリームがUE650を宛先とする場合、これらは、RXプロセッサ656によって単一のOFDMシンボルストリームに合成することができる。次いで、RXプロセッサ656は、高速フーリエ変換(FFT)を使用して、OFDMシンボルストリームを時間領域から周波数領域に変換する。周波数領域信号は、OFDM信号のサブキャリアごとに別個のOFDMシンボルストリームを含む。各サブキャリア上のシンボル、および基準信号は、eNB610によって送信された最も可能性の高い信号コンスタレーションポイントを決定することによって、復元され復調される。これらの軟判定は、チャネル推定器658によって計算されたチャネル推定値に基づく場合がある。次いで、軟判定は復号されデインタリーブされて、物理チャネル上でeNB610によって元々送信されたデータおよび制御信号を復元する。次いで、データおよび制御信号は、コントローラ/プロセッサ659に供給される。
【００３２】
コントローラ/プロセッサ659は、L2レイヤを実装する。コントローラ/プロセッサは、プログラムコードおよびデータを記憶するメモリ660に関連付けることができる。メモリ660は、コンピュータ可読媒体と呼ばれる場合がある。ULでは、コントローラ/プロセッサ659は、トランスポートチャネルと論理チャネルとの間の逆多重化、パケット再アセンブリ、暗号化解除、ヘッダ圧縮解除、制御信号処理を実現して、コアネットワークからの上位レイヤパケットを復元する。次いで、上位レイヤパケットはデータシンク662に供給され、データシンク662はL2レイヤの上のすべてのプロトコルレイヤを表す。様々な制御信号も、L3処理のためにデータシンク662に提供することができる。コントローラ/プロセッサ659はまた、HARQ動作をサポートするために、確認応答(ACK)および/または否定応答(NACK)のプロトコルを使用する誤り検出に関与する。
【００３３】
ULでは、コントローラ/プロセッサ659に上位レイヤパケットを供給するために、データソース667が使用される。データソース667は、L2レイヤの上のすべてのプロトコルレイヤを代表する。eNB610によるDL送信に関連して記載された機能と同様に、コントローラ/プロセッサ659は、ヘッダ圧縮、暗号化、パケットのセグメント化および並べ替え、ならびに、eNB610による無線リソース割振りに基づく論理チャネルとトランスポートチャネルとの間の多重化を実現することによって、ユーザプレーンおよび制御プレーンのためのL2レイヤを実装する。コントローラ/プロセッサ659はまた、HARQ動作、紛失したパケットの再送信、およびeNB610へのシグナリングに関与する。
【００３４】
適切な符号化および変調の方式を選択し、空間処理を容易にするために、eNB610によって送信された基準信号またはフィードバックからチャネル推定器658によって導出されたチャネル推定値が、TXプロセッサ668によって使用され得る。TXプロセッサ668によって生成された空間ストリームは、別個の送信機654TXを介して異なるアンテナ652に供給され得る。各送信機654TXは、送信用のそれぞれの空間ストリームでRFキャリアを変調し得る。
【００３５】
UL送信は、UE650での受信機機能に関連して記載された方式と同様の方式で、eNB610で処理される。各受信機618RXは、それぞれのアンテナ620を通じて信号を受信する。各受信機618RXは、RFキャリア上に変調された情報を復元し、この情報をRXプロセッサ670に供給する。RXプロセッサ670は、L1レイヤを実装することができる。
【００３６】
コントローラ/プロセッサ675は、L2レイヤを実装する。コントローラ/プロセッサ675は、プログラムコードおよびデータを記憶するメモリ676に関連付けることができる。メモリ676は、コンピュータ可読媒体と呼ばれる場合がある。ULでは、コントローラ/プロセッサ675は、トランスポートチャネルと論理チャネルとの間の逆多重化、パケット再アセンブリ、暗号化解除、ヘッダ圧縮解除、制御信号処理を実現して、UE650からの上位レイヤパケットを復元する。コントローラ/プロセッサ675からの上位レイヤパケットは、コアネットワークに供給される場合がある。コントローラ/プロセッサ675はまた、HARQ動作をサポートするために、ACKおよび/またはNACKのプロトコルを使用する誤り検出に関与する。
【００３７】
図7Aは、MBSFN内のeMBMSチャネル構成の一例を示す図750である。セル752'内のeNB752は第1のMBSFNエリアを形成することができ、セル754'内のeNB754は第2のMBSFNエリアを形成することができる。eNB752、754は、各々他のMBSFNエリア、たとえば、合計8つまでのMBSFNエリアと関連付けることができる。MBSFNエリア内のセルは、予約セルに指定することができる。予約セルは、マルチキャスト/ブロードキャストコンテンツを供給しないが、セル752'、754'に時間同期され、MBSFNエリアへの干渉を制限するために、MBSFNリソース上の電力が規制される。MBSFNエリア内の各eNBは、同じeMBMSの制御情報およびデータを同期して送信する。各エリアは、ブロードキャストサービス、マルチキャストサービス、およびユニキャストサービスをサポートすることができる。ユニキャストサービスは、特定のユーザを対象とするサービス、たとえば、音声通話である。マルチキャストサービスは、あるグループのユーザによって受信され得るサービス、たとえば、サブスクリプションビデオサービスである。ブロードキャストサービスは、すべてのユーザによって受信され得るサービス、たとえば、ニュース放送である。図7Aを参照すると、第1のMBSFNエリアは、特定のニュース放送をUE770に供給することなどによって、第1のeMBMSブロードキャストサービスをサポートすることができる。第2のMBSFNエリアは、異なるニュース放送をUE760に供給することなどによって、第2のeMBMSブロードキャストサービスをサポートすることができる。各MBSFNエリアは、複数の物理マルチキャストチャネル(PMCH)(たとえば、15個のPMCH)をサポートする。各PMCHは、マルチキャストチャネル(MCH)に対応する。各MCHは、複数(たとえば、29個)のマルチキャスト論理チャネルを多重化することができる。各MBSFNエリアは、1つのマルチキャスト制御チャネル(MCCH)を有することができる。したがって、1つのMCHは、1つのMCCHおよび複数のマルチキャストトラフィックチャネル(MTCH)を多重化することができ、残りのMCHは、複数のMTCHを多重化することができる。
【００３８】
UEは、eMBMSサービスアクセスおよび対応するアクセス層構成の利用可能性を発見するために、LTEセルにキャンプオンすることができる。第1のステップで、UEは、システム情報ブロック(SIB)13(SIB13)を取得することができる。第2のステップで、SIB13に基づいて、UEは、MCCH上でMBSFNエリア構成メッセージメッセージを取得することができる。第3のステップで、MBSFNエリア構成メッセージに基づいて、UEは、MCHスケジューリング情報(MSI)MAC制御要素を取得することができる。SIB13は、(1)セルによってサポートされる各MBSFNエリアのMBSFNエリア識別子、(2)MCCH反復期間(たとえば、32、64、…、256個のフレーム)、MCCHオフセット(たとえば、0、1、…、10個のフレーム)、MCCH変更期間(たとえば、512、1024個のフレーム)、シグナリング変調およびコーディング方式(MCS)、反復期間およびオフセットによって示される無線フレームのどのサブフレームがMCCHを送信することができるかを示すサブフレーム割振り情報など、MCCHを取得するための情報、ならびに(3)MCCH変更通知構成を示す。MBSFNエリアごとに1つのMBSFNエリア構成メッセージがある。MBSFNエリア構成メッセージは、(1)一時的モバイルグループ識別情報(TMGI)およびPMCH内の論理チャネル識別子によって識別される各MTCHのオプションのセッション識別子と、(2)MBSFNエリアの各PMCHを送信するために割り振られたリソース(すなわち、無線フレームおよびサブフレーム)およびエリア内のすべてのPMCHについての割り振られたリソースの割振り期間(たとえば、4、8、…、256個のフレーム)と、(3)MSI MAC制御要素が送信されるMCHスケジューリング期間(MSP)(たとえば、8、16、32、…または1024個の無線フレーム)とを示す。
【００３９】
図7Bは、MSI MAC制御要素のフォーマットを示す図790である。MSI MAC制御要素は、MSPごとに一度送られ得る。MSI MAC制御要素は、PMCHの各スケジューリング期間の第1のサブフレームにおいて送られ得る。MSI MAC制御要素は、PMCH内の各MTCHの停止フレームおよびサブフレームを示すことができる。MBSFNエリア当たりPMCH当たり1つのMSIがあり得る。
【００４０】
図7Cは、MBMSサービスエリア内のMBSFNエリアにわたるMBMSを示す図780である。図7Cは、複数のMBSFNエリア734、736、738を包含するMBMSサービスエリア732を含むシステムを示し、複数のMBSFNエリアはそれら自体が、複数のセルまたは基地局740を含む。本明細書で使用される場合、「MBMSサービスエリア」は、あるMBMSサービスが利用可能であるワイヤレス送信セルのグループを指す。たとえば、特定のスポーツまたは他の番組が、特定の時間において、MBMSサービスエリア内で基地局によってブロードキャストされ得る。特定の番組がブロードキャストされるエリアが、MBMSサービスエリアを定義する。MBMSサービスエリアは、734、736、および738において示されるような1つまたは複数の「MBSFNエリア」で構成され得る。本明細書で使用される場合、MBSFNエリアは、MBSFNプロトコルを使用して同期された方式で特定の番組を現在ブロードキャストしているセルのグループ(たとえば、セル740)を指す。「MBSFN同期エリア」は、MBSFNプロトコルを使用して特定の番組をブロードキャストするように同期された方式で動作することが、現在そうしているかどうかに関係なく可能となるように、相互接続され構成されるセルのグループを指す。各eNBは、所与の周波数レイヤ上で、1つのMBSFN同期エリアだけに属し得る。MBMSサービスエリア732が1つまたは複数のMBSFN同期エリア(図示されず)を含み得ることは、留意に値する。逆に、MBSFN同期エリアは、1つまたは複数のMBSFNエリアまたはMBMSサービスエリアを含み得る。一般に、MBSFNエリアは、単一のMBSFN同期エリアのすべてまたは一部で構成され、単一のMBMSサービスエリア内に位置する。様々なMBSFNエリアの重複がサポートされ、単一のeNBはいくつかの異なるMBSFNエリアに属し得る。たとえば、異なるMBSFNエリアのメンバーシップとなることをサポートするように、最大で8個の独立したMCCHが、システム情報ブロック(SIB)13において構成され得る。MBSFNエリア予備セルまたは基地局は、MBSFN送信に寄与しないMBSFNエリア内のセル/基地局、たとえば、MBSFN同期エリアの境界の近くのセル、または、その位置が原因でMBSFN送信に必要とされないセルである。
【００４１】
eMBMSの普及の増加に伴い、利用可能なリソースおよびユーザ分布に基づいて、マルチキャストブロードキャストサービスエリア(たとえば、MBSFNサービスエリア、MBMSサービスエリア)、またはMBSFNエリアを適応的に構成することは有益であり得る。マルチキャストブロードキャストサービスエリア/MBSFNエリアの適応的な構成を介して、実際のニーズに従って、セルは追加または削除され得る。マルチキャストブロードキャストサービスエリア/MBSFNエリアの適応的な構成を可能にすることによって、システムリソース利用が増加し得、動作/構成のしやすさが向上され得、ティアの使用を介して干渉が低減され得、十分な数のユーザが同じサービスを望むとき、要求に応じてeMBMSが提供され得る。
【００４２】
図8は、マルチキャストブロードキャストサービスエリア/MBSFNエリアを適応的に構成するための例示的な方法を示すための図800である。図8に示すように、マルチキャストブロードキャストサービスエリア812は、eNB802a、802b、802c、802d、804a、804b、804c、806a、808aおよび810aに対応するセル802〜810を含み得る。マルチキャストブロードキャストサービスエリア812内のeNBのうちの1つまたは複数は、eNBによってサービスされるUEの数を示すUEカウント情報を決定し得る。次いで、eNBのうちの1つまたは複数の各々は、たとえばマルチキャスト協調エンティティ(MCE)またはBM-SCなど、ネットワークエンティティにUEカウント情報を送る。eNBのうちの1つまたは複数の各々は、対応するeNBによってサービスされるUEの各々から、信号品質情報を受信することもできる。信号品質情報は、サービング基地局および近隣基地局に関する。たとえば、eNB802bは、UE820、822、824の各々から信号品質情報を受信することができる。信号品質情報は、ユニキャスト送信および/またはマルチキャスト/ブロードキャスト送信に関し得、基準信号受信電力(RSRP)情報、参照信号受信品質(RSRQ)情報、受信強度信号インジケータ(RSSI)、または信号対干渉プラス雑音電力比(SINR)のうちの少なくとも1つを含み得る。したがって、eNB802bは、eNB802b、804b、804cからのユニキャストおよび/またはマルチキャスト/ブロードキャスト送信に基づいてUE820から、eNB802b、804c、806aからのユニキャストおよび/またはマルチキャスト/ブロードキャスト送信に基づいてUE822から、およびeNB802b、802c、802dからのユニキャストおよび/またはマルチキャスト/ブロードキャスト送信に基づいてUE824から信号品質情報を受信することができる。次いで、eNBのうちの1つまたは複数の各々は、たとえばMCEまたはBM-SCなど、ネットワークエンティティに信号品質情報を送る。
【００４３】
UEカウント情報に基づいて、MCEまたはBM-SCは、基地局がマルチキャストブロードキャストサービスエリア812の一部であるか、および/またはマルチキャストブロードキャストサービスエリア812内のMBSFNエリアであるかどうかを判断する。MCEまたはBM-SCは、さらに受信信号品質情報に基づいて決定を行い得る。たとえば、UEカウント情報および信号品質情報を受信すると、MCEまたはBM-SCは、eNB804cがマルチキャストブロードキャストサービスエリア812の一部である、および/またはマルチキャストブロードキャストサービスエリア812内のMBSFNエリアの一部であることを決定し得る。MCEまたはBM-SCは、たとえばUE826など、eNB804cによってサービスされる任意のUEについてのMBSFN(MBMS)サービスを提供することに基づいて、または、たとえばUE820、822など、eNB804cのセルエッジ上の任意のUEについての向上されたMBSFNサービス(たとえば、向上されたRSRP、RSRQ、RSSI、SINR)を提供することに基づいて、そのような決定を行い得る。具体的には、MCEまたはBM-SCは、たとえばUE826など、eNB804cのカバレージ内の十分な数のUEがeNB804cからMBSFNサービスを受信することを望むことを、UEカウント情報に基づいて決定することができる。さらに、MCEまたはBM-SCは、たとえばUE820、822など、十分な数のUEが、第1の品質しきい値未満のeNB802bからの信号品質、および第2の品質しきい値よりも大きいeNB804cからの信号品質を報告したことを、UEカウント情報に基づいて決定することができる。MCEまたはBM-SCは、次いで、UE820、822がeNB802b、804cの間のセルのエッジ上にあることを決定することができ、したがって、eNB804cからMBSFNサービスを受信することから利益を得ることができる。
【００４４】
図8に示すように、マルチキャストブロードキャストサービスエリア812内のセル802(すなわち、セルの組814)は静的に構成され、したがって、マルチキャストブロードキャストサービスエリア構成、およびセル802の各々のMBSFNエリアは、動的に適応または変更されない可能性がある。しかしながら、マルチキャストブロードキャストサービスエリア812内のセル804、806、808、810(すなわち、セルの組816)は適応的に構成され、したがって、マルチキャストブロードキャストサービスエリア構成および/またはセル804、806、808、810の各々のMBSFNエリアは、動的に適応または変更され得る。UEカウント情報および信号品質情報を受信すると、MCEまたはBM-SCは、UEカウント情報および信号品質情報に基づいて、適応的に構成されたeNB816をランク付けすることができる。たとえば、適応的に構成されたeNBがMBSFNサービスを受信することを望む十分な数のUEにサービスする、および/または適応的に構成されたeNBのセルエッジ上の十分な数のUEの信号品質を向上させる場合、MCEまたはBM-SCは、適応的に構成されたeNBをより高くランク付けし得る。一構成では、マルチキャストブロードキャストサービスエリア812内のeNBは、ランク付けを実行し、MCEまたはBM-SCにランク付けされたリスト情報を送る。ランク付けされた適応的に構成されたeNB816に基づいて、MCEまたはBM-SCは、どのeNBがマルチキャストブロードキャストサービスエリア812の一部であるか、および/または特定のMBSFNエリアの一部であるかを判断する。MCEまたはBM-SCは、次いで、eNBがマルチキャストブロードキャストサービスエリア812および/または特定のMBSFNエリアの一部であるかどうかを示す情報をeNBに送る。
【００４５】
MCEまたはBM-SCは、eNBがマルチキャストブロードキャストサービスエリア812および/または特定のMBSFNエリアの一部であることを決定すると、eNBのためのブロードキャストティアも決定し得る。ブロードキャストティアは、MCCHのMCCH構成を示すシステム情報ブロック(SIB)をブロードキャストするための第1のティア(ティア1)840、MCCHのMCCH構成を示すSIBをブロードキャストし、MTCH構成を示すMCCHをブロードキャストするための第2のティア(ティア2)842、またはMCCHのMCCH構成を示すSIBをブロードキャストし、MTCH構成を示すMCCHをブロードキャストし、MTCHをブロードキャストするための第3のティア(ティア3)844とすることができる。ティアによって、特定の適応的なeNBを、異なるレベルのMBSFNサービスを提供するように構成することができる。たとえば、適応的なeNBがMBSFNサービスを受信することに関心がある多くのUEにサービスする、またはMTCHのブロードキャストが他のeNBによってサービスされるセルエッジのUEを向上させる場合、適応的なeNBは、ティア3において構成され得る。しかしながら、適応的なeNBがほとんどまたはまったくUEにサービスせず、MTCHが他のeNBによってサービスされるセルエッジのUEに対する向上をまったくまたはほとんど提供しない場合、適応的なeNBは、ティア2またはティア1において構成され得る。図8に示すように、UEカウント情報および信号品質情報に基づいて、MCEまたはBM-SCは、eNB804a、804b、804cがティア3 844のMBSFNサービスを提供し、eNB806aは、ティア2 842のMBSFNサービスを提供し、eNB808aは、ティア1 840のMBSFNサービスを提供し、eNB810aは、マルチキャストブロードキャストサービスエリア812の一部ではなく、および/またはMBSFNサービスを提供しない(846)ことを決定した。eNBのためのブロードキャストティアを決定すると、MCEまたはBM-SCは、それらのMBSFNブロードキャストティアを示す情報をeNBに送る。
【００４６】
適応的なeNBがマルチキャストブロードキャストサービスエリア812の一部でないことをMCE/BM-SCが決定すると、マルチキャストブロードキャストサービスエリアは、サイズが減少する。適応的なeNBがマルチキャストブロードキャストサービスエリア812の一部であることをMCE/BM-SCが決定すると、マルチキャストブロードキャストサービスエリアは、サイズが増大する。したがって、適応的なeNBがマルチキャストブロードキャストサービスエリア812の一部であるかどうかの判断は、最終的に、通常マルチキャストブロードキャストサービスエリア812のエッジ上において、マルチキャストブロードキャストサービスエリア812のサイズを変更する。上述したように、各マルチキャストブロードキャストサービスエリア812は、最高8つのMBSFNエリアをサポートすることができる。適応的なeNBがマルチキャストブロードキャストサービスエリア812のMBSFNエリアの一部でないことをMCE/BM-SCが決定すると、マルチキャストブロードキャストサービスエリア812は、サイズが変わらない可能性がある。代わりに、マルチキャストブロードキャストサービスエリア812内のセルのうちの1つによって提供されるサービスが変わる。適応的なマルチキャストブロードキャストサービスエリア、および適応的なMBSFNエリアは、UEモビリティ、UEマルチキャストブロードキャストサービスの関与、マルチキャストブロードキャスト受信品質の向上などに基づいて、MBSFN/MBMSサービスに関連したエリアを変えることができる。
【００４７】
図9は、マルチキャストブロードキャストサービスエリア/MBSFNエリアを適応的に構成するための第1の例示的なアーキテクチャを示す図900である。UEは、サービングUEによって、測定を行い、サービングeNBおよび周囲の/近隣のeNBに関する測定報告メッセージ(MRM)を報告するよう命令される。UEは、それらがMBSFNサービスまたは特定のMBSFNサービスを受信することを望むかどうかについても報告し得る。UEは、eNBに入力I1内の情報を送る。入力I1は、MRM、およびMBSFNサービスまたは特定のMBSFNサービスに関心があるUEの数を取得するための情報(すなわち、UEカウント情報)を含む。MRMは、たとえばRSRP、RSRQ、RSSI、またはSINR測定値など、無線周波数(RF)結果を含み得る。MRMは、セルのリスト(たとえば、物理セル識別子(PCI))をさらに含み得る。eNBは、UEから入力I1を受信する。
【００４８】
論理関数LF1で、eNBは、RF測定値を抽出し、セルのリストを取得し、MBSFNサービスまたは特定のMBSFNサービスを受信することを望むUEの数(すなわち、UEカウント情報)を決定することができる。次いで、eNBは、セルのリストにランク付けすることができる。論理関数LF2で、eNBは、詳細な情報(elaborated information)をMCEに送信し、マルチキャストブロードキャストサービスエリアおよび/またはMBSFNエリアのための更新された構成を受信することができる。詳細な情報は、RF測定値、セルのリスト、およびUEカウント情報を含み得る。代替または追加として、詳細な情報は、ランク付けされたセルのリストを含み得る。eNBは、MCEに入力I2を送る。入力I2は、RF統計および観察された組を含めて、ネイバー候補を含む。論理関数LF3で、MCEは、リスト情報を受信し、ネットワーク負荷およびMBMSユーザ分布に適応するように目標関数を最大にするためにMBSFNエリア最適化アルゴリズムを実行し、eNBがマルチキャストブロードキャストサービスエリアの一部および/または特定のMBSFNエリアの一部であるかどうかを示す更新されたクラスタセット(すなわち、マルチキャストブロードキャストサービスエリアおよび/またはMBSFNエリア構成)をeNBに送り返す。
【００４９】
図10は、適応的なMBSFNのための第1の例示的なシグナリング設計を示す図1000である。図10に示すように、ステップ1002で、MMEは、セッション開始要求をMCEに送る。ステップ1004で、MCEは、セッション開始応答をMMEに送ることによって応答する。ステップ1006で、MCEは、M2インターフェースセットアップ要求をeNB1に送る。ステップ1008で、eNB1は、M2インターフェースセットアップ応答をMCEに送ることによって応答する。ステップ1010で、M2セットアップ要求を受信することに応答して、eNB1は、UE測定報告、およびMBSFNサービスおよび/または特定のMBSFNサービスを受信することに関心がある、eNB1によってサービスされるUEの数を示すUEカウント情報を取得し、UE測定報告およびUEカウント情報をMCEに送る。受信された情報に基づいて、MCEは、次いで、特定のeNBがマルチキャストブロードキャストサービスエリアの一部および/または特定のMBSFNエリアの一部であるかどうかを判断する。ステップ1012で、MCEは、MCE構成更新をeNB1に送り、eNB1からMCE構成更新応答を受信する。ステップ1014で、MCEは、MBMSスケジューリング情報をeNB1に送る。MBMSスケジューリング情報は、MBSFNエリア識別子(ID)、PMCH構成情報、および予約セル表示を含み得る。MCEは、ステップ1012でMCE構成更新内、ステップ1014でMBMSスケジューリング情報内で、マルチキャストブロードキャストサービスエリアおよび/またはMBSFNエリアに関する適応されたMBSFN構成を示す情報をeNB1に明示的または暗黙的に送ることができる。一構成では、適応的なMBSFN構成情報は、ステップ1010の測定報告およびカウンティング手順が、ステップ1006の前に実行されることを想定して、ステップ1006でM2セットアップ要求内で、明示的または暗黙的に送られ得る。別の構成では、適応的なMBSFN構成情報は、eNB構成更新肯定応答内で、明示的または暗黙的に送られ得る。ステップ1016で、eNB1は、MBMSスケジューリング情報応答をMCEに送る。ステップ1018で、MCEは、セッション開始要求をeNB1に送る。ステップ1020で、MCEは、eNB1からセッション開始応答を受信する。ステップ1022で、MCEは、eNB2に関してステップ1006〜1016を繰り返す。ステップ1024で、MCEは、UEカウント情報がMMEから受信されるバックエンドカウンティング手順で、UEカウント情報をMMEから受信し得る。MCEは、適応的なeNBの各々の適応的なMBSFN構成を決定すると、eNBおよび/またはMMEからUEカウント情報を使用することができる。
【００５０】
図11は、適応的なMBSFNのための第2の例示的なシグナリング設計を示す図1100である。図11に示すように、ステップ1102で、eNB1は、M2インターフェースセットアップ要求をMCEに送る。ステップ1104で、MCEは、M2インターフェースセットアップ応答をeNB1に送ることによって応答する。ステップ1106で、MCEは、MCE構成更新をeNB1に送り得る。eNB1がMCCH/MTCHを送ることをMCEが望まない場合、MCEは、MCE構成更新を空のセル情報リスト情報要素(IE)とともにeNB1に送ることができる。ステップ1108で、eNB1は、MCE構成更新応答をMCEに送る。ステップ1110で、MCEは、eNB2のためにステップ1102〜1108を繰り返し得る。ステップ1112で、MMEは、セッション開始要求をMCEに送る。ステップ1114で、MCEは、セッション開始応答をMMEに送ることによって応答する。ステップ1116で、eNB1およびeNB2は、UE測定報告、およびMBSFNサービスおよび/または特定のMBSFNサービスを受信することに関心がある、それぞれeNB1およびeNB2によってサービスされるUEの数を示すUEカウント情報を取得し、UE測定報告およびUEカウント情報をMCEに送る。受信された情報に基づいて、MCEは、次いで、特定のeNBがマルチキャストブロードキャストサービスエリアの一部および/または特定のMBSFNエリアの一部であるかどうかを判断する。ステップ1018で、MCEは、MCE構成更新をeNB1に送る。MCE構成更新は、マルチキャストブロードキャストサービスエリアおよび/またはeNB1の特定のMBSFNエリアを変更し得る。ステップ1120で、MCEは、MCE構成更新応答をeNB1から受信する。ステップ1122で、MCEは、MBMSスケジューリング情報をeNB1に送る。MBMSスケジューリング情報は、MBSFNエリアID、PMCH構成情報、および予約セル表示を含み得る。MCEは、それが予約セルであることをeNB1に知らせることによって予約セル表示を介して、eNB1がMCCH/MTCHをブロードキャストすべきではないことをeNB1にシグナリングし得る。ステップ1124で、eNB1は、MBMSスケジューリング情報応答をMCEに送る。ステップ
1126で、MCEは、セッション開始要求をeNB1に送る。ステップ1128で、eNB1は、セッション開始応答をMCEに送る。ステップ1130で、MCEは、eNB2に関してステップ1116〜1128を繰り返し得る。
【００５１】
図12は、マルチキャストブロードキャストサービスエリア/MBSFNエリアを適応的に構成するための第2の例示的なアーキテクチャを示す図1200である。UEは、サービングUEによって、測定を行い、サービングeNBおよび周囲の/近隣のeNBに関する測定報告をUEに送るよう命令される。UEは、それらがMBSFNサービスまたは特定のMBSFNサービスを受信することを望むかどうかについても報告し得る。UEは、eNBに入力I1内の情報を送る。入力I1は、MRMを含み、MBSFNサービスまたは特定のMBSFNサービスに関心があるUEの数を取得するための情報(すなわち、UEカウント情報)をさらに含み得る。MRMは、たとえばRSRP、RSRQ、RSSI、またはSINR測定値など、RF結果を含む。MRMは、セルのリスト(たとえば、PCI)をさらに含み得る。eNBは、UEから入力I1を受信する。
【００５２】
論理関数LF1で、eNBは、RF測定値を抽出し、セルのリストを取得する。eNBは、MBSFNサービスまたは特定のMBSFNサービスを受信することを望むUEの数(すなわち、UEカウント情報)も決定することができる。eNBは、セルのリストにランク付けすることもできる。論理関数LF2で、eNBは、詳細な情報をMCEに送信し、更新されたマルチキャストブロードキャストサービスエリアおよび/またはMBSFNエリアを受信する。詳細な情報は、RF測定値およびセルのリストを含み得る。詳細な情報は、UEカウント情報をさらに含み得る。代替または追加として、eNBがセルをランク付けしている場合、詳細な情報は、ランク付けされたセルのリストを含み得る。eNBは、MCEに入力I2を送る。入力I2は、RF統計および観察された組を含めて、ネイバー候補を含む。論理関数LF3で、MCEは、リスト情報を受信し、ネットワーク負荷およびMBMSユーザ分布に適応するように目標関数を最大にするためにMBSFNエリア最適化アルゴリズムを実行し、eNBがマルチキャストブロードキャストサービスエリアの一部および/または特定のMBSFNエリアの一部であるかどうかを示す更新されたクラスタセット(すなわち、マルチキャストブロードキャストサービスエリアおよび/またはMBSFNエリア構成)をeNBに送り返す。論理関数LF4で、BM-SCは、同じロケーションにおけるUEからの同じ内容(を受信するための、受信することを望むなど)についての高アタッチレートを検出する。論理関数LF5で、BM-SCは、いくつかのeNBについてのマルチキャストブロードキャストサービスエリアおよび/または特定のMBSFNエリアを決定し、MBMSゲートウェイ(MBMS-GW)およびMMEを介してMCEにMBSFN構成を示す。
【００５３】
図13は、適応的なMBSFNのための第3の例示的なシグナリング設計を示す図1300である。図13に示すように、ステップ1302で、BM-SCは、セッション開始要求をMMEに送る。セッション開始要求は、たとえばMCCH/MTCH構成(たとえば、変調およびコーディング方式(MCS))など、適応的なMBSFN構成およびMBSFN構成を定義するセルグローバル識別情報(CGI)のリストを含み得る。ステップ1304で、MMEは、セッション開始応答をBM-SCに送る。ステップ1306で、MMEは、セッション開始要求をMCEに送る。ステップ1308で、MCEは、セッション開始応答をMMEに送ることによって応答する。ステップ1310で、MCEは、BM-SCのためのUEカウント情報を取得し得る。ステップ1312で、MCEは、M2インターフェースセットアップ要求をeNB1に送る。ステップ1314で、eNB1は、M2インターフェースセットアップ応答をMCEに送ることによって応答する。ステップ1316で、MCEは、MBMSスケジューリング情報をeNB1に送る。MBMSスケジューリング情報は、MBSFNエリアID、PMCH構成情報、および予約セル表示を含み得る。ステップ1318で、eNB1は、MBMSスケジューリング情報応答をMCEに送る。ステップ1320で、MCEは、セッション開始要求をeNB1に送る。ステップ1322で、MCEは、eNB1からセッション開始応答を受信する。ステップ1324で、MCEは、eNB2に関してステップ1304〜1314を繰り返す。ステップ1326で、BM-SCは、UEカウント情報を取得し得る(図12のLF4を参照)。ステップ1328で、BM-SCは、UE測定報告を取得することもできる。UEカウント情報およびUE測定報告に基づいて、BM-SCは、特定のeNBをマルチキャストブロードキャストサービスエリアおよび/または特定のMBSFNエリアの一部であるように構成するための適応的なMBSFN構成を決定することができる。ステップ1330で、BM-SCは、セッション更新要求をMMEに送る。セッション更新要求は、決定された適応的なMBSFN構成およびMBSFN構成を定義するCGIのリストを含む。ステップ1332で、MMEは、セッション更新応答をBM-SCに送る。ステップ133
4で、MMEは、セッション更新要求をMCEに送る。セッション更新要求は、適応的なMBSFN構成を含む。ステップ1336で、MCEは、セッション更新応答をMMEに送る。ステップ1338で、MCEは、セッション更新要求をeNB1に送る。セッション更新要求は、適応的なMBSFN構成を含む。ステップ1340で、eNB1は、セッション開始応答をMCEに送る。
【００５４】
図8〜図13に関して上述した適応的なMBSFNは、PTT/PTXに適用され得る。PTT/PTXは、eMBMSを介してユニキャスト送信またはマルチキャスト/ブロードキャスト送信を介して提供され得る。ユニキャストチャネルを介してPTT/PTXを提供することは、UEの大きいターゲットグループについては効率的でない可能性がある。さらに、eMBMSは、いくつかのタイプの通信については遅すぎる可能性がある。現在、呼の待ち時間を低減するために、PTT/PTXのためのMBMSベアラエンハンスメントの必要がある。さらに、PTT/PTXがeMBMSを介して提供されるとき、サービス発見およびセキュリティエンハンスメントの必要がある。
【００５５】
図14は、eMBMSを介したPTT/PTXを示す図1400である。図14に示されるように、PTT over cellular(PoC)サーバ1402は、eNB、パケットデータネットワークゲートウェイ(P-GW)/(サーバゲートウェイ)SGWを介してユニキャストチャネルから、UE1410(PoC発信元とも呼ばれる)IPパケットを受信する。PoCサーバ1402は、IPマルチメディアサブシステム(IMS)(IPマルチメディアコアネットワークサブシステムとも呼ばれる)を介してBM-SC1404にユニキャストIPパケットを送る。IMSは、IPマルチメディアサービスを配信するためのアーキテクチャのフレームワークである。BM-SC1404は、SG-imbインターフェースを介してMBMS-GW1406にIPパケット(現在マルチキャスト/ブロードキャストIPパケットと呼ばれる)を送る。MBMS-GW1406は、M1インターフェースを介してeNB1408にマルチキャスト/ブロードキャストIPパケットを転送する。シグナリングは、SGmbインターフェースを介してBM-SC1404とMBMS-GW1406との間、Smインターフェースを介してMBMS-GW1406とMMEとの間、M3インターフェースを介してMMEとMCE1408との間、およびM2インターフェースを介してMCE1408とeNB1408との間で行われる。eNB1408は、MTCHにおけるeMBMSサービスとして、UE1412(PoCターゲットとも呼ばれる)にマルチキャスト/ブロードキャストIPパケットをブロードキャストする。
【００５６】
図15は、MBMSベアラを使用した第1の呼のフローを示す図1500である。第1のステップで、UE1502は、eNB/MME1504に関するユニキャストトラフィックチャネル(TCH)セットアップを実行する。ユニキャストTCHセットアップにおいて、UE1502は、eNB/MME1504にRRC接続要求/サービス要求を送り、eNB/MME1504は、RRC接続セットアップ応答をUE1502に送り、UEは、eNB/MME1504にRRC接続セットアップ完了メッセージを送り、UE1502は、ユニキャストTCHセットアップが完了すると、eNB/MME1504にRRC再構成完了メッセージを送る。eNB/MME1504は、その後、ベアラ変更要求をP-GW/SGW1506に送る。P-GW/SGW1506は、ベアラ変更応答で応答する。第2のステップで、UE1502は、セッション開始プロトコル(SIP)招待要求をeNB/MME1504に送る。SIP招待要求は、P-GW/SGW1506およびSIPプロキシ1512を経由してPoCサーバ1514にルーティングされる。SIP招待要求は、グループユニフォームリソースロケータ(URL)および/またはターゲットのグループリストを含み得る。SIP招待要求は、UE能力をさらに含み得る。UE能力は、MBMSベアラ、グループベアラ、またはMBMSベアラとグループベアラの両方を介して通信を受信することをUEがサポートするかどうかを示し得る。第3のステップで、PoCサーバ1514は、ターゲットの位置を特定し、またはホーム加入者サーバ(HSS)および/または認証、許可、およびアカウンティング(AAA)サーバに連絡して認証することができる。加えて、PoCサーバ1514は、UE1502から開始するPTT/PTX通信のためのTMGIを割り当てることができる。PoCサーバ1514は、BM-SC1510に連絡して、通信のためにTMGIおよび/またはセキュリティキー(たとえば、MBMSセッションキー(MSK))を取得することができる。PoCサーバ1514は、他のPoCサーバにSIP招待要求を転送することができる。第4のステップでは、PoCサーバ1514は、SIP招待応答(1xx応答とも呼ばれる)をUE1502に送る。SIP招待応答は、SIPプロキシ1512、P-GW/SGW
1506、およびeNB/MME1504を経由してルーティングされ得る。第4のステップの後、PoCサーバ1514からSIP招待要求を受信したPoCサーバは、PoCターゲットをセットアップすることができる。第5のステップで、PoCサーバ1514は、セッション記述プロトコル(SDP)オファー(200OK応答とも呼ばれる)をUE1502に送る。PoCサーバ1514は、ターゲットUEから、またはターゲットUEに関連した別のPoCサーバからSDPオファーを受信した。SDPオファーは、SIPプロキシ1512およびP-GW/SGW1506を経由してルーティングされ得る。SDPオファーは、マルチキャストIPアドレス/ポート、TMGI、およびMBMSユーザキー(MUK)によって保護されているMSKのうちの1つまたは複数を含み得る。MSKは、MBMSトラフィックキー(MTK)を生成するために使用され得る。第1のステップの開始と第5のステップの終了との間にかかる時間は、最初のPTT待ち時間1516である。第6のステップで、UE1502は、SDP回答をeNB1504に送ることによってSDPオファーを肯定応答し、SDP回答は、P-GW/SGW1506およびSIPプロキシ1512を経由してPoCサーバ1514にルーティングされ得る。第7のステップで、PoCサーバ1514は、UE1502がeMBMSを介して提供されるPTT/PTXを介して現在データ/メディアを送ることができることを、トークバースト確認メッセージを介してUE1502に知らせることができる。第8のステップで、UE1502は、データ/メディアをeNB1504に送り、データ/メディアは、P-GW/SGW1506を経由してPoCサーバ1514にルーティングされ得る。
【００５７】
図16は、MBMSベアラを使用した第2の呼のフローを示す図1600である。PoCサーバ1602は、PoCサーバ1514からSIP招待要求を受信する。SIP招待要求は、SDPオファーを含む。上述したように、SDPオファーは、マルチキャストIPアドレス/ポート、割り当てられたTMGI、およびMSKのうちの1つまたは複数を含み得る。第1のステップで、PoCサーバ1602は、SIP招待要求をSIPプロキシ1604に送る。加えて、BM-SC1606は、eMBMSセッションセットアップを実行し、MBMS-GW1608にPTT/PTXデータ/メディアのために割り当てられたTMGIを提供し、MBMS-GW1608は、割り当てられたTMGIをMME/MCE1612に提供し、MME/MCE1612は、割り当てられたTMGIをeNB1614に提供する。SIPプロキシ1604は、SIP招待応答でPoCサーバ1602に応答する。第2のステップで、PoCサーバ1602は、SIP招待要求をP-GW/SGW1610に送る。SIP招待要求は、SIPプロキシ1604を経由してルーティングされる。SIP招待要求は、SDPオファーを含み得る。P-GW/SGW1610は、MME/MCE1612に、割り当てられたTMGIを含むDLデータ通知を送る。eNB1614は、ターゲットUE(PoCターゲット)1616を含むターゲットUEにページングメッセージ(グループページング信号でもよい)を送る。受信したページングメッセージに基づいて、UE1616は、eNB1614とのユニキャストTCHセットアップを実行する。MME/MCE1612は、ベアラ変更要求をP-GW/SGW1610に送る。P-GW/SGW1610は、ベアラ変更応答でMME/MCE1612に応答する。P-GW/SGW1610は、UE1616にSIP招待要求を転送する。SIP招待要求は、SDPオファーを含み、SDPオファーは、TMGIおよびMSKを含む。第3のステップで、UE1616は、ユーザサービス記述(USD)を受信し得る。第4のステップで、UE1616は、MCCHを受信し、受信されたTMGIに対応するMTCHに同調する。第5のステップで、UE1616は、SDP回答(200OK応答とも呼ばれる)をPoCサーバ1602に送る。SDP回答は、eNB1614、P-GW/SGW1610、およびSIPプロキシ1604を経由してPoCサーバ1602にルーティングされる。PoCサーバ1602は、SDP回答をPoCサーバ1514に送り、PoCサーバ1514は、UE1502にSDP回答を転送する。第6のステップで、PoCサーバ1602は、SDP回答をUE1616に送ることによって肯定応答する。SDP回答は、SIPプロキシ1604、P-GW/SGW1610、およびeNB1614を経由してルーティングされる。第7のステップで、PoCサーバ1602は、話者識別情報をUE1616に送る。話者識別情報は、UE1502のユーザの識別情報である。話者識別情報は、P-GW/SGW1610、MME/MCE1612、およびeNB1614を経由してルーティングされる。eNB1614は、eMBMSリソースを介して話者識別情報を送ることができる。第8のステップで、PoCサーバ1602は、マルチキャストされる受信されたPTT/PTXデータ/メディアを再度アドレス指定する。第9のステップで、PoCサーバ1602は、受信されたPTT/PTXデータ/メディアをUE1616に送る。PTT/PTXデータ/メディアは、BM-SC1606、MBMS-GW1608、およびeNB1614を経由してルーティングされ、eNB1614は、割り当てられたTMGIに対応するMTCH上のeMBMSを介してPTT/PTXデータメディアを送る。
【００５８】
サービス発見エンハンスメント
一構成では、グループまたはMBMSユーザサービスは、事前構成され得る。事前に決められたグループごとに、eMBMSシステムは、一意のマルチキャストIPアドレス/ポートおよびTMGIを事前に割り当てることができる。1つまたは複数のTMGIは、事前に割り振られ得る。PTXでは、すべてのファイルのダウンロードのために、1つのTMGIが使用され得る。スケジューリングフラグメントのファイル配信テーブル(FDT)インスタンスは、UEによってダウンロードされるファイルを決定するためにUEによって使用され得る。UEは、UEがメンバーであるグループのための他のグループ情報とともに、MBMSユーザサービス識別子(ID)またはグループアドレスに関連したTMGIに気づいている可能性がある。MBMSユーザサービスIDは、UEからトランスポート詳細を隠すために使用され得る。eMBMSミドルウェアは、サービス告知ファイルを有するトランスポート詳細を管理することができる。MBMSが事前構成されているとき、MBMSは、事実上常時オンであり、BM-SC1606は、eMBMSセッションセットアップステップを実行しない。
【００５９】
たとえばアドホックグループ呼などにおいて、TMGIがPTT/PTXに事前に割り振られていない(たとえば、グループまたはMBMSユーザサービスは事前構成されていない)(図15、図16を参照)場合、グループ呼設定シグナリングが使用され得る(たとえば、図15、図16に関して提供されるSIPシグナリング)。図15、図16に関して述べられるように、グループ呼設定シグナリングは、たとえばMBMSユーザサービス名、TMGI、SDP、USDなど、MBMSセッション情報を含み得る。グループ呼サーバは、大きいグループのためにMBMSベアラを使用することができ、MBMSセッションを開始するためにBM-SCとインターフェースする。UEは、グループ呼設定シグナリングを介してサービス情報を取得することができる。グループページングが使用され得る。TMGIまたはMBMSユーザサービスIDは、ページングメッセージに含まれ得る。図16を参照すると、eNB1614からUE1616へのページングメッセージは、TMGIおよび/またはMBMSユーザサービスIDを含むグループページングメッセージでもよい。
【００６０】
呼の待ち時間を最小限に抑える
呼の待ち時間は、MBMSベアラを介したPTT/PTXについて数秒程度であり得る。呼の待ち時間は、好ましくは、300ms未満であるものとする。一構成では、MBMSベアラは、事前セットアップされてもよく、または、MBMSセッションは、直ちに利用可能であるように事前構成されてもよい。MBMSセッションがグループ呼のために使用されていないとき、リソースは、ユニキャストトラフィックに割り振られ得る。一構成では、呼の待ち時間は、LTE無線インターフェース呼設定時間を低減することによって低減され得る。一構成では、ターゲット無線インターフェース呼設定は、発信元呼設定インターフェースと並行して実行され得る(図17、図18を参照)。この構成では、PTT呼設定シグナリング(たとえば、SIP招待要求)は、RACH、RRC接続セットアップ要求またはRRC接続セットアップ完了でピギーバックされ得る。一構成では、グループID、TMGI、またはMBMSサービスIDは、ページングメッセージに含まれ得る。一構成では、グループ呼設定シグナリング(たとえば、SIPシグナリング)は、たとえばMBMSユーザサービス名、TMGI、SDP、USDなど、MBMSセッション情報を含み得る。一構成では、呼の待ち時間は、ターゲットUEのために呼設定SIPシグナリング上にユニキャストチャネルをセットアップしないことによって低減され得る(図18を参照)。SIPシグナリングは、MBMSを介してすべてのターゲットUEに送られ得る。SIPシグナリングは、事前構成されたMBMSベアラに送られ得る。MBMSグループキー(MGK)は、UEに送られるMSKを保護するために必要とされ得る。UEは、UEがネットワークに関するあるグループに登録されているとき、MGKを得ることができる。グループサイズが十分に大きい場合、偽の200OKメッセージがPoC/グループ呼サーバから発信元UEに送られ得る。呼の待ち時間は、上述した構成のうちの1つまたは複数を使用して低減され得る。
【００６１】
図17は、第1の並行した呼設定を示す図1700である。図17で、呼の待ち時間は、並行した呼設定を実行することによって低減され得る。図17に示すように、呼の待ち時間を低減するために、UE1702は、ユニキャストTCHセットアップの間に、RRC接続セットアップメッセージ内にeNB/MME1704に対するSIP招待要求を含めることができる。eNB/MME1704は、ベアラ変更要求を介してP-GW/SGW1706にSIP招待要求を転送することができ、P-GW/SGW1706は、SIPプロキシ1712を介してPoCサーバ1714にSIP招待要求を転送し得る。PoCサーバ1714は、TMGIを割り当てる、またはBM-SC1710からTMGIを取得することができる。UE1702がユニキャストTCHセットアップを実行する間に、PoCサーバ1714は、SIP招待要求をPoCサーバ1716に送ることができる。SIP招待要求は、SDPオファー、割り当てられたTMGI、およびMSKを含み得る。SDPオファー自体は、割り当てられたTMGIおよびMSKを含み得る。PoCサーバ1716は、BM-SC1720とのMBMSセッションを確立し、割り当てられたTMGIおよびMSKをBM-SC1720に提供する。BM-SC1720は、eMBMSセッションセットアップを実行し、MBMS-GW1722にPTT/PTXデータ/メディアのために割り当てられたTMGIを提供し、MBMS-GW1722は、割り当てられたTMGIをMME/MCE1726に提供し、MME/MCE1726は、割り当てられたTMGIをeNB1728に提供する。PoCサーバ1716は、SIP招待要求をSIPプロキシ1718に送る。SIPプロキシ1718は、SIP招待要求をP-GW/SGW1724に送る。SIP招待要求は、SDPオファー、割り当てられたTMGI、およびMSKを含み得る。P-GW/SGW1724は、MME/MCE1726に、割り当てられたTMGIを含むDLデータ通知を送る。eNB1728は、ターゲットUE1730を含むターゲットUEにページングメッセージ(グループページング信号でもよい)を送る。受信したページングメッセージに基づいて、UE1730は、eNB1728とのユニキャストTCHセットアップを実行する。UE1730は、ユニキャストTCHセットアップの間に、RRC接続セットアップメッセージ内のSIP招待要求を受信する。SIP招待要求は、割り当てられたTMGIを含む。MME/MCE1726は、ベアラ変更要求をP-GW/SGW1724に送る。P-GW/SGW1724は、ベアラ変更応答でMME/MCE1726に応答する。UE1730は、MCCHを受信し、受信されたTMGIに対応するMTCHに同調する。その後、UE1730は、SDP回答をUE1702に送る。UE1702は、SDP回答をUE1730に送ることによって肯定応答する。PoCサーバ1714は、PTT/PTXデータ/メディアをターゲットUE1730に送るための許可をUE1702に与えるトークバースト確認メッセージを送る。PoCサーバ1714は、話者識別情報をUE1730に送る。その後、UE1702は、PTT/PTXデータ/メディアをUE1730に送る。UE1702は、ユニキャストベアラを介してネットワークにPTT/PTXデータ/メディアを送る。ネットワークは、MBMSベアラを介してUE1730にPTT/PTXデータ/メディアを送る。
【００６２】
図18は、第2の並行した呼設定を示す図1800である。図18で、呼の待ち時間は、並行した呼設定を実行し、ターゲットUEがユニキャストTCHセットアップを実行する必要性を取り除くことによって低減され得る。図18に示すように、呼の待ち時間を低減するために、UE1802は、ユニキャストTCHセットアップの間に、RRC接続セットアップメッセージ内にeNB/MME1804に対するSIP招待要求を含めることができる。eNB/MME1804は、ベアラ変更要求を介してP-GW/SGW1806にSIP招待要求を転送することができ、P-GW/SGW1806は、MBMS-GW1808、BM-SC1810、およびSIPプロキシ1812を介してPoCサーバ1814にSIP招待要求を転送し得る。PoCサーバ1814は、TMGIを割り当てる、またはBM-SC1810からTMGIを取得することができる。UE1802がユニキャストTCHセットアップを実行する間に、PoCサーバ1814は、SIP招待要求をPoCサーバ1816に送ることができる。SIP招待要求は、SDPオファー、割り当てられたTMGI、およびMSKを含み得る。MSKは、MBMSグループキー(MGK)によって保護され得る。SDPオファー自体は、割り当てられたTMGIおよびMSKを含み得る。PoCサーバ1816は、BM-SC1820とのMBMSセッションを確立し、割り当てられたTMGIまたは異なるTMGIおよびMSKをBM-SC1820に提供する。BM-SC1820は、eMBMSセッションセットアップを実行し、MBMS-GW1822にSIP招待要求を受信するために受信されたTMGIを提供し、MBMS-GW1822は、TMGIをMME/MCE1826に提供し、MME/MCE1826は、TMGIをeNB1828に提供する。eNB1828は、ターゲットUE1830に対するページングを行い、ページングメッセージ内にTMGIを示す情報を含める、またはターゲットUE1830がTMGIを取得できるようにする情報をページングメッセージ内に含める。PoCサーバ1816は、SIPプロキシ1818を介してBM-SC1820にSIP招待要求を送る。SIP招待要求は、割り当てられたTMGIを含む。BM-SC1820は、SIP招待要求をeNB1828に送る。SIP招待要求は、SDPオファー、割り当てられたTMGI、およびMSKを含み得る。UE1830は、MCCHを受信し、SIP招待要求を受信するために、受信されたTMGIに対応するMTCHに同調する。その後、eNB1828は、SIP招待要求をUE1830に送る。SIP招待要求は、SDPオファー、割り当てられたTMGI、およびMSKを含み得る。UE1830は、MCCHを受信し、PTT/PTXデータ/メディアを受信するために、割り当てられたTMGIに対応するMTCHに同調する。PoCサーバ1816は、偽の200OKメッセージをPoCサーバ1814に送る。PoCサーバ1814は、SDPオファーをUE1802に送る。UE1802は、SDP回答をUE1830に送ることによって肯定応答する。PoCサーバ1814は、PTT/PTXデータ/メディアをターゲットUE1830に送るための許可をUE1802に与えるトークバースト確認メッセージを送る。PoCサーバ1814は、話者識別情報をUE1830に送る。その後、UE1802は、PTT/PTXデータ/メディアをUE1830に送る。異なるMBMSベアラおよびTMGIが、呼制御シグナリング、トークバースト制御シグナリング、およびPTT/PTXデータ/メディアを送るために使用され得る。同じMBMSベアラ、および関連するTMGIが、呼制御シグナリングを送るために使用される場合、トークバースト制御シグナリング、PTT/PTXデータ/メディア、FDT、または他の帯域内シグナリングが、それらを区別するために使用され得る。
【００６３】
トークバースト制御シグナリング
トークバースト制御メッセージ(たとえば、図15〜図18のトークバースト確認メッセージ)は、すべての他のユーザリッスンの間に、1人のユーザのみが話す許可を与えられることを確実にするために使用され得る。トークバースト制御メッセージは、PoCサーバと発信元およびターゲットのUEとの間に送られ得る。トークバースト制御メッセージは、指定された特別なUDPポートによってユーザデータグラムプロトコル(UDP)ベースのシグナリングで運ばれ得る。トークバースト制御メッセージは、RTP over MBMSが使用される場合、リアルタイムトランスポートプロトコル(RTP)制御プロトコル(RTCP)メッセージで運ばれ得る。ハイパーテキスト転送プロトコル(HTTP)を介した動的適応ストリーミング(DASH)がMBMSにわたって使用される場合、トークバースト制御メッセージは、拡張SIPシグナリング、オープンモバイルアライアンス(OMA)シグナリング、HTTP拡張、またはFDTベースのシグナリングで運ばれ得る。メッセージがすべてのリスナーに送られる場合、トークバースト制御メッセージは、MBMSまたは共有チャネルを介して送られ得る。話者識別情報および非トーク指示も、MBMSまたは共有チャネルを介して送られ得る。キューイングがサポートされる場合、PoCサーバは、フロア上のすべてのリスナーに対する許可を示し得る。許可は、キューにおける異なるUEの中で時間的に分けられ得る。
【００６４】
図19は、PTT/PTXのためのMBMSベアラに関するセキュリティエンハンスメントを示すための図1900である。第1の構成で、PTT/PTXデータ/メディアのために使用されるMTKは、UE(PoC話者)1902によって生成される。トークバースト制御シグナリングのために使用されるMTKは、PoCサーバ1904によって生成される。PoCサーバ1904は、MSKおよびMTK IDによって保護されているMTKを受信すると、MSKおよびMTK IDによって保護されているMTKをBM-SCに送る。第2の構成で、BM-SCは、MTKを生成し、MSKによって保護されているMTKを、帯域内シグナリングを介して発信元およびターゲットUEに送る。図19を参照すると、UE1902がPTT/PTX通信を開始したいとき、UE1902は、MTK1と呼ばれる第1のMTK、およびMTK1_IDと呼ばれるMTK1のためのIDを生成する。MTK1は、MSKおよびMTK1_IDに基づいて保護される。UE1902は、MTK1に基づいてトークバースト要求メッセージを暗号化する。第1のステップで、UE1902は、トークバースト要求をPoCサーバ1904に送る。PoCサーバ1904は、MTK2と呼ばれる第2のMTK、およびMTK2_IDと呼ばれるMTK2のためのIDを生成する。MTK2は、MSKおよびMTK2_IDに基づいて保護される。PoCサーバ1904は、MTK2に基づいてトークバースト許可メッセージ(talk burst granted message)を暗号化する。第2のステップで、PoCサーバ1904は、トークバースト許可メッセージをUE1902に送る。PoCサーバ1904は、MTK2に基づいて話者識別情報を暗号化する。第3のステップで、PoCサーバ1904は、話者識別情報をターゲットUE1906に送る。UE1902は、MTK3と呼ばれる第3のMTK、およびMTK3_IDと呼ばれるMTK3のためのIDを生成する。MTK3は、MSKおよびMTK3_IDに基づいて保護される。UE1902は、MTK3に基づいてPTT/PTXデータ/メディアを暗号化する。第4のステップで、UE1902は、MTK3によって保護されているPTT/PTXデータ/メディアをPoCサーバBM-SCを介してUE1906に送る。
【００６５】
図8〜図13に関して説明した適応的なSFNは、MBMSベアラを介してPTT/PTXを提供することに関して利用され得る。MBMSベアラが使用されるとき、グループID、TMGI、またはMBMSユーザサービスIDがページングのために使用され得る。UEおよび無線アクセスネットワーク(RAN)能力は、PoCサーバに報告され得る。UEがMBMSベアラエリアから出入りするとき、UEは、ネットワークに通知することができ、またはネットワークは、UEを適切なチャネルにハンドオフすることができる。
【００６６】
図20は、ワイヤレス通信の方法のフローチャート2000である。この方法はUEによって実行され得る。UEは、MBMSを介した通信のためにPTT/PTX呼設定を実行する。ステップ2002で、UEは、eNBとのユニキャストベアラをセットアップすることによって、PTT/PTX呼設定を実行する。ステップ2004で、UEは、ユニキャストベアラをセットアップする間に、eNBに対するグループ呼設定シグナリングを含む。ユニキャストベアラをセットアップした後、ステップ2006で、UEは、MBMSベアラを介してeNBからトークバースト制御メッセージを受信することができる。その後、ステップ2008で、UEは、MBMSベアラを介して1つまたは複数のターゲットUEに送信されるべきPTT/PTXデータを送ることができる。
【００６７】
グループ呼設定シグナリングは、MBMSベアラのためのサービス告知および発見情報を含み得る。グループ呼設定シグナリングは、SIP招待要求でもよい。SIP招待要求は、ターゲットUEのリストを含み得る。UEは、RRC接続要求を送り、RRC接続セットアップ応答を受信し、RRC接続完了メッセージを送ることによって、ユニキャストベアラをセットアップすることができる。グループ呼設定シグナリングは、RRC接続完了メッセージで送られ得る。たとえば、図17を参照すると、ユニキャストTCHセットアップの間に、UE1702によってeNB1704に送られるRRC接続セットアップ完了メッセージは、SIP招待要求を含む。
【００６８】
ステップ2006で、UEは、MBMSベアラを介してトークバースト制御メッセージを受信することができる。ステップ2006で、トークバースト制御メッセージは、PTT/PTX通信を送ることができることの表示、PTT/PTX通信を送ることができないことの表示、またはPTT/PTX通信をいつ送ることができるかを示すためのスケジューリング情報のうちの少なくとも1つを含み得る。トークバースト制御メッセージは、UDP、SIP、HTTP、FDTインスタンス、またはOMAシグナリングのうちの1つを介して受信され得る。たとえば、図17を参照すると、UE1702は、フロア、すなわち、PTT/PTXデータ/メディアを送る許可をUE1702に与えるトークバースト確認メッセージを受信する。
【００６９】
UEは、第1の組のMTKに基づいて暗号化された第1のトークバースト制御メッセージを送ることができる。加えて、UEは、第1の組のMTKとは異なる第2の組のMTKに基づいて暗号化された第2のトークバースト制御メッセージを受信することができる。さらに、UEは、第1の組のMTKおよび第2の組のMTKとは異なる第3の組のMTKに基づいてMBMSベアラ上でPTT/PTXデータを送ることができる。たとえば、図19を参照すると、第1のステップで、UE1902は、MTK1を含む第1の組のMTKに基づいて暗号化された第1のトークバースト制御メッセージを送る。加えて、第2のステップで、UE1902は、MTK2を含む第2の組のMTKに基づいて暗号化された第2のトークバースト制御メッセージを受信する。第2の組のMTKは、第1の組のMTKとは異なる。さらに、第4のステップで、UE1902は、MTK3を含む第3の組のMTKに基づいてPTT/PTXデータを送る。第3の組のMTKは、第1の組のMTKおよび第2の組のMTKとは異なる。
【００７０】
ステップ2008で、UEは、MBMSベアラを介して1つまたは複数のターゲットUEに送信されるべきPTT/PTXデータを送る。たとえば、図17を参照すると、UE1702は、MBMSベアラを介してターゲットUE1730に送信されるPTT/PTXデータを送る。別の例として、図19を参照すると、UE1902は、MBMSベアラを介してターゲットUE1906に送信されるPTT/PTXデータを送る。
【００７１】
図21は、例示的な装置2102の中の様々なモジュール/手段/構成要素の間のデータフローを示す概念的なデータフロー図2100である。装置は、UEであり得る。UEは、MBMSを介した通信のためにPTT/PTX呼設定を実行する。UEは、eNB2150とのユニキャストベアラをセットアップするように構成されたユニキャストベアラセットアップモジュール2114を含む。ユニキャストベアラセットアップモジュール2114は、ユニキャストベアラセットアップを実行するために、受信モジュール2110および送信モジュール2116と通信する。UEは、ユニキャストベアラをセットアップする間に、グループ呼設定シグナリングをeNBに送るように構成されたグループ呼設定シグナリングモジュール2112を含む。
【００７２】
装置は、上記の図20のフローチャートおよび図14〜図19の図内のアルゴリズムのステップの各々を実行する追加のモジュールを含む場合がある。そのため、上述した図内の各ステップは、モジュールによって実行されてよく、装置は、これらのモジュールの1つまたは複数を含むことができる。モジュールは、指定されたプロセス/アルゴリズムを実行するように明確に構成されるか、指定されたプロセス/アルゴリズムを実行するように構成されたプロセッサによって実施されるか、プロセッサによる実施のためにコンピュータ可読媒体内に記憶されるか、またはそれらの何らかの組合せである、1つまたは複数のハードウェア構成要素であり得る。
【００７３】
図22は、処理システム2214を利用する装置2102'についてのハードウェア実装形態の一例を示す図2200である。処理システム2214は、バス2224によって全体的に表されるバスアーキテクチャで実装することができる。バス2224は、処理システム2214の特定の適用例および全体的な設計制約に応じて、任意の数の相互接続バスおよびブリッジを含み得る。バス2224は、プロセッサ2204、モジュール2110、2112、2114、2116、およびコンピュータ可読媒体2206によって表される、1つまたは複数のプロセッサおよび/またはハードウェアモジュールを含む様々な回路を互いにリンクさせる。バス2224は、タイミングソース、周辺機器、電圧調整器、および電力管理回路などの様々な他の回路をリンクさせることもできるが、これらの回路は当技術分野でよく知られており、したがってこれ以上は記載しない。
【００７４】
処理システム2214は、トランシーバ2210に結合される場合がある。トランシーバ2210は、1つまたは複数のアンテナ2220に結合される。トランシーバ2210は、伝送媒体上の様々な他の装置と通信するための手段を提供する。トランシーバ2210は、1つまたは複数のアンテナ2220から信号を受信して、受信された信号から情報を抽出して、抽出された情報を処理システム2214に提供する。加えて、トランシーバ2210は、処理システム2214から情報を受信して、受信された情報に基づいて、1つまたは複数のアンテナ2220に印加される信号を生成する。処理システム2214は、コンピュータ可読媒体2206に結合されたプロセッサ2204を含む。プロセッサ2204は、コンピュータ可読媒体2206上に記憶されたソフトウェアの実行を含む全般的な処理を担う。ソフトウェアは、プロセッサ2204によって実行されると、任意の特定の装置の上記で説明した様々な機能を処理システム2214に実行させる。コンピュータ可読媒体2206は、ソフトウェアを実行するときにプロセッサ2204によって操作されるデータを記憶するために使用されてもよい。処理システムは、モジュール2110、2112、2114、2116のうちの少なくとも1つをさらに含む。モジュールは、コンピュータ可読媒体2206に存在する/記憶される、プロセッサ2204において動作するソフトウェアモジュール、プロセッサ2204に結合された1つもしくは複数のハードウェアモジュール、またはそれらの何らかの組合せであり得る。処理システム2214は、UE650の構成要素であり得、メモリ660、ならびに/または、TXプロセッサ668、RXプロセッサ656、およびコントローラ/プロセッサ659のうちの少なくとも1つを含み得る。
【００７５】
一構成では、ワイヤレス通信のための装置2102/2102'は、eNBとのユニキャストベアラをセットアップするための手段と、ユニキャストベアラをセットアップする間に、eNBにグループ呼設定シグナリングを送るための手段とを含む。装置は、MBMSベアラを介してトークバースト制御メッセージを受信するための手段をさらに含み得る。装置は、第1の組のMTKに基づいて暗号化された第1のトークバースト制御メッセージを送るための手段と、第1の組のMTKとは異なる第2の組のMTKに基づいて暗号化された第2のトークバースト制御メッセージを受信するための手段と、第1の組のMTKおよび第2の組のMTKとは異なる第3の組のMTKに基づいてPTT/PTXデータを送るための手段とをさらに含み得る。装置は、MBMSベアラを介して1つまたは複数のターゲットUEに送信されるべきPTT/PTXデータを送るための手段をさらに含み得る。上記の手段は、装置2102の上記のモジュール、および/または上記の手段によって列挙された機能を実行するように構成された装置2102'の処理システム2214のうちの1つまたは複数であり得る。上記に記載されたように、処理システム2214は、TXプロセッサ668、RXプロセッサ656、およびコントローラ/プロセッサ659を含む場合がある。したがって、一構成では、上記の手段は、上記の手段によって列挙された機能を実行するように構成された、TXプロセッサ668、RXプロセッサ656、およびコントローラ/プロセッサ659であり得る。
【００７６】
図23は、ワイヤレス通信の方法のフローチャート2300である。この方法は、UEによって実行され得る。UEは、MBMSを介した通信のためにPTT/PTX呼設定を実行する。ステップ2302で、UEは、eNBとのユニキャストベアラをセットアップする。ステップ2304で、UEは、ユニキャストベアラをセットアップする間に、eNBからグループ呼設定シグナリングを受信する。ステップ2306で、UEは、MBMSベアラを介してトークバースト制御メッセージを受信することができる。ステップ2308で、UEは、MBMSベアラを介してPTT/PTXデータを受信することができる。
【００７７】
グループ呼設定シグナリングは、MBMSベアラのためのサービス告知および発見情報とすることができる。グループ呼設定シグナリングは、SIP招待要求を含み得る。UEは、RRC接続要求を送り、RRC接続セットアップ応答を受信し、RRC接続完了メッセージを送ることによって、ユニキャストベアラをセットアップすることができる。UEは、RRC接続セットアップ応答でグループ呼設定シグナリングを受信することができる。たとえば、図17を参照すると、UE1730は、RRC接続セットアップ応答でSIP招待要求を受信する。
【００７８】
ステップ2306で、UEは、MBMSベアラを介してトークバースト制御メッセージを受信する。トークバースト制御メッセージは、PTT/PTX通信を送るユーザの識別情報、またはPTT/PTX通信がいつ受信されるかを示すためのスケジューリング情報のうちの少なくとも1つとすることができる。UEは、UDP、SIP、HTTP、FDTインスタンス、またはOMAシグナリングのうちの1つを介してトークバースト制御メッセージを受信し得る。たとえば、図17を参照すると、UE1730は、トークバースト制御メッセージで話者識別情報を受信する。
【００７９】
一構成では、MBMSのセッションは、事前構成されたTMGIまたはMBMSユーザサービス識別子により常時オンである。図17を参照すると、そのような構成では、PoCサーバ1716によるMBMSセッション確立ステップと、BM-SC1720によるeMBMSセッションセットアップステップは実行されない。
【００８０】
一構成では、ステップ2306で、UEは、第1の組のMTKに基づいて暗号化されたトークバースト制御メッセージを受信する。ステップ2308で、UEは、第1の組のMTKとは異なる第2の組のMTKに基づいてMBMSベアラ上でPTT/PTXデータを受信する。たとえば、図19を参照すると、UE1906は、MTK2を含む第1の組のMTKに基づいて暗号化されたトークバースト制御メッセージを受信する。UEは、MTK3を含む第2の組のMTKに基づいて、MBMSベアラ上でPTT/PTXデータを受信する。第2の組のMTKは、第1の組のMTKとは異なる。図17を参照すると、たとえば、MTK2に基づいて暗号化されたトークバースト制御メッセージは、話者識別情報でもよい。
【００８１】
図24は、例示的な装置2402における異なるモジュール/手段/構成要素間のデータフローを示す概念的なデータフロー図2400である。装置は、UEであり得る。UEは、MBMSを介した通信のためにPTT/PTX呼設定を実行する。UEは、eNB2450とのユニキャストベアラをセットアップするように構成されたユニキャストベアラセットアップモジュール2414を含む。ユニキャストベアラセットアップモジュール2414は、ユニキャストベアラセットアップを実行するために、受信モジュール2410および送信モジュール2416と通信する。UEは、ユニキャストベアラをセットアップする間に、グループ呼設定シグナリングをeNBから受信するように構成されたグループ呼設定シグナリングモジュール2412を含む。
【００８２】
装置は、上記の図23のフローチャートおよび図14〜図19の図内のアルゴリズムのステップの各々を実行する追加のモジュールを含む場合がある。そのため、上述した図内の各ステップは、モジュールによって実行されてよく、装置は、これらのモジュールの1つまたは複数を含むことができる。モジュールは、指定されたプロセス/アルゴリズムを実行するように明確に構成されるか、指定されたプロセス/アルゴリズムを実行するように構成されたプロセッサによって実施されるか、プロセッサによる実施のためにコンピュータ可読媒体内に記憶されるか、またはそれらの何らかの組合せである、1つまたは複数のハードウェア構成要素であり得る。
【００８３】
図25は、処理システム2514を利用する装置2402'についてのハードウェア実装形態の一例を示す図2500である。処理システム2514は、バス2524によって全体的に表されたバスアーキテクチャで実装される場合がある。バス2524は、処理システム2514の特定の適用例および全体的な設計制約に応じて、任意の数の相互接続するバスおよびブリッジを含む場合がある。バス2524は、プロセッサ2504、モジュール2410、2412、2414、2416、およびコンピュータ可読媒体2506によって表される、1つまたは複数のプロセッサおよび/またはハードウェアモジュールを含む様々な回路を互いにリンクさせる。バス2524は、タイミングソース、周辺機器、電圧調整器、および電力管理回路などの様々な他の回路をリンクさせることもできるが、これらの回路は当技術分野でよく知られており、したがってこれ以上は記載しない。
【００８４】
処理システム2514は、トランシーバ2510に結合される場合がある。トランシーバ2510は、1つまたは複数のアンテナ2520に結合される。トランシーバ2510は、伝送媒体上の様々な他の装置と通信するための手段を提供する。トランシーバ2510は、1つまたは複数のアンテナ2520から信号を受信して、受信された信号から情報を抽出して、抽出された情報を処理システム2514に提供する。加えて、トランシーバ2510は、処理システム2514から情報を受信して、受信された情報に基づいて、1つまたは複数のアンテナ2520に印加される信号を生成する。処理システム2514は、コンピュータ可読媒体2506に結合されたプロセッサ2504を含む。プロセッサ2504は、コンピュータ可読媒体2506上に記憶されたソフトウェアの実行を含む全般的な処理を担う。ソフトウェアは、プロセッサ2504によって実行されると、任意の特定の装置の上記で説明した様々な機能を処理システム2514に実行させる。コンピュータ可読媒体2506は、ソフトウェアを実行するときにプロセッサ2504によって操作されるデータを記憶するために使用されてもよい。処理システムは、モジュール2410、2412、2414、2416のうちの少なくとも1つをさらに含む。モジュールは、コンピュータ可読媒体2506に存在する/記憶される、プロセッサ2504において動作するソフトウェアモジュール、プロセッサ2504に結合された1つもしくは複数のハードウェアモジュール、またはそれらの何らかの組合せであり得る。処理システム2514は、UE650の構成要素であり得、メモリ660、ならびに/または、TXプロセッサ668、RXプロセッサ656、およびコントローラ/プロセッサ659のうちの少なくとも1つを含み得る。
【００８５】
一構成では、ワイヤレス通信のための装置2402/2402'は、eNBとのユニキャストベアラをセットアップするための手段と、ユニキャストベアラをセットアップする間に、eNBからグループ呼設定シグナリングを受信するための手段とを含む。装置は、MBMSベアラを介してトークバースト制御メッセージを受信するための手段をさらに含み得る。装置は、MBMSベアラ上でPTT/PTXデータを受信するための手段をさらに含み得る。装置は、第1の組のMTKに基づいて暗号化されたトークバースト制御メッセージを受信するための手段と、第1の組のMTKとは異なる第2の組のMTKに基づいてMBMSベアラ上でPTT/PTXデータを受信するための手段とをさらに含み得る。上記の手段は、装置2402の上記のモジュール、および/または上記の手段によって列挙された機能を実行するように構成された装置2402'の処理システム2514のうちの1つまたは複数であり得る。上記に記載されたように、処理システム2514は、TXプロセッサ668、RXプロセッサ656、およびコントローラ/プロセッサ659を含む場合がある。したがって、一構成では、上記の手段は、上記の手段によって列挙された機能を実行するように構成された、TXプロセッサ668、RXプロセッサ656、およびコントローラ/プロセッサ659であり得る。
【００８６】
図26は、ワイヤレス通信の方法のフローチャート2600である。この方法は、UEによって実行され得る。UEは、MBMSを介した通信のためにPTT/PTX呼設定を実行する。ステップ2602で、UEは、RRCアイドル状態である間に、グループページを受信する。ステップ2604で、UEは、グループページにおける情報に基づいてグループ呼設定シグナリングを受信する。ステップ2606で、UEは、MBMSベアラを介してトークバースト制御メッセージを受信することができる。ステップ2608で、UEは、MBMSベアラ上でPTT/PTXデータを受信することができる。
【００８７】
グループページは、TMGIを含み得る。グループページがTMGIを含む場合、UEは、TMGIに対応するMBMSベアラに同調し、次いで、MBMSベアラ上でグループ呼設定シグナリングを受信する。グループ呼設定シグナリングは、MBMSベアラのためのサービス告知および発見情報を含み得る。サービス告知および発見情報は、セキュリティキーを含み得る。セキュリティキーは、MGKによって保護されているMSKとすることができる。グループ呼設定シグナリングは、MBMSベアラ上で受信され得る。グループ呼設定シグナリングは、SIP招待要求を含み得る。たとえば、図18を参照すると、UE1830は、TMGIを含むグループページを受信する。UE1830は、MCCH上で制御情報を受信し、TMGIに対応するMTCHに同調する。次いで、UE1830は、MTCH上でSIPを受信する。SIPは、SDPオファー、PTT/PTXデータ/メディア通信を受信するためのTMGI、およびMSGによって保護されているMSKを含み得る。
【００８８】
ステップ2606で、UEは、MBMSベアラを介してトークバースト制御メッセージを受信する。トークバースト制御メッセージは、PTT/PTX通信を送るユーザの識別情報、またはPTT/PTX通信がいつ受信されるかを示すためのスケジューリング情報のうちの少なくとも1つを含み得る。たとえば、図18を参照すると、トークバースト制御メッセージは、話者識別情報を含む。トークバースト制御メッセージは、UDP、SIP、HTTP、FDTインスタンス、またはOMAシグナリングのうちの1つを介して受信され得る。
【００８９】
一構成では、MBMSのセッションは、事前構成されたTMGIまたはMBMSユーザサービス識別子により常時オンである。たとえば、図18を参照すると、MBMSのセッションが常時オンである場合、PoCサーバ1816は、MBMSセッション確立ステップを実行せず、BM-SC1818は、eMBMSセッションセットアップステップを実行しない。
【００９０】
一構成では、ステップ2606で、UEは、第1の組のMTKに基づいて暗号化されたトークバースト制御メッセージを受信することができる。ステップ2608で、UEは、第1の組のMTKとは異なる第2の組のMTKに基づいてMBMSベアラ上でPTT/PTXデータを受信し得る。たとえば、図19を参照すると、UE1906は、MTK2を含む第1の組のMTKに基づいて暗号化されたトークバースト制御メッセージを受信する。UEは、MTK3を含む第2の組のMTKに基づいて、MBMSベアラ上でPTT/PTXデータを受信する。第2の組のMTKは、第1の組のMTKとは異なる。図18を参照すると、たとえば、MTK2に基づいて暗号化されたトークバースト制御メッセージは、話者識別情報でもよい。
【００９１】
図27は、例示的な装置2702における異なるモジュール/手段/構成要素間のデータフローを示す概念的なデータフロー図2700である。装置は、UEであり得る。UEは、MBMSを介した通信のためにPTT/PTX呼設定を実行する。UEは、RRCアイドル状態である間にグループページを受信するように構成されたグループページ処理モジュール2714を含む。グループページ処理モジュール2714は、eNB2750からMBMSベアラを介してグループ呼設定シグナリングを受信するように受信モジュール2710を構成する。受信モジュール2710は、グループページにおける情報に基づいてグループ呼設定シグナリングを受信するように構成される。受信モジュール2710は、グループ呼設定シグナリングモジュール2712にグループ呼設定シグナリングを提供する。グループ呼設定シグナリングモジュール2712は、eNB2750と通信する送信モジュール2716とインターフェースする。
【００９２】
装置は、上記の図26のフローチャートおよび図14〜図19の図内のアルゴリズムのステップの各々を実行する追加のモジュールを含む場合がある。そのため、上述した図内の各ステップは、モジュールによって実行されてよく、装置は、これらのモジュールの1つまたは複数を含むことができる。モジュールは、指定されたプロセス/アルゴリズムを実行するように明確に構成されるか、指定されたプロセス/アルゴリズムを実行するように構成されたプロセッサによって実施されるか、プロセッサによる実施のためにコンピュータ可読媒体内に記憶されるか、またはそれらの何らかの組合せである、1つまたは複数のハードウェア構成要素であり得る。
【００９３】
図28は、処理システム2814を利用する装置2702'についてのハードウェア実装形態の一例を示す図2800である。処理システム2814は、バス2824によって全体的に表されたバスアーキテクチャで実装される場合がある。バス2824は、処理システム2814の特定の適用例および全体的な設計制約に応じて、任意の数の相互接続するバスおよびブリッジを含む場合がある。バス2824は、プロセッサ2804、モジュール2710、2712、2714、2716、およびコンピュータ可読媒体2806によって表される、1つまたは複数のプロセッサおよび/またはハードウェアモジュールを含む様々な回路を互いにリンクさせる。バス2824は、タイミングソース、周辺機器、電圧調整器、および電力管理回路などの様々な他の回路をリンクさせることもできるが、これらの回路は当技術分野でよく知られており、したがってこれ以上は記載しない。
【００９４】
処理システム2814は、トランシーバ2810に結合される場合がある。トランシーバ2810は、1つまたは複数のアンテナ2820に結合される。トランシーバ2810は、伝送媒体上の様々な他の装置と通信するための手段を提供する。トランシーバ2810は、1つまたは複数のアンテナ2820から信号を受信して、受信された信号から情報を抽出して、抽出された情報を処理システム2814に提供する。加えて、トランシーバ2810は、処理システム2814から情報を受信して、受信された情報に基づいて、1つまたは複数のアンテナ2820に印加される信号を生成する。処理システム2814は、コンピュータ可読媒体2806に結合されたプロセッサ2804を含む。プロセッサ2804は、コンピュータ可読媒体2806上に記憶されたソフトウェアの実行を含む全般的な処理を担う。ソフトウェアは、プロセッサ2804によって実行されると、任意の特定の装置の上記で説明した様々な機能を処理システム2814に実行させる。コンピュータ可読媒体2806は、ソフトウェアを実行するときにプロセッサ2804によって操作されるデータを記憶するために使用されてもよい。処理システムは、モジュール2710、2712、2714、2716のうちの少なくとも1つをさらに含む。モジュールは、コンピュータ可読媒体2806に存在する/記憶される、プロセッサ2804において動作するソフトウェアモジュール、プロセッサ2804に結合された1つもしくは複数のハードウェアモジュール、またはそれらの何らかの組合せであり得る。処理システム2814は、UE650の構成要素であり得、メモリ660、ならびに/または、TXプロセッサ668、RXプロセッサ656、およびコントローラ/プロセッサ659のうちの少なくとも1つを含み得る。
【００９５】
一構成では、ワイヤレス通信のための装置2702/2702'は、RRCアイドル状態である間にグループページを受信するための手段と、グループページにおける情報に基づいてグループ呼設定シグナリングを受信するための手段とを含む。装置は、グループページがTMGIを含むとき、TMGIに対応するMBMSベアラに同調するための手段をさらに含み得る。そのような構成では、グループ呼設定シグナリングは、MBMSベアラ上で受信される。装置は、MBMSベアラを介してトークバースト制御メッセージを受信するための手段をさらに含み得る。装置は、MBMSベアラ上でPTT/PTXデータを受信するための手段をさらに含み得る。装置は、第1の組のMTKに基づいて暗号化されたトークバースト制御メッセージを受信するための手段と、第1の組のMTKとは異なる第2の組のMTKに基づいてMBMSベアラ上でPTT/PTXデータを受信するための手段とをさらに含み得る。上記の手段は、装置2702の上記のモジュール、および/または上記の手段によって列挙された機能を実行するように構成された装置2702'の処理システム2814のうちの1つまたは複数であり得る。上記に記載されたように、処理システム2814は、TXプロセッサ668、RXプロセッサ656、およびコントローラ/プロセッサ659を含む場合がある。したがって、一構成では、上記の手段は、上記の手段によって列挙された機能を実行するように構成された、TXプロセッサ668、RXプロセッサ656、およびコントローラ/プロセッサ659であり得る。
【００９６】
図29は、ワイヤレス通信の方法のフローチャート2900である。方法は、1つまたは複数のネットワークエンティティを含むネットワークによって実行され得る。ネットワークは、MBMSを介した通信のためにPTT/PTX呼設定を実行する。ステップ2902で、ネットワークは、1つまたは複数のユニキャストベアラをセットアップし得る。ステップ2904で、ネットワークは、発信側UEおよび2つ以上のターゲットUEのPTT/PTX通信のためのMBMSセッションをセットアップする。ステップ2906で、ネットワークは、発信側UEおよびターゲットUEにグループ呼設定シグナリングを送る。グループ呼設定シグナリングは、ユニキャストベアラまたはMBMSベアラを介して送られ得る。ステップ2908で、ネットワークは、MBMSベアラを介してトークバースト制御メッセージを送る。ステップ2910で、ネットワークは、発信側UEから受信されたPTT/PTXデータを、MBMSベアラを介してターゲットUEに送る。たとえば、図17を参照すると、ネットワークは、UE1702、1730のためにユニキャストベアラをセットアップする。加えて、ネットワークは、UE1702、1730のPTT/PTX通信のためのMBMSセッションをセットアップする(MBMSセッション確立ステップおよびeMBMSセッションセットアップステップを参照)。図17で、グループ呼設定シグナリングは、ユニキャストベアラを介してUE1730に送られる。しかしながら、図18で、グループ呼設定シグナリングは、MBMSベアラを介してUE1830に送られる。ネットワークは、MBMSベアラを介して、トークバースト確認および話者識別情報などのトークバースト制御メッセージを送る。さらに、ネットワークは、UE1702、1802から受信されたPTT/PTXデータをMBMSベアラ上でそれぞれUE1730、1830に送る。
【００９７】
ネットワークは、発信側UEからPTT/PTX通信のためのターゲットUEのリストを受信し得る。適応的なMBSFNに関して、ネットワークは、発信側UEおよびターゲットUEの位置に基づいて、基地局がマルチキャストブロードキャストサービスエリアまたはMBSFNエリアのうちの少なくとも1つの一部であるかどうかを決定することができる。加えて、ネットワークは、基地局がマルチキャストブロードキャストサービスエリアまたはMBSFNエリアのうちの少なくとも1つの一部であるかどうかを示す情報を基地局に送ることができる。ネットワークは、マルチキャストブロードキャストサービスエリアまたはMBSFNエリアのうちの少なくとも1つにおいてMBMSセッションをセットアップし得る。ネットワークは、ターゲットUEに関連したカウント情報に基づいて、マルチキャストブロードキャストサービスエリアまたはMBSFNエリアのうちの少なくとも1つを変更することができる。カウント情報については、図8〜図13に関して上述した。
【００９８】
グループ呼設定シグナリングは、MBMSベアラのためのサービス告知および発見情報を含み得る。サービス告知および発見情報は、セキュリティキーを含み得る。セキュリティキーは、MGKによって保護されているMSKとすることができる。グループ呼設定シグナリングは、SIP招待要求を含み得る。グループ呼設定シグナリングは、MBMSベアラ上で送られ得る。
【００９９】
ネットワークは、RRC接続要求を受信し、RRC接続セットアップ応答を送り、RRC接続完了メッセージを受信することによって、ターゲットUEとのユニキャストベアラをセットアップし得る。グループ呼設定シグナリングは、RRC接続セットアップ応答で送られ得る。ステップ2908で、ネットワークは、MBMSベアラを介してトークバースト制御メッセージを送り得る。トークバースト制御メッセージは、PTT/PTX通信を送るユーザの識別情報、またはPTT/PTX通信がいつ受信されるかを示すためのスケジューリング情報のうちの少なくとも1つを含み得る。トークバースト制御メッセージは、PTT/PTX通信を送ることができることの表示、PTT/PTX通信を送ることができないことの表示、またはPTT/PTX通信をいつ送ることができるかを示すためのスケジューリング情報のうちの少なくとも1つを含み得る。トークバースト制御メッセージは、UDP、SIP、HTTP、FDTインスタンス、またはOMAシグナリングのうちの1つを介して送られ得る。
【０１００】
一構成では、MBMSのセッションは、事前構成されたTMGIまたはMBMSユーザサービス識別子により常時オンである。MBMSのセッションが常時オンである場合、図16、図17、および図18のMBMSセッション確立ステップおよびMBMSセッションセットアップステップは実行されない。
【０１０１】
ネットワークは、ターゲットUEにグループページを送ることができる。グループページは、TMGIを含み得る。ネットワークは、TMGIに対応するMBMSベアラ上でグループ呼設定シグナリングを送ることができる。たとえば、図18を参照すると、eNB1828は、UE1830にグループページを送る。グループページは、TMGIを含む。eNB1828は、TMGIに対応するMBMSベアラ上でSIPを含むグループ呼設定シグナリングをUE1830に送る。
【０１０２】
一構成では、ネットワークは、発信側UEから第1のトークバースト制御メッセージを受信する。第1のトークバースト制御メッセージは、第1の組のMTKに基づいて暗号化される。ネットワークは、発信側UEに第2のトークバースト制御メッセージを送る。第2のトークバースト制御メッセージは、第1の組のMTKとは異なる第2の組のMTKに基づいて暗号化される。ネットワークは、ターゲットUEに第3のトークバースト制御メッセージを送る。第3のトークバースト制御メッセージは、第2の組のMTKに基づいて暗号化される。ネットワークは、第1の組のMTKおよび第2の組のMTKとは異なる第3の組のMTKに基づいて暗号化されたPTT/PTXデータを受信する。ネットワークは、MBMSベアラ上で受信されたPTT/PTXデータを送る。
【０１０３】
図30は、例示的な装置3002における異なるモジュール/手段/構成要素間のデータフローを示す概念的なデータフロー図3000である。装置は、1つまたは複数のネットワークエンティティを含むネットワークであり得る。ネットワークは、発信側UEおよびターゲットUE3050のPTT/PTX通信のためのMBMSセッションをセットアップするように構成されたMBMSセッションセットアップモジュール3014を含む。MBMSセッションセットアップモジュールは、MBMSセッションセットアップを容易にするために、受信モジュール3010および送信モジュール3016と通信する。ネットワークは、グループ呼設定シグナリングを発信側UEおよびターゲットUEに送るように構成されたグループ呼設定シグナリングモジュール3012を含む。
【０１０４】
装置は、上記の図29のフローチャートおよび図8〜図19の図内のアルゴリズムのステップの各々を実行する追加のモジュールを含む場合がある。そのため、上述した図内の各ステップは、モジュールによって実行されてよく、装置は、これらのモジュールの1つまたは複数を含むことができる。モジュールは、指定されたプロセス/アルゴリズムを実行するように明確に構成されるか、指定されたプロセス/アルゴリズムを実行するように構成されたプロセッサによって実施されるか、プロセッサによる実施のためにコンピュータ可読媒体内に記憶されるか、またはそれらの何らかの組合せである、1つまたは複数のハードウェア構成要素であり得る。
【０１０５】
図31は、処理システム3114を利用する装置3002'についてのハードウェア実装形態の一例を示す図3100である。処理システム3114は、バス3124によって全体的に表されたバスアーキテクチャで実装される場合がある。バス3124は、処理システム3114の特定の適用例および全体的な設計制約に応じて、任意の数の相互接続するバスおよびブリッジを含む場合がある。バス3124は、プロセッサ3104、モジュール3010、3012、3014、3016、およびコンピュータ可読媒体3106によって表される、1つまたは複数のプロセッサおよび/またはハードウェアモジュールを含む様々な回路を互いにリンクさせる。バス3124は、タイミングソース、周辺機器、電圧調整器、および電力管理回路などの様々な他の回路をリンクさせることもできるが、これらの回路は当技術分野でよく知られており、したがってこれ以上は記載しない。
【０１０６】
処理システム3114は、トランシーバ3110に結合される場合がある。トランシーバ3110は、1つまたは複数のアンテナ3120に結合される。トランシーバ3110は、伝送媒体上の様々な他の装置と通信するための手段を提供する。トランシーバ3110は、1つまたは複数のアンテナ3120から信号を受信して、受信された信号から情報を抽出して、抽出された情報を処理システム3114に提供する。加えて、トランシーバ3110は、処理システム3114から情報を受信して、受信された情報に基づいて、1つまたは複数のアンテナ3120に印加される信号を生成する。処理システム3114は、コンピュータ可読媒体3106に結合されたプロセッサ3104を含む。プロセッサ3104は、コンピュータ可読媒体3106上に記憶されたソフトウェアの実行を含む全般的な処理を担う。ソフトウェアは、プロセッサ3104によって実行されると、任意の特定の装置の上記で説明した様々な機能を処理システム3114に実行させる。コンピュータ可読媒体3106は、ソフトウェアを実行するときにプロセッサ3104によって操作されるデータを記憶するために使用されてもよい。処理システムは、モジュール3010、3012、3014、3016のうちの少なくとも1つをさらに含む。モジュールは、コンピュータ可読媒体3106に存在する/記憶される、プロセッサ3104において動作するソフトウェアモジュール、プロセッサ3104に結合された1つもしくは複数のハードウェアモジュール、またはそれらの何らかの組合せであり得る。
【０１０７】
一構成では、ワイヤレス通信のための装置3002/3002'は、発信側UEおよびターゲットUEのPTT/PTX通信のためのMBMSセッションをセットアップするための手段と、発信側UEおよびターゲットUEにグループ呼設定シグナリングを送るための手段とを含む。装置は、発信側UEからPTT/PTX通信のためのターゲットUEのリストを受信するための手段をさらに含み得る。装置は、発信側UEおよびターゲットUEの位置に基づいて、基地局がマルチキャストブロードキャストサービスエリアまたはMBSFNエリアのうちの少なくとも1つの一部であるかどうかを決定するための手段をさらに含むことができる。装置は、基地局がマルチキャストブロードキャストサービスエリアまたはMBSFNエリアのうちの少なくとも1つの一部であるかどうかを示す情報を基地局に送るための手段をさらに含むことができる。マルチキャストブロードキャストサービスエリアまたはMBSFNエリアのうちの少なくとも1つにおいてMBMSセッションがセットアップされ得る。装置は、ターゲットUEに関連したカウント情報に基づいて、マルチキャストブロードキャストサービスエリアまたはMBSFNエリアのうちの少なくとも1つを変更するための手段をさらに含むことができる。装置は、RRC接続要求を受信し、RRC接続セットアップ応答を送り、RRC接続完了メッセージを受信することによって、ターゲットUEとのユニキャストベアラをセットアップするための手段をさらに含み得る。グループ呼設定シグナリングは、RRC接続セットアップ応答で送られ得る。装置は、MBMSベアラを介してトークバースト制御メッセージを送るための手段をさらに含み得る。装置は、発信側UEから受信されたPTT/PTXデータをMBMSベアラ上でターゲットUEに送るための手段をさらに含み得る。装置は、第1の組のMTKに基づいて暗号化されたトークバースト制御メッセージを送るための手段と、第1の組のMTKとは異なる第2の組のMTKに基づいてMBMSを介してPTT/PTXデータを送るための手段とをさらに含み得る。装置は、ターゲットUEにグループページを送るための手段をさらに含み得る。装置は、発信側UEから第1のトークバースト制御メッセージを受信するための手段をさらに含み得る。第1のトークバースト制御メッセージは、第1の組のMTKに基づいて暗号化され得る。装置は、発信側UEに第2のトークバースト制御メッセージを送るための手段をさらに含み得る。第2のトークバースト制御メッセージは、第1の組のMTKとは異なる第2の組のMTKに基づいて暗号化され得る。装置は、ターゲットUEに第3のトークバースト制御メッセージを送るための手段をさらに含み得る。第3のトークバースト制御メッセージは、第2の組のMTKに基づいて暗号化され得る。装置は、第1の組のMTKおよび第2の組のMTKとは異なる第3の組のMTKに基づいて暗号化されたPTT/PTXデータを受信するための手段をさらに含み得る。装置は、MBMSベアラ上で受信されたPTT/PTXデータを送るための手段をさらに含み得る。上記の手段は、装置3002の上記のモジュール、および/または上記の手段によって列挙された機能を実行するように構成された装置3002'の処理システム3114のうちの1つまたは複数であり得る。
【０１０８】
図32は、ユニキャストベアラ、グループベアラ、およびMBMSベアラを介したPTT/PTXを示す図3200である。図32に示されるように、PoCサーバ3202は、eNB、P-GW/SGWを介してユニキャストチャネルから、UE3210からIPパケットを受信する。PoCサーバ3202は、IMSを介してユニキャストIPパケットをBM-SC3204に送る。BM-SC3204は、SG-imbインターフェースを介してIPパケット(今はマルチキャスト/ブロードキャストIPパケットと呼ばれる)をMBMS-GW3206に送る。MBMS-GW3206は、M1インターフェースを介してマルチキャスト/ブロードキャストIPパケットをeNB3208に転送する。このシグナリングは、SGmbインターフェースを介したBM-SC3204とMBMS-GW3206との間のシグナリング、Smインターフェースを介したMBMS-GW3206とMMEとの間のシグナリング、M3インターフェースを介したMMEとMCE3208との間のシグナリング、およびM2インターフェースを介したMCE3208とeNB3208との間のシグナリングである。eNB3208は、対応するMTCH上で搬送されるeMBMSサービスとして、マルチキャスト/ブロードキャストIPパケットをUE3212にブロードキャストする。
【０１０９】
さらに、図32に示されるように、PoCサーバ3202は、IMSを介してユニキャストIPパケットをP-GW3220に送る。P-GW3220は、ユニキャストIPパケットをSGW3222に送る。SGW3222はユニキャストIPパケットをeNB/MME3224に送り、eNB/MME3224はグループベアラを介してユニキャストIPパケットをUE3226に送る。加えて、SGW3222はユニキャストIPパケットをeNB/MME3228に送り、eNB/MME3228はユニキャストベアラを介してユニキャストIPパケットをUE3230に送る。例示的な構成では、UEは、グループベアラを介してPTT/PTX通信を受信することが可能であり得る。UEは、ユニキャストベアラ、グループベアラ、およびMBMSベアラの1つまたは複数を介してUEがPTT/PTX通信を受信することが可能であるかどうかを、ネットワークに示すことができる。ネットワークがPTT/PTX通信を受信するとき、ネットワークは、PTT/PTX通信を送達するために、ユニキャストベアラを利用するか、グループベアラを利用するか、および/またはMBMSベアラを利用するかを決定することができる。ネットワークは、ターゲットUEのベアラ能力(すなわち、PTT/PTX通信の意図された受信者)、ターゲットUEの数(すなわち、UEグループのサイズ)、ファイル修復が必要とされるかどうか、PTT/PTX通信のタイプ、PTT/PTX通信の重要性などに基づいて、そのような決定を行うことができる。たとえば、グループのサイズが小さい場合、PTT/PTX通信が重要である場合、または、PTT/PTX通信がファイル修復(たとえば、ソフトウェア更新)を必要とし得る場合、ネットワークは、ユニキャストベアラを介してPTT/PTX通信を送ると決定することができる。別の例では、グループのサイズが大きい場合、PTT/PTX通信があまり重要ではない場合、PTT/PTX通信の再送信が望まれない場合、または、PTT/PTX通信が音声または生のビデオである場合、ネットワークは、MBMSベアラを介してPTT/PTX通信を送ると決定することができる。別の例では、グループのサイズが小と大の間である場合、ネットワークは、グループベアラ(または複数のグループベアラ)を介してPTT/PTX通信を送ると決定することができる。
【０１１０】
図33は、グループベアラ確立手順を示す図3300である。ステップ0において、PoC/マシンタイプ通信(MTC)サーバが、マルチキャスト/ブロードキャストデータ送信のためのグループ呼セットアップ要求を受信する。一例では、マルチキャスト/ブロードキャストデータ送信はPTT/PTX通信である。ステップ1において、PoC/MTCサーバが、グループベアラ要求をグループゲートウェイ(Group-GW)に送る。Group-GWは、ターゲットUEのMMEにサービスするためにホーム加入者サーバ(HSS)に問い合わせ、マルチキャストIPおよび汎用パケット無線サービス(GPRS)トンネリングプロトコルユーザプレーン(GTP-U)トンネルを割り当てる。ステップ2において、Group-GWが、グループベアラを作成するための要求をMMEに送る。この要求は、マルチキャストIP、GTP-Uトンネル情報、グループベアラを識別するグループ識別子(ID)、サービス品質(QoS)情報、およびターゲットUEを含み得る。ステップ3において、MMEの各々が、グループベアラをローカルに確立し、ターゲットUEにサービスするeNBにおいてグループベアラを確立するためにグループベアラ割当て要求を関連するeNBに送る。eNBは、グループベアラのためのグループベアラコンテキストを確立する。グループベアラパラメータ(グループベアラコンテキスト情報とも呼ばれる)は、ベアラID、グループID、グループRNTI(G-RNTI)、ターゲットUEのリスト、RLC/PDCP構成、QoSプロファイル、IPアドレス、および受信タイプの1つまたは複数を含む。グループベアラパラメータは、非連続受信(DRX)構成を追加で含み得る。下でさらに論じられる受信タイプは、接続、ハイブリッド、またはアイドルの1つであり得る。ステップ4において、各eNBが、グループベアラ割当て応答によって関連するMMEに応答する。ステップ5において、各eNBが、ページングをグループに送る。ページングメッセージは、G-RNTI、グループID、および受信タイプを含む。ステップ6において、UEがグループIDに対応するグループに属す場合、UEは、サービングeNBからの共通制御チャネル(CCCH)または物理ダウンリンク共有チャネル(PDSCH)上で、メッセージの中でグループベアラパラメータを受信する。グループベアラパラメータを含むメッセージは、G-RNTIに基づいてスクランブルされる。メッセージはさらに、PDSCH上でマルチキャスト/ブロードキャストデータ送信を取得するための情報を含む。ステップ7において、受信タイプに応じて、ページングを受信しグループベアラパラメータを含むメッセージをデスクランブルするターゲットUEが、サービス要求手順によって接続モード(すなわち、RRC接続状態)に入り、接続モードにとどまり、アイドルモードに変更し、またはアイドルモードにとどまることができる。その後、UEグループベアラコンテキストが確立される。ステップ8において、各MMEが、Group-GWにグループベアラ作成応答を送る。ステップ9において、Group-GWが、PoC/MTCサーバにグループベアラ応答を送る。その後、UEは、eNBからのPDSCH上で、確立されたグループベアラを介してマルチキャスト/ブロードキャストデータ送信を受信することができる。
【０１１１】
上で論じられたように、受信タイプは、接続、ハイブリッド、またはアイドルであり得る。受信タイプが接続である場合、ターゲットUEは、マルチキャスト/ブロードキャストデータ送信を受信するためにRRC接続状態になければならない。RRC接続状態にあるUEは、CQIをサービングeNBに報告することができる。サービングeNBは、ターゲットUEからCQIを受信し、受信されたCQIに基づいてMCSを決定し、決定されたMCSにおいてマルチキャスト/ブロードキャストデータ送信を送る。第1の構成では、サービングeNBは、最悪のCQI(すなわち、最低のMCSに対応するCQI)を決定し、最悪のCQIに対応するMCSにおいてマルチキャスト/ブロードキャストデータ送信を送る。したがって、マルチキャスト/ブロードキャストデータ送信が、最悪の受信信号品質を伴うターゲットUEがマルチキャスト/ブロードキャストデータ送信を成功裏に復号することを可能にするMCSとともに送られるので、ターゲットUEのすべてが、マルチキャスト/ブロードキャストデータ送信を受信することができる。第2の構成では、サービングeNBは、特定の割合のターゲットUEがマルチキャスト/ブロードキャストデータ送信を受信することを可能にするであろうMCSを決定し、そのMCSにおいてマルチキャスト/ブロードキャストデータ送信を送る。第2の構成では、サービングeNBは、第1の構成の場合によりも高いMCSでマルチキャスト/ブロードキャストデータ送信を送ることができる。
【０１１２】
受信タイプがアイドルである場合、ターゲットUEは、マルチキャスト/ブロードキャストデータ送信に関連してCQIフィードバックを送らない。ターゲットUEは、他の目的で、たとえばターゲットUEがRRC接続状態にあるので、CQIフィードバックを送ることができる。すなわち、受信タイプがアイドルである場合、RRCアイドル状態にあるターゲットUEは、マルチキャスト/ブロードキャストデータ送信を受信するためにRRC接続状態に変更する必要はない。加えて、RRC接続状態にあるターゲットUEは、マルチキャスト/ブロードキャストデータ送信を受信するためにRRC接続状態を維持する必要はない。さらに、サービングeNBは、マルチキャスト/ブロードキャストデータ送信をターゲットUEに送るとき、(たとえば、RRC接続状態にあるターゲットUEから)受信されたCQIを考慮しない。サービングeNBは、十分な数のターゲットUEがマルチキャスト/ブロードキャストデータ送信を受信するように、低いMCSまたは最低の可能なMCSにおいてマルチキャスト/ブロードキャストデータ送信を送ることができる。
【０１１３】
受信タイプがハイブリッド(すなわち、アイドル受信タイプと接続受信タイプのハイブリッド)である場合、ターゲットUEは、マルチキャスト/ブロードキャストデータ送信を受信するためにRRC接続状態に入る必要はない。しかしながら、ターゲットUEが信号品質しきい値より低い受信信号品質を有する(たとえば、RSRP、RSRQ、RSSI、またはSINRがしきい値未満である)場合、ターゲットUEは、CQIフィードバックをサービングeNBに提供するために、RRC接続状態に入ることができる。サービングeNBは、マルチキャスト/ブロードキャストデータ送信を送るためのMCSを決定するとき、ターゲットUEから受信されたCQIを考慮する。サービングeNBは、ターゲットUEがRRC接続状態に入るべき信号品質しきい値を、グループベアラパラメータ(ステップ6において提供される)内で示すことができる。したがって、信号品質しきい値未満の受信信号品質を伴うターゲットUEはRRC接続状態に入ることができ、信号品質しきい値よりも高い受信信号品質を伴うターゲットUEはRRC接続状態に入る必要はない。ターゲットUEは、セル再選択パラメータ(たとえば、Sintersearch)を信号品質しきい値として使用することができる。受信信号品質が信号品質しきい値より高い場合でも、ターゲットUEは、セル変更が必要とされるとき(たとえば、別のセルへのハンドオーバ)、RRC接続状態に変更することができる。
【０１１４】
受信タイプが接続またはハイブリッドであり、ターゲットUEがRRC接続状態にあるとき、ターゲットUEは、CQIを報告し、サービングeNBが受信品質を確保するようにグループベアラをスケジュールすることができるように、ACKおよび/またはNACKを追加で報告することができる。サービングeNBがNACKを受信するとき、サービングeNBは、適切に受信されなかったマルチキャスト/ブロードキャストデータ送信パケットを再送信する。パケット交換ハンドオーバ(PSHO)手順を使用して、サービングeNBは、必要なときにUEをターゲットセルにハンドオーバすることができる。ハンドオーバの一部として、サービングeNBは、グループベアラコンテキスト情報をターゲットセルに送ることができる。受信タイプがアイドルであり、マルチキャスト/ブロードキャストデータ送信を受信することに現在関心のないセルにUEが入るとき、UEは、グループベアラ確立を要求するためのサービス要求手順を開始することができる。
【０１１５】
UEによってACK/NACKを送ることに関して、暗黙的なACK/NACKリソースのマッピング規則では、すべてのUEがUL中の同じリソースでACK/NACKを送り、これはACK/NACKの競合をもたらし得る。準静的な構成が、各UEのためのACK/NACKリソースを特定するために使用され得る。しかしながら、複数のUEが同じグループ中にあるとき、複数のACK/NACKリソースが割り振られる必要があり得る。一構成では、グループ内の1つのUEがマルチキャスト/ブロードキャストデータ送信パケットを受信することに失敗する場合、サービングeNBは、マルチキャスト/ブロードキャストデータ送信パケットをグループ中のすべてのUEに再送信する。サービングeNBは、ACK/NACKを送るためにPUCCHフォーマット1を使用するようにUEを構成することができる。したがって、マルチキャスト/ブロードキャストデータ送信パケットを成功裏に復号したUEは確認応答せず、マルチキャスト/ブロードキャストデータ送信パケットを復号することに失敗したUEは、G-RNTIと関連付けられるPDCCH中の第1の制御チャネル要素(CCE)インデックスに対する暗黙的なマッピング規則に従って、同じACK/NACKリソースでNACKを送る。ACK/NACKリソースは、マルチキャスト/ブロードキャストデータ送信をスケジュールするために使用されるPDCCHと関連付けられ得る。NACKが同じリソースで送られるので、2つ以上のUEがACKを送信するとき、サービングeNBは、SFN利得とともにNACKを受信する。サービングeNBがNACKを受信するとき、サービングeNBは、マルチキャスト/ブロードキャストデータ送信パケットを再送信する。ACK/NACKリソース上にDTXがある(すなわち、NACKが受信されない)場合、サービングeNBは、すべてのUEがマルチキャスト/ブロードキャストデータ送信パケットを成功裏に復号したと推測する。グループごとに単一のACK/NACKリソースのみが使用されるので、ACK/NACK手順はUL ACK/NACKオーバーヘッドを低減する。さらに、NACKは複数のユーザからのSFN利得を有し、増強されたACK/NACKの検出につながる。
【０１１６】
特定のパケットに関するグループ中の任意のUEからのNACKはそのグループ中のすべてのUEへのその特定のパケット再送信をもたらすので、上で与えられたACK/NACK手順は、より効率的なACK/NACKリソースの利用を規定するが、再送信がより非効率である。代替的に、サービングeNBは、再送信の間にネットワークコーディングARQ(NC-ARQ)を利用することができる。したがって、再送信パケットは複数のパケットに従ったものであり得る。たとえば、サービングeNBが第1および第2のマルチキャスト/ブロードキャストデータ送信パケットを送信し、第1のUEが第1のマルチキャスト/ブロードキャストデータ送信パケットを成功裏に復号することが可能ではなく、第2のUEが第2のマルチキャスト/ブロードキャストデータ送信パケットを成功裏に復号することが可能ではないと仮定する。第1のUEは、そのUEが第1のマルチキャスト/ブロードキャストデータ送信パケットを復号することが可能ではなかったことを示すためにNACKを送り、第2のUEは、そのUEが第2のマルチキャスト/ブロードキャストデータ送信パケットを復号することが可能ではなかったことを示すためにNACKを送る。サービングeNBは、第1および第2のマルチキャスト/ブロードキャストデータ送信パケットを(たとえば、XORを介して)組み合わせ、組み合わされたマルチキャスト/ブロードキャストデータ送信パケットを第1のUEおよび第2のUEに送ることができる。第1のUEおよび第2のUEの各々は、組み合わされたマルチキャスト/ブロードキャストデータ送信パケットを復号することが可能であると仮定する。第1のUEは、第2のマルチキャスト/ブロードキャストデータ送信パケットおよび組み合わされたマルチキャスト/ブロードキャストデータ送信パケットに基づいて第1のマルチキャスト/ブロードキャストデータ送信パケットを取得することができ、第2のUEは、第1のマルチキャスト/ブロードキャストデータ送信パケットおよび組み合わされたマルチキャスト/ブロードキャストデータ送信パケットに基づいて第2のマルチキャスト/ブロードキャストデータ送信パケットを取得することができる。この例において例証されるように、NC-ARQは、より効率的なeNBの再送信を規定するが、ACK/NACKリソースの利用はより非効率である。NC-ARQを利用することは、UEがRLCレベルで各々の個別のUEからのACK/NACKステータスを認識することを可能にする。
【０１１７】
ACKおよびCQIは同時に送信され得る。グループ中のUEがACKおよびCQIを同時に送信する必要があるとき、変調されたRSが普通のCPのために使用されてよく、ジョイントコーディングが拡張されたCPのために使用されてよい。ACK/NACKおよびCQIを同時に送信するUEは、PUCCHフォーマット1メッセージを使用しない。グループNACKでは、グループ内のUEは、CQIを送ることをスケジュールされていなければ、同じリソースでNACKを送る。そうではなく、UEがCQIを送ることをスケジュールされている場合、UEは、対応するCQIリソースでCQIとともに個々の通常のACK/NACKを送る。サービングeNBは、CQIを同時に送るようにスケジュールされているUEからのACK/NACKを検出する。再送信は、CQIに対する個々のACK/NACKに加えて、グループNACK検出に依存する。
【０１１８】
上で論じられたように、UEがRRC接続状態にあるとき、UEはCQIをフィードバックし、受信タイプが接続またはハイブリッドであるとき、サービングeNBは、グループ再送信をスケジュールするときに、受信されたCQIを考慮することができる。たとえば、サービングeNBは、最悪のCQIに基づいて、マルチキャスト/ブロードキャストデータ送信を送ることができる。一構成では、UEは、CQIがCQIしきい値より大きい場合、CQIフィードバックを提供する必要はない。そのような構成では、サービングeNBがCQIフィードバックを受信しない場合、サービングeNBは、CQIしきい値に対応するMCSに基づいてマルチキャスト/ブロードキャストデータ送信を送ることができ、サービングeNBがCQIフィードバックを受信する場合、サービングeNBは、最悪のCQIフィードバックに基づいてマルチキャスト/ブロードキャストデータ送信を送ることができる。以前のCQIフィードバックおよび/または測定報告に基づいて、サービングeNBは、異なるCQIフィードバック構成(たとえば、CQIフィードバック期間)によってUEを再構成することができる。サービングeNBは、低ジオメトリUE(すなわち、低い信号品質、より大きな経路損失を伴うUE)と比較して、より低い頻度でCQIフィードバックを提供するように、高ジオメトリUE(すなわち、高い信号品質、より小さな経路損失を伴うUE)を構成することができる。個々のACK/NACKフィードバックでは、サービングeNBは、CQIを送信するようにNACKフィードバックを伴ってUEをスケジュールすることができ、CQIを送信しないようにNACKフィードバックを伴わずにUEをスケジュールすることができる。複数のUEは、同じリソース上でのCQI送信のためにスケジュールされ得る。復号することに失敗したUEはCQIを送信することができ、かつ/または、CQIしきい値より低いCQIを有するUEはCQIを送信することができる。UEは、PDCCH中のeNBから、またはL3メッセージにおいて、たとえばRRCシグナリングを介して、CQIしきい値を受信することができる。
【０１１９】
グループベアラ内のすべてのUEは、UEがランク情報(RI)を送る必要がないランク1送信によって構成され得る。複数のUEがグループベアラにおいて構成されるとき、サービングeNBは、送信ダイバーシティ(TxD)モードによってUEを構成することができる。TxDモードでは、UEは、CQIフィードバックを計算するために、2つのeNB送信アンテナとともに空間周波数ブロック符号(SFBC)を使用することができ、または、4つのeNB送信アンテナとともにSFBC+周波数切替送信ダイバーシティ(FSTD)を使用することができる。TxDモードでは、UEは、プリコーディング行列インジケータ(PMI)フィードバックを送る必要はない。サービングeNBは、MU-MIMOモードを使用して、UEをスケジュールする(UEに送信する)ことができる。MU-MIMOでは、UEは、CQIおよびPMIを計算し、CQI/PMIをサービングeNBに送ることができる。ACK/NACKフィードバックは、通常のユニキャスト手順に従ったものであり得る。UEはさらに、サービングeNBがMU-MIMOモードにおいてUEをペアにできない場合、TxDに基づいてCQIを報告することができる。
【０１２０】
DRXに関して、グループベアラがアクティブ化されているとき、UEはグループDRX構成に従う。サービングeNBは、グループDRX構成のオン期間に、通常のユニキャストトラフィックをグループトラフィックとともにスケジュールすることができる。同じグループ内のすべてのUEがグループDRX構成に従うとすると、サービングeNBがオン期間においてより多くのUEをサービスし得るので、PDCCHの負荷は増大し得る。グループベアラが非アクティブ化されているとき、UEは、非グループDRX構成が構成されていればそれに従い得る。
【０１２１】
図34は、グループベアラを介してマルチキャスト/ブロードキャストデータ送信を受信するUEの方法のフローチャート3400である。ステップ3402において、UEは、グループベアラのタイプを含むページングメッセージを受信する。ステップ3404において、UEは、ページングメッセージにおいて受信されるグループベアラのタイプに基づいて、RRCアイドルモードにとどまり、もしくは変更するか、またはRRC接続モードにとどまり、もしくは変更するかを決定する。グループベアラのタイプは、アイドル、ハイブリッド、または接続の1つであり得る。具体的には、ステップ3404において、UEがRRCアイドルモードにある場合、UEは、RRCアイドルモードにとどまるかRRC接続モードに変更するかを決定し、UEがRRC接続モードにある場合、UEは、RRC接続モードにとどまるかRRCアイドルモードに変更するかを決定する。ステップ3404において、グループベアラのタイプがハイブリッドであるとき、UEは、受信信号品質、UEの移動性、またはマルチキャスト/ブロードキャストデータ送信の遅延要件の少なくとも1つに基づいて、RRCアイドルモードにとどまり、もしくは変更するか、またはRRC接続モードにとどまり、もしくは変更するかを決定することができる。UEの移動性は、UEが他のeNBのカバレッジへと動き得るかどうかである。UEが他のeNBのカバレッジへ動き得る場合、UEは、新たなeNBへの移動においてハンドオーバ手順を利用するために、RRC接続モードにとどまり、または変更すると決定することができる。遅延要件は、マルチキャスト/ブロードキャストデータ送信と関連付けられる許容可能な時間遅延である。マルチキャスト/ブロードキャストデータ送信が短い許容可能な時間遅延を有する場合、UEは、マルチキャスト/ブロードキャストデータ送信が短い許容可能な時間遅延内に受信され得るように、RRC接続モードにとどまり、または変更することができる。
【０１２２】
ページングメッセージはさらに、グループ識別子を含み得る。UEがグループ識別子と関連付けられる場合、UEはその後、グループベアラパラメータを受信することができる。ページングメッセージはさらに、G-RNTIを含み得る。UEは、G-RNTIに基づいて、受信されたグループベアラパラメータ(たとえば、PDSCHにおいて受信された)をデスクランブルすることができる。グループベアラパラメータは、ベアラ識別子、グループ識別子、G-RNTI、ターゲットUEのリスト、RLC/PDCP構成、QoSプロファイル、IPアドレス、およびグループベアラのタイプの少なくとも1つを含み得る。グループベアラパラメータは、グループDRX構成を含み得る。グループベアラがアクティブ化されているとき、UEは、グループDRX構成に基づいて、マルチキャスト/ブロードキャストデータ送信を受信することができる。
【０１２３】
ステップ3406において、UEは、グループベアラを介して、マルチキャスト/ブロードキャストデータ送信パケットを受信することができる。ステップ3408において、UEは、受信されたACK/NACK構成に基づいてACK/NACKを送ることができ、受信されたCQI構成に基づいてCQIを送ることができる。一構成では、UEは、マルチキャスト/ブロードキャストデータ送信パケットを復号することを試み、マルチキャスト/ブロードキャストデータ送信パケットを復号することが可能ではないときはNACKを送り、マルチキャスト/ブロードキャストデータ送信パケットを復号することが可能であるときはACKを送るのを控える。NACKは、PUCCHフォーマット1メッセージにおいて送られ得る。UEがPUCCHフォーマット1メッセージにおいてNACKを送るとき、UEは、NACKと同時にCQIフィードバックを送信するようにスケジュールされない。NACKは、他のUEによって共有される同じリソースにおいて送られ得る。リソースは、マルチキャスト/ブロードキャストデータ送信をスケジュールするために使用されるPDCCHと関連付けられ得る。
【０１２４】
グループベアラのタイプを決定すると、UEは、RRCアイドルモードにとどまるか、RRCアイドルモードからRRC接続モードに変更するか、RRC接続モードにとどまるか、またはRRC接続モードからRRCアイドルモードに変更するかを決定する。グループベアラのタイプがハイブリッドまたは接続であり、UEがCQIフィードバックを提供すると決定するとき、UEは、RRC接続モードにとどまり、または変更することを決定する。一構成では、UEはCQIフィードバック構成を受信する。CQIフィードバック構成は、以前に提供されたCQIフィードバックまたは測定報告に基づき得る。UEは、CQIフィードバック構成に基づいて、CQIフィードバックを送る。一構成では、UEは、グループベアラを介して、マルチキャスト/ブロードキャストデータ送信パケットを受信する。UEは、マルチキャスト/ブロードキャストデータ送信パケットを復号することを試み、マルチキャスト/ブロードキャストデータ送信パケットを復号することが可能ではないときはCQIフィードバックを送り、マルチキャスト/ブロードキャストデータ送信パケットを復号することが可能であるときはCQIフィードバックを送るのを控える。一構成では、UEは、CQIフィードバックを決定し、CQIフィードバックがCQIしきい値より小さいときはCQIフィードバックを送り、CQIフィードバックがCQIしきい値より大きいときはCQIフィードバックを送るのを控える。UEは、PDCCHまたはレイヤ3メッセージの1つを介してCQIしきい値を受信することができる。UEは、eNBからマルチキャスト/ブロードキャストデータ送信を受信し、受信されたマルチキャスト/ブロードキャストデータ送信を成功裏に復号するとNACKを送り、NC-ARQに基づいてマルチキャスト/ブロードキャストデータ送信の再送信を受信することができる。UEは、eNBからのランク1送信を介して、マルチキャスト/ブロードキャストデータ送信を受信するための構成を受信することができる。UEは、SFBCダイバーシティ方式と、SFBCおよびFSTDダイバーシティ方式の1つに基づいて、CQIフィードバックを決定し、CQIをeNBに送ることができる。一構成では、UEは、eNBからMU-MIMOを介してマルチキャスト/ブロードキャストデータ送信を受信するための構成を受信し、CQIフィードバックおよびPMIを決定し、決定されたCQIおよびPMIをeNBに送る。
【０１２５】
図35は、例示的な装置3502の中の様々なモジュール/手段/構成要素の間のデータフローを示す概念的なデータフロー図3500である。装置3502はUEであり得る。UEは、グループベアラを介して、マルチキャスト/ブロードキャストデータ送信を受信する。UEは、グループベアラのタイプを含むページングメッセージを受信するように構成される、受信モジュール3510を含む。UEは、ページングメッセージにおいて受信されるグループベアラのタイプに基づいて、RRCアイドルモードにとどまり、もしくは変更するか、またはRRC接続モードにとどまり、もしくは変更するかを決定するように構成される、RRCアイドル/接続モード決定モジュール3514を含む。グループベアラのタイプは、アイドル、ハイブリッド、または接続の1つであり得る。RRCアイドル/接続モード決定モジュール3514は、グループベアラのタイプがハイブリッドであるとき、受信信号品質、UEの移動性、またはマルチキャスト/ブロードキャストデータ送信の遅延要件の少なくとも1つに基づいて、RRCアイドルモードにとどまり、もしくは変更するか、またはRRC接続モードにとどまり、もしくは変更するかを決定することができる。具体的には、UEがRRCアイドルモードにある場合、RRCアイドル/接続モード決定モジュール3514は、RRCアイドルモードにとどまるかRRC接続モードに変更するかを決定し、UEがRRC接続モードにある場合、RRCアイドル/接続モード決定モジュール3514は、RRC接続モードにとどまるかRRCアイドルモードに変更するかを決定する。ページングメッセージはさらに、グループ識別子を含み得る。UEはさらに、UEがグループ識別子と関連付けられる場合にグループベアラパラメータを受信すると決定することができる、グループベアラ処理モジュール3512を含む。ページングメッセージはさらに、G-RNTIを含み得る。グループベアラ処理モジュール3512は、G-RNTIに基づいて、受信されたグループベアラパラメータをデスクランブルするように構成され得る。受信モジュール3510は、グループベアラを介して、マルチキャスト/ブロードキャストデータ送信パケットを受信するように構成され得る。グループベアラ処理モジュール3512は、マルチキャスト/ブロードキャストデータ送信パケットを復号することを試みるように構成され得る。グループベアラ処理モジュール3512は、グループベアラ処理モジュール3512がマルチキャスト/ブロードキャストデータ送信パケットを復号することが可能ではないときはNACKを送るように送信モジュール3516に要求し、グループベアラ処理モジュール3512がマルチキャスト/ブロードキャストデータ送信パケットを復号することが可能であるときはACKを送るのを控えるように送信モジュール3516に要求することができる。送信モジュール3516は、UEがNACKと同時にCQIフィードバックを送信するようにスケジュールされないとき、PUCCHフォーマット1メッセージにおいてNACKを送ることができる。グループベアラのタイプがハイブリッドまたは接続であるとき、RRCアイドル/接続モード決定モジュール3514は、RRC接続モードにとどまるか、または変更するかを決定することができる。受信モジュール3510は、CQIフィードバック構成を受信するように構成されてよく、送信モジュール3516は、CQIフィードバック構成に基づいてCQIフィードバックを送るように構成されてよい。受信モジュ��ル3510は、マルチキャスト/ブロードキャストデータ送信パケットを受信するように構成されてよく、グループベアラ処理モジュール3512は、マルチキャスト/ブロードキャストデータ送信パケットを復号することを試みるように構成されてよく、送信モジュール3516は、グループベアラ処理モジュール3512がマルチキャスト/ブロードキャストデータ送信パケットを復号することが可能ではないときはCQIフィードバックを送るように、グループベアラ処理モジュール3512がマルチキャスト/ブロードキャストデータ送信パケットを復号することが可能であるときはCQIフィードバックを送るのを控えるように構成されてよい。グループベアラ処理モジュール3512は、CQIフィードバックを決定するように構成されてよく、送信モジュール3516は、CQIフィードバックがCQIしきい値より小さいときはCQIフィードバックを送り、CQIフィードバックがCQIしきい値より大きいときはCQIフィードバックを送るのを控えるように構成されてよい。受信モジュール3510は、PDCCHまたはレイヤ3メッセージの1つを介して(たとえば、RRCシグナリングを介して)CQIしきい値を受信するように構成され得る。受信モジュール3510は、eNB3550からマルチキャスト/ブロードキャストデータ送信を受信するように構成されてよく、送信モジュール3516は、受信されたマルチキャスト/ブロードキャストデータ送信を成功裏に復号するとNACKを送り、NC-ARQに基づいてマルチキャスト/ブロードキャストデータ送信の再送信を受信するように構成されてよい。受信モジュール3510は、eNB3550からのランク1送信を介して、マルチキャスト/ブロードキャストデータ送信を受信するための構成を受信するように構成されてよい。グループベアラ処理モジュール3512は、SFBCダイバーシティ方式と、SFBCおよびFSTDダイバーシティ方式の1つに基づいて、CQIフィードバックを決定するように構成されてよく、送信モジュール3516は、CQIフィードバックをeNB3550に送るように構成されてよい。受信モジュール3510は、eNB3550からMU-MIMOを介してマルチキャスト/ブロードキャストデータ送信を受信するための構成を受信するように構成されてよく、グループベアラ処理モジュール3512は、CQIフィードバックおよびPMIを決定するように構成されてよく、送信モジュール3516は、決定されたCQIフィードバックおよびPMIをeNB3550に送るように構成されてよい。
【０１２６】
装置は、図34の上述のフローチャートおよび図8〜図19の図のアルゴリズムのステップの各々を実行する追加のモジュールを含み得る。したがって、上述の図の各ステップは、モジュールによって実行されてよく、装置は、これらのモジュールの1つまたは複数を含み得る。モジュールは、述べられたプロセス/アルゴリズムを実行するように明確に構成される、述べられたプロセス/アルゴリズムを実行するように構成されたプロセッサによって実装される、プロセッサによる実装のためにコンピュータ可読媒体内に記憶される、またはそれらの何らかの組合せである、1つまたは複数のハードウェア構成要素であり得る。
【０１２７】
図36は、処理システム3614を利用する装置3502'についてのハードウェア実装形態の一例を示す図3600である。処理システム3614は、バス3624によって全体的に表されるバスアーキテクチャで実装され得る。バス3624は、処理システム3614の特定の適用例および全体的な設計制約に応じて、任意の数の相互接続するバスおよびブリッジを含む場合がある。バス3624は、プロセッサ3604、モジュール3510、3512、3514、3516、およびコンピュータ可読媒体3606によって表される、1つまたは複数のプロセッサおよび/またはハードウェアモジュールを含む様々な回路を互いにリンクさせる。バス3624は、タイミングソース、周辺機器、電圧調整器、および電力管理回路などの様々な他の回路をリンクさせることもできるが、これらの回路は当技術分野でよく知られており、したがってこれ以上は記載しない。
【０１２８】
処理システム3614は、トランシーバ3610に結合され得る。トランシーバ3610は、1つまたは複数のアンテナ3620に結合される。トランシーバ3610は、伝送媒体上の様々な他の装置と通信するための手段を提供する。トランシーバ3610は、1つまたは複数のアンテナ3620から信号を受信して、受信された信号から情報を抽出して、抽出された情報を処理システム3614に提供する。加えて、トランシーバ3610は、処理システム3614から情報を受信して、受信された情報に基づいて、1つまたは複数のアンテナ3620に印加される信号を生成する。処理システム3614は、コンピュータ可読媒体3606に結合されたプロセッサ3604を含む。プロセッサ3604は、コンピュータ可読媒体3606に記憶されたソフトウェアの実行を含む全般的な処理を担う。ソフトウェアは、プロセッサ3604によって実行されると、任意の特定の装置の上で説明された様々な機能を処理システム3614に実行させる。コンピュータ可読媒体3606は、ソフトウェアを実行するときにプロセッサ3604によって操作されるデータを記憶するためにも使用され得る。処理システムはさらに、モジュール3510、3512、3514、3516のうちの少なくとも1つを含む。モジュールは、コンピュータ可読媒体3606に存在する/記憶される、プロセッサ3604において動作するソフトウェアモジュール、プロセッサ3604に結合された1つもしくは複数のハードウェアモジュール、またはそれらの何らかの組合せであり得る。処理システム3614は、UE650の構成要素であってよく、メモリ660、ならびに/または、TXプロセッサ668、RXプロセッサ656、およびコントローラ/プロセッサ659のうちの少なくとも1つを含んでよい。
【０１２９】
一構成では、装置3502/3502'は、グループベアラを介して、マルチキャスト/ブロードキャストデータ送信を受信する。装置はUEであり得る。UEは、グループベアラのタイプを含むページングメッセージを受信するための手段と、ページングメッセージにおいて受信されたグループベアラのタイプに基づいて、RRCアイドルモードにとどまり、もしくは変更するか、またはRRC接続モードにとどまり、もしくは変更するかを決定するための手段とを含む。ページングメッセージはさらにグループ識別子を含んでよく、UEはさらに、UEがグループ識別子と関連付けられる場合にグループベアラパラメータを受信するための手段を含んでよい。ページングメッセージはさらにG-RNTIを含んでよく、UEはさらに、G-RNTIに基づいて受信されたグループベアラパラメータをデスクランブルするための手段を含んでよい。グループベアラパラメータはグループDRX構成を含んでよく、UEはさらに、グループベアラがアクティブ化されているときはグループDRX構成に基づいてマルチキャスト/ブロードキャストデータ送信を受信するための手段を含んでよい。UEはさらに、グループベアラを介してマルチキャスト/ブロードキャストデータ送信パケットを受信するための手段と、マルチキャスト/ブロードキャストデータ送信パケットを復号することを試みるための手段と、マルチキャスト/ブロードキャストデータ送信パケットを復号することが可能ではないときはNACKを送るための手段と、マルチキャスト/ブロードキャストデータ送信パケットを復号することが可能であるときはACKを送るのを控えるための手段とを含み得る。グループベアラのタイプはハイブリッドまたは接続であってよく、UEはさらに、RRC接続モードにとどまり、または変更することを決定するための手段を含んでよい。UEはさらに、CQIフィードバック構成を受信するための手段を含み得る。CQIフィードバック構成は、以前に提供されたCQIフィードバックまたは測定報告に基づき得る。UEはさらに、CQIフィードバック構成に基づいて、CQIフィードバックを送るための手段を含み得る。UEはさらに、マルチキャスト/ブロードキャストデータ送信パケットを受信するための手段と、マルチキャスト/ブロードキャストデータ送信パケットを復号することを試みるための手段と、マルチキャスト/ブロードキャストデータ送信パケットを復号することが可能ではないときはCQIフィードバックを送るための手段と、マルチキャスト/ブロードキャストデータ送信パケットを復号することが可能であるときはCQIフィードバックを送るのを控えるための手段とを含み得る。UEはさらに、CQIフィードバックを決定するための手段と、CQIフィードバックがCQIしきい値より小さいときはCQIフィードバックを送るための手段と、CQIフィードバックがCQIしきい値より大きいときはCQIフィードバックを送るのを控えるための手段とを含み得る。UEはさらに、PDCCHまたはレイヤ3メッセージの1つを介してCQIしきい値を受信するための手段を含み得る。UEはさらに、eNBからマルチキャスト/ブロードキャストデータ送信を受信するための手段と、受信されたマルチキャスト/ブロードキャストデータ送信を成功裏に復号するとNACKを送るための手段と、NC-ARQに基づいてマルチキャスト/ブロードキャストデータ送信の再送信を受信するための手段とを含み得る。UEはさらに、eNBからのランク1送信を介して、マルチキャスト/ブロードキャストデータ送信を受信するための構成を受信するための手段を含み得る。UEはさらに、SFBCダイバーシティ方式と、SFBCおよびFSTDダイバーシティ方式の1つに基づいて、CQIフィードバックを決定するための手段と、CQIをeNBに送るための手段とを含み得る。UEはさらに、eNBからMU-MIMOを介してマルチキャスト/ブロードキャストデータ送信を受信するための構成を受信するための手段と、CQIフィードバックおよびPMIを決定するための手段と、決定されたCQIおよびPMIをeNBに送るための手段とを含み得る。
【０１３０】
上述の手段は、装置3502の上述のモジュール、および/または上述の手段によって列挙された機能を実行するように構成された装置3502の処理システム3614のうちの1つまたは複数であり得る。上で説明されたように、処理システム3614は、TXプロセッサ668、RXプロセッサ656、およびコントローラ/プロセッサ659を含み得る。したがって、一構成では、上述の手段は、上述の手段によって列挙された機能を実行するように構成された、TXプロセッサ668、RXプロセッサ656、およびコントローラ/プロセッサ659であり得る。
【０１３１】
図37は、グループベアラを介してマルチキャスト/ブロードキャストデータ送信を提供するeNBの方法のフローチャート3700である。ステップ3702において、eNBは、グループベアラのタイプを決定する。ステップ3704において、eNBは、グループベアラのタイプを含むページングメッセージを、UEのセットに送る。ステップ3702において、eNBは、グループベアラのタイプを、アイドル、ハイブリッド、または接続の1つであるとして決定することができる。eNBは、マルチキャスト/ブロードキャストデータ送信のタイプ、マルチキャスト/ブロードキャストデータ送信の重要性、またはUEのセット中のUEの数の少なくとも1つを決定することができる。ステップ3702において、eNBは、マルチキャスト/ブロードキャストデータ送信のタイプ、マルチキャスト/ブロードキャストデータ送信の重要性、またはUEのセット中のUEの数のうちの、決定された少なくとも1つに基づいて、グループベアラのタイプを決定することができる。ページングメッセージはさらに、UEのセットと関連付けられるグループ識別子を含み得る。eNBは、UEのセットにグループベアラパラメータを送ることができる。ページングメッセージはさらに、G-RNTIを含み得る。eNBは、グループベアラパラメータを、G-RNTIに基づいてスクランブルすることができる。グループベアラパラメータは、ベアラ識別子、グループ識別子、G-RNTI、UEのセット中のUEのリスト、RLC/PDCP構成、QoSプロファイル、IPアドレス、およびグループベアラのタイプの少なくとも1つを含み得る。グループベアラパラメータは、グループDRX構成を含み得る。グループベアラがアクティブ化されているとき、eNBは、グループDRX構成に基づいて、マルチキャスト/ブロードキャストデータ送信をUEのセットに送信することができる。
【０１３２】
ステップ3706において、eNBは、ACK/NACKを送るためのACK/NACK構成をUEのセットに送り、CQIフィードバックを送るためのCQI構成をUEのセットに送ることができる。ステップ3708において、eNBは、CQIフィードバックを受信し、調整されたMCSに基づくマルチキャスト/ブロードキャストデータ送信のためのMCSを調整する/決定することができる。ステップ3710において、eNBは、グループベアラを介して、マルチキャスト/ブロードキャストデータ送信パケットをUEのセットに送ることができる。ステップ3712において、eNBは、受信されたNACKに基づいて、マルチキャスト/ブロードキャストデータ送信を再送信することができる。一構成では、eNBは、グループベアラを介して、マルチキャスト/ブロードキャストデータ送信パケットをUEのセットに送り、マルチキャスト/ブロードキャストデータ送信パケットを復号することが可能ではないUEのセット中の各UEからNACKを受信する。そのような構成では、ACKは、マルチキャスト/ブロードキャストデータ送信パケットを復号することが可能であるUEのセット中のUEから受信されない。各NACKは、PUCCHフォーマット1メッセージにおいて受信され得る。各NACKは、UEのセット中の各UEによって共有される同じリソースにおいて受信され得る。リソースは、マルチキャスト/ブロードキャストデータ送信をスケジュールするために使用されるPDCCHと関連付けられ得る。
【０１３３】
UEのセット中のUEがCQIを送るとき、eNBは、グループベアラのタイプをハイブリッドまたは接続であるとして決定することができる。eNBは、RRC接続モードにあるUEのセット中のUEからCQIフィードバックを受信することができる。一構成では、eNBは、受信されたCQIに基づいてMCSを決定し、決定されたMCSに基づいて、マルチキャスト/ブロードキャストデータ送信を送信する。eNBは、最低の受信されたCQIに基づいてMCSを決定することができる。一構成では、eNBは、UEから受信されたCQIフィードバックまたは測定報告の少なくとも1つに基づいてUEのセット中の各UEのためのCQIフィードバック構成を決定し、決定されたCQIフィードバック構成を各UEに送り、提供されたCQIフィードバック構成に基づいてUEのセット中の各UEからCQIフィードバックを受信する。一構成では、eNBは、マルチキャスト/ブロードキャストデータ送信パケットを送り、また、マルチキャスト/ブロードキャストデータ送信パケットを復号することが可能ではないときはCQIフィードバックを送り、マルチキャスト/ブロードキャストデータ送信パケットを復号することが可能であるときはCQIフィードバックを送るのを控えるように、UEのセット中のUEを構成する。一構成では、eNBは、UEのセット中のUEにCQIしきい値を送り、マルチキャスト/ブロードキャストデータ送信パケットを送り、また、CQIがCQIしきい値より小さいときはCQIフィードバックを送り、CQIがCQIしきい値より大きいときはCQIフィードバックを送るのを控えるように、UEのセット中のUEを構成する。eNBは、CQIリソースおよびACK/NACKリソース上でNACKを確認することができる。ACK/NACKリソースは、マルチキャスト/ブロードキャストデータ送信をスケジュールするために使用されるPDCCHと関連付けられる。
【０１３４】
eNBは、マルチキャスト/ブロードキャストデータ送信を送り、マルチキャスト/ブロードキャストデータ送信に関するNACKを受信し、NC-ARQに基づいてマルチキャスト/ブロードキャストデータ送信を再送信することができる。eNBは、ランク1送信を介して、マルチキャスト/ブロードキャストデータ送信を送ることができる。eNBは、SFBCダイバーシティ方式と、SFBCおよびFSTDダイバーシティ方式との1つを利用することによって、マルチキャスト/ブロードキャストデータ送信を送ることができる。eNBは、MU-MIMOを介して、マルチキャスト/ブロードキャストデータ送信をUEのセットに送ることができる。
【０１３５】
図38は、例示的な装置3802の中の様々なモジュール/手段/構成要素の間のデータフローを示す概念的なデータフロー図3800である。装置3802は、グループベアラを介してマルチキャスト/ブロードキャストデータ送信を提供する、eNBであり得る。eNBは、受信モジュール3810と、グループベアラ処理モジュール3812と、MCS決定モジュール3814と、送信モジュール3816とを含み得る。グループベアラ処理モジュール3812は、グループベアラのタイプを決定するように構成され得る。送信モジュール3816は、グループベアラのタイプを含むページングメッセージを、UEのセット3850に送るように構成され得る。グループベアラのタイプは、アイドル、ハイブリッド、または接続の1つであると決定され得る。グループベアラ処理モジュール3812は、マルチキャスト/ブロードキャストデータ送信のタイプ、マルチキャスト/ブロードキャストデータ送信の重要性、またはUEのセット中のUEの数の少なくとも1つを決定するように構成され得る。グループベアラ処理モジュール3812は、マルチキャスト/ブロードキャストデータ送信のタイプ、マルチキャスト/ブロードキャストデータ送信の重要性、またはUEのセット中のUEの数のうちの、決定された少なくとも1つに基づいて、グループベアラのタイプを決定するように構成され得る。ページングメッセージはさらに、UEのセットと関連付けられるグループ識別子を含み得る。送信モジュール3816は、UEのセットにグループベアラパラメータを送るように構成され得る。ページングメッセージはさらに、G-RNTIを含み得る。グループベアラ処理モジュール3812は、G-RNTIに基づいてグループベアラパラメータをスクランブルするように構成され得る。グループベアラパラメータは、グループDRX構成を含み得る。グループベアラがアクティブ化されているとき、送信モジュール3816は、グループDRX構成に基づいて、マルチキャスト/ブロードキャストデータ送信をUEのセットに送信するように構成され得る。送信モジュール3816は、グループベアラを介して、マルチキャスト/ブロードキャストデータ送信パケットをUEのセットに送るように構成されてよく、受信モジュール3810は、マルチキャスト/ブロードキャストデータ送信パケットを復号することが可能ではないUEのセット中の各UEからNACKを受信するように構成されてよい。ACKは、マルチキャスト/ブロードキャストデータ送信パケットを復号することが可能であるUEのセット中のUEから受信されなくてよい。各NACKは、PUCCHフォーマット1メッセージにおいて受信され得る。各NACKは、UEのセット中の各UEによって共有される同じリソースにおいて受信され得る。リソースは、マルチキャスト/ブロードキャストデータ送信をスケジュールするために使用されるPDCCHと関連付けられ得る。グループベアラのタイプがハイブリッドまたは接続であると決定されるとき、受信モジュール3810は、RRC接続モードにあるUEのセット中のUEからCQIフィードバックを受信するように構成され得る。MCS決定モジュール3814は、受信されたCQIに基づいてMCSを決定するように構成されてよく、送信モジュール3816は、決定されたMCSに基づいてマルチキャスト/ブロードキャストデータ送信を送信するように構成されてよい。MCSは、最低の受信されたCQIに基づいて決定され得る。グループベアラ処理モジュール3812は、UEから受信���れたCQIフィードバックまたは測定報告の少なくとも1つに基づいてUEのセット中の各UEのためのCQIフィードバック構成を決定するように構成されてよく、送信モジュール3816は、決定されたCQIフィードバック構成を各UEに送るように構成されてよく、受信モジュール3810は、提供されたCQIフィードバック構成に基づいてUEのセット中の各UEからCQIフィードバックを受信するように構成されてよい。送信モジュール3816は、マルチキャスト/ブロードキャストデータ送信パケットを送るように、また、マルチキャスト/ブロードキャストデータ送信パケットを復号することが可能ではないときはCQIフィードバックを送り、マルチキャスト/ブロードキャストデータ送信パケットを復号することが可能であるときはCQIフィードバックを送るのを控えるようにUEのセット中のUEを構成するように、構成され得る。送信モジュール3816は、UEのセット中のUEにCQIしきい値を送るように、マルチキャスト/ブロードキャストデータ送信パケットを送るように、また、CQIがCQIしきい値より小さいときはCQIフィードバックを送り、CQIがCQIしきい値より大きいときはCQIフィードバックを送るのを控えるようにUEのセット中のUEを構成するように、構成され得る。受信モジュール3810およびグループベアラ処理モジュール3812は、CQIリソースおよびACK/NACKリソース上でNACKを確認するように構成され得る。ACK/NACKリソースは、マルチキャスト/ブロードキャストデータ送信をスケジュールするために使用されるPDCCHと関連付けられる。送信モジュール3816は、マルチキャスト/ブロードキャスト送信を送るように構成されてよく、受信モジュール3810は、マルチキャスト/ブロードキャストデータ送信に関するNACKを受信するように構成されてよく、送信モジュール3816は、NC-ARQに基づいてマルチキャスト/ブロードキャストデータ送信を再送信するように構成されてよい。送信モジュール3816は、ランク1送信を介して、マルチキャスト/ブロードキャストデータ送信を送るように構成され得る。マルチキャスト/ブロードキャストデータ送信は、SFBCダイバーシティ方式と、SFBCおよびFSTDダイバーシティ方式との1つを利用することによって、送られ得る。送信モジュール3816は、MU-MIMOを介して、マルチキャスト/ブロードキャストデータ送信をUEのセットに送るように構成され得る。
【０１３６】
装置は、図37の上述のフローチャートおよび図8〜図19の図のアルゴリズムのステップの各々を実行する追加のモジュールを含み得る。したがって、上述の図の各ステップは、モジュールによって実行されてよく、装置は、これらのモジュールの1つまたは複数を含み得る。モジュールは、述べられたプロセス/アルゴリズムを実行するように明確に構成される、述べられたプロセス/アルゴリズムを実行するように構成されたプロセッサによって実装される、プロセッサによる実装のためにコンピュータ可読媒体内に記憶される、またはそれらの何らかの組合せである、1つまたは複数のハードウェア構成要素であり得る。
【０１３７】
図39は、処理システム3914を利用する装置3802'についてのハードウェア実装形態の一例を示す図3900である。処理システム3914は、バス3924によって全体的に表されるバスアーキテクチャで実装され得る。バス3924は、処理システム3914の特定の適用例および全体的な設計制約に応じて、任意の数の相互接続するバスおよびブリッジを含み得る。バス3924は、プロセッサ3904、モジュール3810、3812、3814、3816、およびコンピュータ可読媒体3906によって表される、1つまたは複数のプロセッサおよび/またはハードウェアモジュールを含む様々な回路を互いにリンクさせる。バス3924は、タイミングソース、周辺機器、電圧調整器、および電力管理回路などの様々な他の回路をリンクさせることもできるが、これらの回路は当技術分野でよく知られており、したがってこれ以上は記載しない。
【０１３８】
処理システム3914は、トランシーバ3910に結合され得る。トランシーバ3910は、1つまたは複数のアンテナ3920に結合される。トランシーバ3910は、伝送媒体上の様々な他の装置と通信するための手段を提供する。トランシーバ3910は、1つまたは複数のアンテナ3920から信号を受信して、受信された信号から情報を抽出して、抽出された情報を処理システム3914に提供する。加えて、トランシーバ3910は、処理システム3914から情報を受信して、受信された情報に基づいて、1つまたは複数のアンテナ3920に印加される信号を生成する。処理システム3914は、コンピュータ可読媒体3906に結合されたプロセッサ3904を含む。プロセッサ3904は、コンピュータ可読媒体3906に記憶されたソフトウェアの実行を含む全般的な処理を担う。ソフトウェアは、プロセッサ3904によって実行されると、任意の特定の装置の上で説明された様々な機能を処理システム3914に実行させる。コンピュータ可読媒体3906は、ソフトウェアを実行するときにプロセッサ3904によって操作されるデータを記憶するためにも使用され得る。処理システムはさらに、モジュール3810、3812、3814、3816のうちの少なくとも1つを含む。モジュールは、コンピュータ可読媒体3906に存在する/記憶される、プロセッサ3904において動作するソフトウェアモジュール、プロセッサ3904に結合された1つもしくは複数のハードウェアモジュール、またはそれらの何らかの組合せであり得る。処理システム3914は、eNB610の構成要素であってよく、メモリ676、ならびに/または、TXプロセッサ616、RXプロセッサ670、およびコントローラ/プロセッサ675のうちの少なくとも1つを含んでよい。
【０１３９】
一構成では、装置3802/3802'は、グループベアラを介して、マルチキャスト/ブロードキャストデータ送信を提供する。装置は、eNBであり得る。eNBは、グループベアラのタイプを決定するための手段と、グループベアラのタイプを含むページングメッセージをUEのセットに送るための手段とを含む。eNBはさらに、マルチキャスト/ブロードキャストデータ送信のタイプ、マルチキャスト/ブロードキャストデータ送信の重要性、またはUEのセット中のUEの数の少なくとも1つを決定するための手段を含み得る。グループベアラのタイプは、マルチキャスト/ブロードキャストデータ送信のタイプ、マルチキャスト/ブロードキャストデータ送信の重要性、またはUEのセット中のUEの数のうちの、決定された少なくとも1つに基づいて、決定され得る。ページングメッセージはさらに、UEのセットと関連付けられるグループ識別子を含み得る。eNBはさらに、UEのセットにグループベアラパラメータを送るための手段を含み得る。ページングメッセージはさらに、G-RNTIを含み得る。eNBはさらに、グループベアラパラメータをG-RNTIに基づいてスクランブルするための手段を含み得る。グループベアラパラメータは、グループDRX構成を含み得る。グループベアラがアクティブ化されているとき、eNBはさらに、グループDRX構成に基づいて、マルチキャスト/ブロードキャストデータ送信をUEのセットに送信するための手段を含み得る。eNBはさらに、グループベアラを介して、マルチキャスト/ブロードキャストデータ送信パケットをUEのセットに送るための手段と、マルチキャスト/ブロードキャストデータ送信パケットを復号することが可能ではないUEのセット中の各UEからNACKを受信するための手段とを含み得る。ACKは、マルチキャスト/ブロードキャストデータ送信パケットを復号することが可能であるUEのセット中のUEから受信されなくてよい。グループベアラのタイプはハイブリッドまたは接続であると決定されてよく、eNBはさらに、RRC接続モードにあるUEのセット中のUEからCQIフィードバックを受信するための手段を含み得る。eNBはさらに、受信されたCQIに基づいてMCSを決定するための手段と、決定されたMCSに基づいて、マルチキャスト/ブロードキャストデータ送信を送信するための手段とを含み得る。eNBはさらに、UEから受信されたCQIフィードバックまたは測定報告の少なくとも1つに基づいてUEのセット中の各UEのためのCQIフィードバック構成を決定するための手段と、決定されたCQIフィードバック構成を各UEに送るための手段と、提供されたCQIフィードバック構成に基づいてUEのセット中の各UEからCQIフィードバックを受信するための手段とを含み得る。eNBはさらに、マルチキャスト/ブロードキャストデータ送信パケットを送るための手段と、マルチキャスト/ブロードキャストデータ送信パケットを復号することが可能ではないときはCQIフィードバックを送り、マルチキャスト/ブロードキャストデータ送信パケットを復号することが可能であるときはCQIフィードバックを送るのを控えるようにUEのセット中のUEを構成するための手段とを含み得る。eNBはさらに、UEのセット中のUEにCQIしきい値を送るための手段と、マルチキャスト/ブロードキャストデータ送信パケットを送るための手段と、CQIがCQIしきい値より小さいときはCQIフィードバックを送り、CQIがCQIしきい値より大きいときはCQIフィードバックを送るのを控えるようにUEのセット中のUEを構成するための手段とを含み得る。eNBはさらに、CQIリソースおよびACK/NACKリソース上でNACKを確認するための手段を含み得る。ACK/NACKリソースは、マルチキャスト/ブロードキャストデータ送信をスケジュールするために使用されるPDCCHと関連付けられ得る。eNBはさらに、マルチキャスト/ブロードキャストデータ送信を送るための手段と、マルチキャスト/ブロードキャストデータ送信に関するNACKを受信するための手段と、NC-ARQに基づいてマルチキャスト/ブロードキャストデータ送信を再送信するための手段とを含み得る。eNBはさらに、ランク1送信を介して、マルチキャスト/ブロードキャストデータ送信を送るための手段を含み得る。eNBはさらに、MU-MIMOを介して、マルチキャスト/ブロードキャストデータ送信をUEのセットに送るための手段を含み得る。
【０１４０】
上述の手段は、装置3802の上述のモジュール、および/または上述の手段によって列挙された機能を実行するように構成された装置3802の処理システム3914のうちの1つまたは複数であり得る。上で説明されたように、処理システム3914は、TXプロセッサ616、RXプロセッサ670、およびコントローラ/プロセッサ675を含む場合がある。したがって、一構成では、上述の手段は、上述の手段によって列挙された機能を実行するように構成された、TXプロセッサ616、RXプロセッサ670、およびコントローラ/プロセッサ675であり得る。
【０１４１】
図40は、PTT/PTX通信の方法のフローチャート4000である。方法は、eNBおよび/またはネットワークエンティティによって実行され得る。ステップ4002において、eNBは、UEのセットのためのPTT/PTXメッセージを受信する。ステップ4004において、eNBは、PTT/PTXメッセージまたはUEのセットの少なくとも1つに基づいて、ユニキャストベアラ、グループベアラ、またはMBMSベアラの1つを確立する。ステップ4006において、eNBは、確立されたベアラを介してUEのセットへPTT/PTXメッセージを送る。eNB(または別のネットワークエンティティ)は、UEのセット中のUEのベアラ能力、UEのセット中のUEの数、ファイル修復がPTT/PTX通信のために必要とされるかどうか、PTT/PTX通信のタイプ、またはPTT/PTX通信の重要性の少なくとも1つに基づいて、ユニキャストベアラを確立するか、グループベアラを確立するか、またはMBMSベアラを確立するかを決定することができる。ネットワークエンティティがそのような決定を行う場合、ネットワークエンティティは決定をeNBに知らせることができる。
【０１４２】
UEのセットへの特定のPTT/PTX通信のために、複数の異なるベアラがネットワークによって確立され得る。たとえば、ターゲットUEのあるセットが、第1のeNBのカバレッジ中に第1のサブセット、第2のeNBのカバレッジ中に第2のサブセット、および第3のeNBのカバレッジ中に第3のサブセットを含むと仮定する。第1のeNBは、ユニキャストベアラ、グループベアラ、またはMBMSベアラの1つを確立し、第2のeNBは、ユニキャストベアラ、グループベアラ、またはMBMSベアラの1つを確立し、第3のeNBは、ユニキャストベアラ、グループベアラ、またはMBMSベアラの1つを確立する。第1のeNB、第2のeNB、および第3のeNBは、UEの対応するサブセット中のUEのベアラ能力、UEの対応するサブセット中のUEの数、ファイル修復がPTT/PTX通信のために必要とされるかどうか、PTT/PTX通信のタイプ、またはPTT/PTX通信の重要性に基づいて、異なるタイプのベアラを確立することができる。
【０１４３】
図41は、例示的な装置4102の中の様々なモジュール/手段/構成要素の間のデータフローを示す概念的なデータフロー図4100である。装置4102は、PTT/PTX通信のためのベアラを決定し、PTT/PTX通信のためのベアラを確立するように構成される。装置は、UE4150のセットのためのUE4140からのPTT/PTXメッセージを受信するように構成される、受信モジュール4110を含む。装置4102は、PTT/PTXメッセージまたはUEのセットの少なくとも1つに基づいて、ユニキャストベアラ、グループベアラ、またはMBMSベアラの1つを確立するように構成される、ベアラ処理モジュール4112を含む。装置4102は、確立されたベアラを介してUEのセットへPTT/PTXメッセージを送るように構成される、送信モジュール4116を含む。装置4102はさらに、UEのセット中のUEのベアラ能力、UEのセット中のUEの数、ファイル修復がPTT/PTX通信のために必要とされるかどうか、PTT/PTX通信のタイプ、またはPTT/PTX通信の重要性の少なくとも1つに基づいて、ユニキャストベアラを確立するか、グループベアラを確立するか、またはMBMSベアラを確立するかを決定するように構成される、ベアラ決定モジュール4114を含む。
【０１４４】
装置は、図40の上述のフローチャートおよび図8〜図19の図のアルゴリズムのステップの各々を実行する追加のモジュールを含み得る。したがって、上述の図の各ステップは、モジュールによって実行されてよく、装置は、これらのモジュールの1つまたは複数を含み得る。モジュールは、述べられたプロセス/アルゴリズムを実行するように明確に構成される、述べられたプロセス/アルゴリズムを実行するように構成されたプロセッサによって実装される、プロセッサによる実装のためにコンピュータ可読媒体内に記憶される、またはそれらの何らかの組合せである、1つまたは複数のハードウェア構成要素であり得る。
【０１４５】
図42は、処理システム4214を利用する装置4102'についてのハードウェア実装形態の一例を示す図4200である。処理システム4214は、バス4224によって全体的に表されるバスアーキテクチャで実装され得る。バス4224は、処理システム4214の特定の適用例および全体的な設計制約に応じて、任意の数の相互接続するバスおよびブリッジを含み得る。バス4224は、プロセッサ4204、モジュール4110、4112、4114、4116、およびコンピュータ可読媒体4206によって表される、1つまたは複数のプロセッサおよび/またはハードウェアモジュールを含む様々な回路を互いにリンクさせる。バス4224は、タイミングソース、周辺機器、電圧調整器、および電力管理回路などの様々な他の回路をリンクさせることもできるが、これらの回路は当技術分野でよく知られており、したがってこれ以上は記載しない。
【０１４６】
処理システム4214は、トランシーバ4210に結合され得る。トランシーバ4210は、1つまたは複数のアンテナ4220に結合される。トランシーバ4210は、伝送媒体上の様々な他の装置と通信するための手段を提供する。トランシーバ4210は、1つまたは複数のアンテナ4220から信号を受信して、受信された信号から情報を抽出して、抽出された情報を処理システム4214に提供する。加えて、トランシーバ4210は、処理システム4214から情報を受信して、受信された情報に基づいて、1つまたは複数のアンテナ4220に印加される信号を生成する。処理システム4214は、コンピュータ可読媒体4206に結合されたプロセッサ4204を含む。プロセッサ4204は、コンピュータ可読媒体4206に記憶されたソフトウェアの実行を含む全般的な処理を担う。ソフトウェアは、プロセッサ4204によって実行されると、任意の特定の装置の上で説明された様々な機能を処理システム4214に実行させる。コンピュータ可読媒体4206は、ソフトウェアを実行するときにプロセッサ4204によって操作されるデータを記憶するために使用されて得る。処理システムはさらに、モジュール4110、4112、4114、4116のうちの少なくとも1つを含む。モジュールは、コンピュータ可読媒体4206に存在する/記憶される、プロセッサ4204において動作するソフトウェアモジュール、プロセッサ4204に結合された1つもしくは複数のハードウェアモジュール、またはそれらの何らかの組合せであり得る。処理システム4214は、eNB610の構成要素であってよく、メモリ676、ならびに/または、TXプロセッサ616、RXプロセッサ670、およびコントローラ/プロセッサ675のうちの少なくとも1つを含んでよい。
【０１４７】
一構成では、装置4102/4102'は、PTT/PTX通信のためのものであり、UEのセットのためのPTT/PTXメッセージを受信するための手段と、PTT/PTXメッセージまたはUEのセットの少なくとも1つに基づいて、ユニキャストベアラ、グループベアラ、またはMBMSベアラの1つを確立するための手段と、確立されたベアラを介してPTT/PTXメッセージをUEのセットへ送るための手段とを含む。装置はさらに、UEのセット中のUEのベアラ能力、UEのセット中のUEの数、ファイル修復がPTT/PTX通信のために必要とされるかどうか、PTT/PTX通信のタイプ、またはPTT/PTX通信の重要性の少なくとも1つに基づいて、ユニキャストベアラを確立するか、グループベアラを確立するか、またはMBMSベアラを確立するかを決定するための手段を含み得る。
【０１４８】
上述の手段は、装置4102の上述のモジュール、および/または上述の手段によって列挙された機能を実行するように構成された装置4102'の処理システム4214のうちの1つまたは複数であり得る。上で説明されたように、処理システム4214は、TXプロセッサ616、RXプロセッサ670、およびコントローラ/プロセッサ675を含む場合がある。したがって、一構成では、上述の手段は、上述の手段によって列挙された機能を実行するように構成された、TXプロセッサ616、RXプロセッサ670、およびコントローラ/プロセッサ675であり得る。
【０１４９】
開示されたプロセスにおけるステップの特定の順序または階層は、例示的な手法の一例であることを理解されたい。設計上の選好に基づいて、プロセスにおけるステップの特定の順序または階層は、再構成され得ることを理解されたい。さらに、いくつかのステップは、組み合わされるか、または省略される場合がある。添付の方法クレームは、様々なステップの要素を例示的な順序で提示したものであり、提示された特定の順序または階層に限定されることは意図されない。
【０１５０】
前述の説明は、本明細書に記載された様々な態様を、いかなる当業者も実践することを可能にするために提供するものである。これらの態様への様々な変更は当業者には容易に明らかであり、本明細書で定義された一般的な原理は他の態様に適用することができる。したがって、特許請求の範囲は本明細書に示された態様に限定されるものではなく、文言通りの特許請求の範囲に整合するすべての範囲を与えられるべきであり、単数の要素への言及は、そのように明記されていない限り、「唯一無二の」を意味するものではなく、「1つまたは複数の」を意味するものである。別段に明記されていない限り、「いくつかの」という用語は「1つまたは複数の」を指す。たとえば「A、B、またはCのうちの少なくとも1つ」、「A、B、およびCのうちの少なくとも1つ」、ならびに「A、B、C、またはそれらの任意の組合せ」などの組合せは、A、B、および/またはCの任意の組合せを含み、Aの倍数、Bの倍数、またはCの倍数を含み得る。具体的には、たとえば「A、B、またはCのうちの少なくとも1つ」、「A、B、およびCのうちの少なくとも1つ」、ならびに「A、B、C、またはそれらの任意の組合せ」などの組合せは、Aのみ、Bのみ、Cのみ、AおよびB、AおよびC、BおよびC、またはAおよびBおよびCとすることができ、任意のそのような組合せは、A、B、またはCの1つまたは複数のメンバーを含み得る。当業者には既知である、または後に当業者に既知になる本開示全体にわたって説明する様々な態様の要素に対するすべての構造的および機能的等価物は、参照により本明細書に明確に組み込まれ、請求項によって包含されるものとする。その上、本明細書で開示された内容は、そのような開示が特許請求の範囲で明示的に列挙されているかどうかにかかわらず、公に供されるものではない。いかなるクレーム要素も、要素が「ための手段(means for)」という語句を使用して明確に記載されていない限り、ミーンズプラスファンクションとして解釈されるべきではない。
【符号の説明】
【０１５１】
100  LTEネットワークアーキテクチャ、発展型パケットシステム(EPS)
102  ユーザ機器(UE)
104  発展型UMTS地上波無線アクセスネットワーク(E-UTRAN)
106  発展型ノードB(eNB)
108  eNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のインターネットプロトコル(IP)サービス
124  マルチメディアブロードキャストマルチキャストサービス(MBMS)ゲートウェイ
126  ブロードキャストマルチキャストサービスセンター(BM-SC)
200  アクセスネットワーク
202  セルラー領域(セル)
204  マクロeNB、eNB
206  UE
208  低電力クラスeNB
210  セルラー領域
302  セル固有RS(CRS)
304  UE固有RS(UE-RS)
410a  リソースブロック
410b  リソースブロック
420a  リソースブロック
420b  リソースブロック
430  物理ランダムアクセスチャネル(PRACH)
506  物理レイヤ
508  レイヤ2(L2レイヤ)
510  媒体アクセス制御(MAC)サブレイヤ
512  無線リンク制御(RLC)サブレイヤ
514  パケットデータコンバージェンスプロトコル(PDCP)
516  無線リソース制御(RRC)サブレイヤ
610  eNB
616  送信(TX)プロセッサ
618  送信機、受信機
620  アンテナ
650  UE
652  アンテナ
654  受信機、送信機
656  受信(RX)プロセッサ
658  チャネル推定器
659  コントローラ/プロセッサ
660  メモリ
662  データシンク
667  データソース
668  TXプロセッサ
670  RXプロセッサ
674  チャネル推定器
675  コントローラ/プロセッサ
676  メモリ
732  MBMSサービスエリア
734  MBSFNエリア
736  MBSFNエリア
738  MBSFNエリア
740  基地局、セル
752  eNB
752'  セル
754  eNB
754'  セル
770  UE
802〜810  セル
812  マルチキャストブロードキャストサービスエリア
814  セルの組
816  セルの組、eNB
826  UE
840  第1のティア(ティア1)
842  第2のティア(ティア2)
844  第3のティア(ティア3)
1402  PTT over cellular(PoC)サーバ
1404  BM-SC
1406  MBMS-GW
1408  eNB
1408  MCE
1410  UE
1502  UE
1504  eNB/MME
1506  P-GW/SGW
1512  SIPプロキシ
1514  PoCサーバ
1516  最初のPTT待ち時間
1602  PoCサーバ
1604  SIPプロキシ
1606  BM-SC
1608  MBMS-GW
1610  P-GW/SGW
1612  MME/MCE
1614  eNB
1616  ターゲットUE(PoCターゲット)、UE
1702  UE
1704  eNB/MME
1706  P-GW/SGW
1712  SIPプロキシ
1714  PoCサーバ
1716  PoCサーバ
1718  SIPプロキシ
1720  BM-SC
1724  P-GW/SGW
1726  MME/MCE
1728  eNB
1730  UE
1802  UE
1804  eNB/MME
1806  P-GW/SGW
1808  MBMS-GW
1810  BM-SC
1812  SIPプロキシ
1814  PoCサーバ
1816  PoCサーバ
1818  SIPプロキシ、BM-SC
1820  BM-SC
1822  MBMS-GW
1826  MME/MCE
1828  eNB
1830  ターゲットUE
1902  UE
1904  PoCサーバ
1906  UE
2102  装置
2102'  装置
2110  受信モジュール
2112  グループ呼設定シグナリングモジュール
2114  ユニキャストベアラセットアップモジュール
2116  送信モジュール
2150  eNB
2204  プロセッサ
2206  コンピュータ可読媒体
2210  トランシーバ
2214  処理システム
2220  アンテナ
2224  バス
2402  装置
2402'  装置
2410  受信モジュール
2412  グループ呼設定シグナリングモジュール
2414  ユニキャストベアラセットアップモジュール
2416  送信モジュール
2450  eNB
2504  プロセッサ
2506  コンピュータ可読媒体
2510  トランシーバ
2514  処理システム
2520  アンテナ
2524  バス
2702  装置
2702'  装置
2710  受信モジュール
2712  グループ呼設定シグナリングモジュール
2714  グループページ処理モジュール
2716  送信モジュール
2750  eNB
2804  プロセッサ
2806  コンピュータ可読媒体
2810  トランシーバ
2814  処理システム
2820  アンテナ
2824  バス
3002  装置
3002'  装置
3010  受信モジュール
3012  グループ呼設定シグナリングモジュール
3014  MBMSセッションセットアップモジュール
3016  送信モジュール
3050  ターゲットUE
3104  プロセッサ
3106  コンピュータ可読媒体
3110  トランシーバ
3114  処理システム
3120  アンテナ
3124  バス
3400  UEの方法のフローチャート
3512  グループベアラ処理モジュール
3514  RRCアイドル/接続モード決定モジュール
3814  MCS決定モジュール
4000  PTT/PTX通信の方法のフローチャート
4112  ベアラ処理モジュール
4114  ベアラ決定モジュール
4140  UE
4150  UE
【図１】
2016519539.tif 000003
【図２】
2016519539.tif 000004
【図３】
2016519539.tif 000005
【図４】
2016519539.tif 000006
【図５】
2016519539.tif 000007
【図６】
2016519539.tif 000008
【図７Ａ】
2016519539.tif 000009
【図７Ｂ】
2016519539.tif 000010
【図７Ｃ】
2016519539.tif 000011
【図８】
2016519539.tif 000012
【図９】
2016519539.tif 000013
【図１０】
2016519539.tif 000014
【図１１】
2016519539.tif 000015
【図１２】
2016519539.tif 000016
【図１３】
2016519539.tif 000017
【図１４】
2016519539.tif 000018
【図１５】
2016519539.tif 000019
【図１６】
2016519539.tif 000020
【図１７】
2016519539.tif 000021
【図１８】
2016519539.tif 000022
【図１９】
2016519539.tif 000023
【図２０】
2016519539.tif 000024
【図２１】
2016519539.tif 000025
【図２２】
2016519539.tif 000026
【図２３】
2016519539.tif 000027
【図２４】
2016519539.tif 000028
【図２５】
2016519539.tif 000029
【図２６】
2016519539.tif 000030
【図２７】
2016519539.tif 000031
【図２８】
2016519539.tif 000032
【図２９】
2016519539.tif 000033
【図３０】
2016519539.tif 000034
【図３１】
2016519539.tif 000035
【図３２】
2016519539.tif 000036
【図３３】
2016519539.tif 000037
【図３４】
2016519539.tif 000038
【図３５】
2016519539.tif 000039
【図３６】
2016519539.tif 000040
【図３７】
2016519539.tif 000041
【図３８】
2016519539.tif 000042
【図３９】
2016519539.tif 000043
【図４０】
2016519539.tif 000044
【図４１】
2016519539.tif 000045
【図４２】
2016519539.tif 000046
【国際調査報告】
2016519539.tif 000047
2016519539.tif 000048